(57)【要約】【課題】交換ユニット側の部品と、本体キャビネット内部の部品との間の接続コードによる接続ミスや、接続忘れの発生を回避することができ、また、それらの接続チェックも容易にすることができるようにした遊技機を提供しようとするものである。【解決手段】コネクター結合検知回路（１１０）は、部品側端子（１３１）のいずれか２つを内部で短絡させた短絡配線部（１４０）と、コード側端子（１２１）を、プラス側電源（２５０）に接続するプラス電源側配線部（１５０）と、コード側端子（１２１）を、マイナス側電源（２６０）に接続するマイナス電源側配線部（１６０）と、抵抗（１８０）と、コネクター結合検知回路（１１０）の途中に直列接続してコネクター結合検知回路（１１０）に電気信号が流れたことを外部に報知するための接続報知手段（１９０）とを備えた。【選択図】    図１
2004181203.tif 000002
【特許請求の範囲】
【請求項１】
構造用の部材である基体と、
前記基体に取り付けられて遊技を行うことが可能な遊技部と、
前記遊技部を制御するための制御装置と、
各部品に電力を供給する電源ユニットとを少なくとも備えた遊技機であって、
前記遊技機は、
前記遊技部に一方の端部が接続され、前記制御装置に他方の端部が接続されることにより、前記制御装置の入出力の電気信号を、前記遊技部内部の部品に伝達可能な接続コードと、
前記接続コードの接続状態を検知可能なコネクター結合検知回路とを備え、
前記接続コードの端部には、コード側コネクターを設け、
前記接続コードを接続する部品側には、前記コード側コネクターが係合可能な部品側コネクターを設け、
前記コード側コネクターは、その内部で接続コード内の配線と結線されるとともに列状に並んだ複数のコード側端子を有し、
前記部品側コネクターは、
その内部で部品内の配線と結線されるとともに前記コード側端子と対応する位置に列状に並び、且つ、前記コード側コネクター及び前記部品側コネクターを係合した際に前記コード側端子とそれぞれ係合可能な複数の部品側端子を有し、
前記コネクター結合検知回路は、
前記部品側コネクターの列状に並んだ前記部品側端子のいずれか２つを内部で短絡させた短絡配線部と、
前記短絡配線部の一端側の前記部品側端子と係合する前記コード側端子を、前記電源ユニットのプラス側電源に接続するプラス電源側配線部と、
前記短絡配線部の他端側の前記部品側端子と係合する前記コード側端子を、前記電源ユニットのマイナス側電源に接続するマイナス電源側配線部と、
前記コネクター結合検知回路の途中に直列接続した抵抗と、
前記コネクター結合検知回路の途中に直列接続して前記コネクター結合検知回路に電気信号が流れたことを外部に報知するための接続報知手段とを備えたことを特徴とする遊技機。
【請求項２】
正面側に開口する箱状の本体キャビネットと、
前記本体キャビネットの前面側の開口部を開閉自在に塞ぐ前扉と、
複数の図柄が表示される回転リールを回転させるためのリールユニットと、
遊技メダルを払い出すための払い出し装置と、
前記回転リール及び前記払い出し装置の作動を制御するための主制御装置と、
各部品に電力を供給する電源ユニットとを少なくとも部品として有する遊技機であって、
前記遊技機は、
少なくとも前記リールユニット及び前記主制御装置を有する交換ユニットと、
前記本体キャビネットに固定された部品に一方の端部が接続され、前記交換ユニットに固定された部品に他方の端部が接続されることにより、前記交換ユニットの各部品の入出力の電気信号を、前記本体キャビネット内部の部品に伝達可能な接続コードと、
前記接続コードの接続状態を検知可能なコネクター結合検知回路とを備え、
前記接続コードの端部には、コード側コネクターを設け、
前記接続コードを接続する部品側には、前記コード側コネクターが係合可能な部品側コネクターを設け、
前記コード側コネクターは、その内部で接続コード内の配線と結線されるとともに列状に並んだ複数のコード側端子を有し、
前記部品側コネクターは、
その内部で部品内の配線と結線されるとともに前記コード側端子と対応する位置に列状に並び、且つ、前記コード側コネクター及び前記部品側コネクターを係合した際に前記コード側端子とそれぞれ係合可能な複数の部品側端子を有し、
前記コネクター結合検知回路は、
前記部品側コネクターの列状に並んだ前記部品側端子のいずれか２つを内部で短絡させた短絡配線部と、
前記短絡配線部の一端側の前記部品側端子と係合する前記コード側端子を、前記電源ユニットのプラス側電源に接続するプラス電源側配線部と、
前記短絡配線部の他端側の前記部品側端子と係合する前記コード側端子を、前記電源ユニットのマイナス側電源に接続するマイナス電源側配線部と、
前記コネクター結合検知回路の途中に直列接続した抵抗と、
前記コネクター結合検知回路の途中に直列接続して前記コネクター結合検知回路に電気信号が流れたことを外部に報知するための接続報知手段とを備えたことを特徴とする遊技機。
【請求項３】
正面側に開口する箱状の本体キャビネットと、
前記本体キャビネットの前面側の開口部を開閉自在に塞ぐ前扉と、
複数の図柄が表示される回転リールを回転させるためのリールユニットと、
遊技メダルを払い出すための払い出し装置と、
前記回転リール及び前記払い出し装置の作動を制御するための主制御装置と、
各部品に電力を供給する電源ユニットとを少なくとも部品として有する遊技機であって、
前記遊技機は、
少なくとも前記リールユニット及び前記主制御装置を有する交換ユニットと、
前記本体キャビネットに固定された部品に一方の端部が接続され、前記交換ユニットに固定された部品に他方の端部が接続されることにより、前記交換ユニットの各部品の入出力の電気信号を、前記本体キャビネット内部の部品に伝達可能な接続コードと、
前記接続コードの接続状態を検知可能なコネクター結合検知回路とを備え、
前記接続コードの端部には、コード側コネクターを設け、
前記接続コードを接続する部品側には、前記コード側コネクターが係合可能な部品側コネクターを設け、
前記コード側コネクターは、その内部で接続コード内の配線と結線されるとともに列状に並んだ複数のコード側端子を有し、
前記部品側コネクターは、
その内部で部品内の配線と結線されるとともに前記コード側端子と対応する位置に列状に並び、且つ、前記コード側コネクター及び前記部品側コネクターを係合した際に前記コード側端子とそれぞれ係合可能な複数の部品側端子を有し、
前記コネクター結合検知回路は、
前記コード側コネクターの列状に並んだ前記コード側端子のいずれか２つを内部で短絡させた短絡配線部と、
前記短絡配線部の一端側の前記コード側端子と係合する前記部品側端子を、前記電源ユニットのプラス側電源に接続するプラス電源側配線部と、
前記短絡配線部の他端側の前記コード側端子と係合する前記部品側端子を、前記電源ユニットのマイナス側電源に接続するマイナス電源側配線部と、
前記コネクター結合検知回路の途中に直列接続した抵抗と、
前記コネクター結合検知回路の途中に直列接続して前記コネクター結合検知回路に電気信号が流れたことを外部に報知するための接続報知手段とを備えたことを特徴とする遊技機。
【請求項４】
正面側に開口する箱状の本体キャビネットと、
前記本体キャビネットの前面側の開口部を開閉自在に塞ぐ前扉と、
複数の図柄が表示される回転リールを回転させるためのリールユニットと、
遊技メダルを払い出すための払い出し装置と、
前記回転リール及び前記払い出し装置の作動を制御するための主制御装置と、
各部品に電力を供給する電源ユニットとを少なくとも部品として有する遊技機であって、
前記遊技機は、
少なくとも前記リールユニット及び前記主制御装置を有する交換ユニットと、
前記本体キャビネットに固定された部品に一方の端部が接続され、前記交換ユニットに固定された部品に他方の端部が接続されることにより、前記交換ユニットの各部品の入出力の電気信号を、前記本体キャビネット内部の部品に伝達可能な複数の接続コードと、
前記接続コードの接続状態を検知可能なコネクター結合検知回路とを備え、
前記接続コードの端部には、コード側コネクターを設け、
前記接続コードを接続する部品側には、前記コード側コネクターが係合可能な部品側コネクターを設け、
前記コード側コネクターは、その内部で接続コード内の配線と結線されるとともに列状に並んだ複数のコード側端子を有し、
前記部品側コネクターは、
その内部で部品内の配線と結線されるとともに前記コード側端子と対応する位置に列状に並び、且つ、前記コード側コネクター及び前記部品側コネクターを係合した際に前記コード側端子とそれぞれ係合可能な複数の部品側端子を有し、
前記コネクター結合検知回路は、
それぞれの前記部品側コネクターの列状に並んだ前記部品側端子のいずれか２つを内部で短絡させた複数の短絡配線部と、
前記短絡配線部の一端と他の前記短絡配線部の一端とを接続して、かかる接続を複数の前記短絡配線部間で行うことにより、複数の前記短絡配線部を直列に接続した直列配線部と、
直列に接続した前記短絡配線部のうち、一端側の前記短絡配線部の前記直列配線部を接続していない端部側の前記部品側端子と係合する前記コード側端子を、前記電源ユニットのプラス側電源に接続するプラス電源側配線部と、
直列に接続した前記短絡配線部のうち、他端側の前記短絡配線部の前記直列配線部を接続していない端部側の前記部品側端子と係合する前記コード側端子を、前記電源ユニットのマイナス側電源に接続するマイナス電源側配線部と、
前記コネクター結合検知回路の途中に直列接続した抵抗と、
前記コネクター結合検知回路の途中に直列接続して前記コネクター結合検知回路に電気信号が流れたことを外部に報知するための接続報知手段とを備えたことを特徴とする遊技機。
【請求項５】
正面側に開口する箱状の本体キャビネットと、
前記本体キャビネットの前面側の開口部を開閉自在に塞ぐ前扉と、
複数の図柄が表示される回転リールを回転させるためのリールユニットと、
遊技メダルを払い出すための払い出し装置と、
前記回転リール及び前記払い出し装置の作動を制御するための主制御装置と、
各部品に電力を供給する電源ユニットとを少なくとも部品として有する遊技機であって、
前記遊技機は、
少なくとも前記リールユニット及び前記主制御装置を有する交換ユニットと、
前記本体キャビネットに固定された部品に一方の端部が接続され、前記交換ユニットに固定された部品に他方の端部が接続されることにより、前記交換ユニットの各部品の入出力の電気信号を、前記本体キャビネット内部の部品に伝達可能な複数の接続コードと、
前記接続コードの接続状態を検知可能なコネクター結合検知回路とを備え、
前記接続コードの端部には、コード側コネクターを設け、
前記接続コードを接続する部品側には、前記コード側コネクターが係合可能な部品側コネクターを設け、
前記コード側コネクターは、その内部で接続コード内の配線と結線されるとともに列状に並んだ複数のコード側端子を有し、
前記部品側コネクターは、
その内部で部品内の配線と結線されるとともに前記コード側端子と対応する位置に列状に並び、且つ、前記コード側コネクター及び前記部品側コネクターを係合した際に前記コード側端子とそれぞれ係合可能な複数の部品側端子を有し、
前記コネクター結合検知回路は、
それぞれの前記コード側コネクターの列状に並んだ前記コード側端子のいずれか２つを内部で短絡させた複数の短絡配線部と、
前記短絡配線部の一端と他の前記短絡配線部の一端とを接続して、かかる接続を複数の前記短絡配線部間で行うことにより、複数の前記短絡配線部を直列に接続した直列配線部と、
直列に接続した前記短絡配線部のうち、一端側の前記短絡配線部の前記直列配線部を接続していない端部側の前記コード側端子と係合する前記部品側端子を、前記電源ユニットのプラス側電源に接続するプラス電源側配線部と、
直列に接続した前記短絡配線部のうち、他端側の前記短絡配線部の前記直列配線部を接続していない端部側の前記コード側端子と係合する前記部品側端子を、前記電源ユニットのマイナス側電源に接続するマイナス電源側配線部と、
前記コネクター結合検知回路の途中に直列接続した抵抗と、
前記コネクター結合検知回路の途中に直列接続して前記コネクター結合検知回路に電気信号が流れたことを外部に報知するための接続報知手段とを備えたことを特徴とする遊技機。
【請求項６】
正面側に開口する箱状の本体キャビネットと、
前記本体キャビネットの前面側の開口部を開閉自在に塞ぐ前扉と、
複数の図柄が表示される回転リールを回転させるためのリールユニットと、
遊技メダルを払い出すための払い出し装置と、
前記回転リール及び前記払い出し装置の作動を制御するための主制御装置と、
各部品に電力を供給する電源ユニットとを少なくとも部品として有する遊技機であって、
前記遊技機は、
少なくとも前記リールユニット及び前記主制御装置を有する交換ユニットと、
前記本体キャビネットに固定された部品に一方の端部が接続され、前記交換ユニットに固定された部品に他方の端部が接続されることにより、前記交換ユニットの各部品の入出力の電気信号を、前記本体キャビネット内部の部品に伝達可能な複数の接続コードと、
前記接続コードの接続状態を検知可能なコネクター結合検知回路とを備え、
前記接続コードの端部には、コード側コネクターを設け、
前記接続コードを接続する部品側には、前記コード側コネクターが係合可能な部品側コネクターを設け、
前記コード側コネクターは、その内部で接続コード内の配線と結線されるとともに列状に並んだ複数のコード側端子を有し、
前記部品側コネクターは、
その内部で部品内の配線と結線されるとともに前記コード側端子と対応する位置に列状に並び、且つ、前記コード側コネクター及び前記部品側コネクターを係合した際に前記コード側端子とそれぞれ係合可能な複数の部品側端子を有し、
前記コネクター結合検知回路は、
前記部品側コネクターの列状に並んだ前記部品側端子のいずれか２つを内部で短絡させた短絡配線部と、
前記短絡配線部の一端側の前記部品側端子と係合する前記コード側端子を、前記電源ユニットのプラス側電源に接続するプラス電源側配線部と、
前記短絡配線部の他端側の前記部品側端子と係合する前記コード側端子に一端が接続された中間配線部と、
前記中間配線部の他端が接続されるとともに、この中間配線部を介して、複数の接続コードの全ての前記短絡配線部の前記コード側端子からの電気信号が入力することを条件として、電気信号を出力する信号出力手段と、
前記信号出力手段に一端が接続された出力配線部と、
前記出力配線部からの電気信号が入力することを条件として、前記コネクター結合検知回路に電気信号が流れていることを外部に報知するための出力報知手段とを備えたことを特徴とする遊技機。
【請求項７】
正面側に開口する箱状の本体キャビネットと、
前記本体キャビネットの前面側の開口部を開閉自在に塞ぐ前扉と、
複数の図柄が表示される回転リールを回転させるためのリールユニットと、
遊技メダルを払い出すための払い出し装置と、
前記回転リール及び前記払い出し装置の作動を制御するための主制御装置と、
各部品に電力を供給する電源ユニットとを少なくとも部品として有する遊技機であって、
前記遊技機は、
少なくとも前記リールユニット及び前記主制御装置を有する交換ユニットと、
前記本体キャビネットに固定された部品に一方の端部が接続され、前記交換ユニットに固定された部品に他方の端部が接続されることにより、前記交換ユニットの各部品の入出力の電気信号を、前記本体キャビネット内部の部品に伝達可能な複数の接続コードと、
前記接続コードの接続状態を検知可能なコネクター結合検知回路とを備え、
前記接続コードの端部には、コード側コネクターを設け、
前記接続コードを接続する部品側には、前記コード側コネクターが係合可能な部品側コネクターを設け、
前記コード側コネクターは、その内部で接続コード内の配線と結線されるとともに列状に並んだ複数のコード側端子を有し、
前記部品側コネクターは、
その内部で部品内の配線と結線されるとともに前記コード側端子と対応する位置に列状に並び、且つ、前記コード側コネクター及び前記部品側コネクターを係合した際に前記コード側端子とそれぞれ係合可能な複数の部品側端子を有し、
前記コネクター結合検知回路は、
前記コード側コネクターの列状に並んだ前記コード側端子のいずれか２つを内部で短絡させた短絡配線部と、
前記短絡配線部の一端側の前記コード側端子と係合する前記部品側端子を、前記電源ユニットのプラス側電源に接続するプラス電源側配線部と、
前記短絡配線部の他端側の前記コード側端子と係合する前記部品側端子に一端が接続された中間配線部と、
前記中間配線部の他端が接続されるとともに、この中間配線部を介して、複数の接続コードの全ての前記短絡配線部の前記部品側端子からの電気信号が入力することを条件として、電気信号を出力する信号出力手段と、
前記信号出力手段に一端が接続された出力配線部と、
前記出力配線部からの電気信号が入力することを条件として、前記コネクター結合検知回路に電気信号が流れていることを外部に報知するための出力報知手段とを備えたことを特徴とする遊技機。
【請求項８】
前記出力報知手段は、
前記電源ユニットのプラス電源からマイナス電源まで接続された報知配線部と、
前記報知配線部の途中に直列接続した抵抗と、
前記報知配線部の途中に直列接続して、この報知配線部に電気信号が流れることを条件として、外部に報知するための接続報知手段と、
前記報知配線部の途中に直列接続して、前記出力配線部からの電気信号の入力を条件として、前記報知配線部に前記電源ユニットのプラス電源からの電源出力を流す接続報知制御手段とを備えたことを特徴とする請求項６又は請求項７記載の遊技機。
【請求項９】
主電源のプラス電源から、主電源を利用する主電源利用回路を介して、マイナス電源に接続される電源供給ラインの途中に、前記コネクター結合検知回路からの接続コードの接続状態が正常状態であることを示す電気信号が入力することを条件として、前記電源供給ラインに電力が供給されるように制御する主電源接続制御手段を設けたことを特徴とする請求項４又は請求項５に記載の遊技機。
【請求項１０】
前記主電源接続制御手段は、トランジスタスイッチであって、前記コネクター結合検知回路からの接続コードの接続状態が正常状態であることを示す電気信号が前記トランジスタスイッチのベースに入力するような配線で接続され、主電源からの電気信号が前記トランジスタスイッチのコレクタに入力するような配線で接続され、前記トランジスタスイッチのエミッタからの電気信号が前記主電源利用回路に入力するような配線で接続されていることを特徴とする請求項９に記載の遊技機。
【請求項１１】
前記コネクター結合検知回路は、
その途中に、遊技機の前記前扉が、開状態の場合に前記コネクター結合検知回路を導通させてＯＮ状態とし、
前記前扉が、閉状態の場合に前記コネクター結合検知回路を遮断してＯＦＦ状態とする扉連動スイッチを備え、
前記扉連動スイッチは、
前記コネクター結合検知回路のプラス電源側の配線に接続されるプラス側端子と、
前記コネクター結合検知回路のマイナス電源側の配線に接続されるマイナス側端子と、
前記プラス側端子及び前記マイナス側端子に当接することにより、前記プラス側端子及び前記マイナス側端子の間を導通状態とし、前記プラス側端子及び前記マイナス側端子から離れることにより、前記プラス側端子及び前記マイナス側端子の間の導通状態を解除可能な移動部と、
前記移動部を常時は、前記プラス側端子及び前記マイナス側端子に向かって付勢するばねと、
前記前扉の背面側から奥側に向かって突出し、前記前扉を閉状態とした場合に、前記移動部に当接して前記プラス側端子及び前記マイナス側端子から移動部を離れさせるようにした突出棒とを備え、
前記前扉を閉状態とした場合、前記突出棒が、前記移動部に当接して移動させ、前記プラス側端子及び前記マイナス側端子の導通状態を解除し、
前記前扉を開状態とした場合、前記突出棒が、前記移動部から離れてばねの付勢力により、前記移動部が前記プラス側端子及び前記マイナス側端子に当接して、前記プラス側端子及び前記マイナス側端子の導通状態を維持するようにしたことを特徴とする請求項１乃至８のいずれか１項に記載の遊技機。
【請求項１２】
前記信号出力手段は、Ｎ個の接続コードのそれぞれの前記短絡配線部からの電気信号を、（Ｎ−１）個のアンド回路による（Ｎ−１）個の論理積を行って、Ｎ個の前記短絡配線部の全てから電気信号が入力することを条件として、電気信号を出力する論理回路であって、
前記論理回路は、
Ｎ個の前記短絡配線部のうちの１番目と２番目の前記短絡配線部からの電気信号の配線を、第１のアンド回路の入力側に接続し、
その第１のアンド回路の出力配線と、３番目の前記短絡配線部からの配線とを、第２のアンド回路の入力側に接続し、
第２のアンド回路の出力配線と、４番目の短絡配線部からの配線とを、第３のアンド回路の入力側に接続し、
同様に繰り返すことにより、
第（Ｎ−２）のアンド回路の出力配線と、Ｎ番目の前記短絡配線部からの配線とを第（Ｎ−１）のアンド回路の入力側に接続し、
この第（Ｎ−１）のアンド回路の出力配線を前記接続報知制御手段に接続することを特徴とする請求項６乃至８のいずれか１項に記載の遊技機。
【請求項１３】
前記交換ユニットは、前記リールユニット及び前記主制御装置を固定するための枠体を備え、
前記コード側コネクターは、前記枠体の背面に背面方向に臨むように固定され、
前記部品側コネクターは、前記コード側コネクターと整合するように前記本体キャビネットの内面の奥側に正面方向に臨むように固定され、
前記交換ユニットの前記枠体を、前記本体キャビネット内部の固定位置に収めた状態のときに、前記コード側コネクター及び前記部品側コネクターの両者が、接続するように配置されていることを特徴とする請求項３、５、７、８、９、１０、１１、１２のいずれか１項に記載の遊技機。
【請求項１４】
前記コード側コネクター及び前記部品側コネクターは、それぞれ複数個、形成され、
複数の前記コード側コネクターは、前記枠体の背面の横方向にわたって列状に固定され、
複数の前記部品側コネクターは、前記本体キャビネットの内面の奥側に横方向にわたって、前記コード側コネクターと整合するような位置に、列状に固定されていることを特徴とする請求項１３記載の遊技機。
【請求項１５】
前記コード側コネクターは、前記枠体の背面の横方向に形成され、
前記短絡配線部は、前記コード側コネクターの列状に並んだ前記コード側端子の両端を短絡させていることを特徴とする請求項１３又は請求項１４記載の遊技機。
【請求項１６】
前記交換ユニットは、前記リールユニット及び前記主制御装置を固定するための枠体を備え、
前記遊技機は、前記枠体が本体キャビネットの内部の固定位置にあるか否かの確認をするための定位置確認回路を備え、
前記定位置確認回路は、
前記枠体の背面の左右に位置するとともに前記枠体の背面方向に臨む２つの枠体側接続確認端子と、
前記枠体を、前記本体キャビネット内部の固定位置に収めた状態のときに、前記枠体側接続確認端子とそれぞれ接続するように、前記本体キャビネットの内面の奥側の左右に位置するとともに前記本体キャビネットの正面方向に臨む２つの本体側接続確認端子と、
前記枠体側接続確認端子の２つを前記枠体内部で短絡させた枠体短絡配線部と、
前記本体側接続確認端子の一方を、前記電源ユニットのプラス側電源に接続するプラス側定位置確認配線部と、
前記本体接続確認端子の他方を、前記電源ユニットのマイナス側電源に接続するマイナス側定位置確認配線部と、
前記定位置確認回路の途中に直列接続した抵抗と、
前記定位置確認回路の著中に直列接続して前記定位置確認回路に電気信号が流れたことを外部に報知するための定位置報知手段とを備えたことを特徴とする請求項２乃至１２のいずれか１項に記載の遊技機。
【発明の詳細な説明】
【０００１】
【発明の属する技術分野】
この発明は、交換部品を有する遊技機において、交換部品の入出力の電気信号を遊技機の他の部品に接続する接続コードの結合状態の有無を検知することができるコネクター結合検知回路を有する遊技機に関するものである。
【０００２】
【従来の技術】
従来、パチンコ機や、スロットマシン等の遊技機を設置している遊技ホールでは、顧客のニーズや他店との競合で優位に立つために、遊技機の製造開発メーカーが開発した斬新なゲーム性をもつ、パチンコ機や、スロットマシンに新台入れ替えと称して、数か月に一度、あるいは、それよりも短いサイクルで交換するのが通例となっており、最近では、このサイクルが更に短くなる傾向にある。
【０００３】
そして、従来の遊技機においては、かかる新台入れ替えで遊技内容を変更する際には、遊技機全体を略まるごと交換しなければならなかった。しかし、遊技ホールにおいて、遊技内容を変更するための新台入れ替えの台交換の際、遊技内容の変更に無関係な部品も多数、同時に交換されることとなり、交換に要する費用がかかるだけでなく、資源の無駄になっていた。
【０００４】
そこで、近年、遊技内容に直接、影響するリールユニット及びこのリールユニットの回転リールの回転駆動等を制御する主基板（主制御装置）を、前扉に固定して、前扉ごと一体に本体キャビネットから着脱自在に形成して、交換可能とする発明がなされている（例えば、特許文献１、図１及び図３参照。）。
さらに、リールユニット及び主基板（主制御装置）を固定した前扉に、ホッパーユニット（メダル排出装置）や電源ユニット（電源装置）を固定して、前扉ごと一体に本体キャビネットから着脱自在に形成して交換可能にする発明がなされている（例えば、特許文献１、図４参照。）。
【０００５】
さらに、近年では、遊技機を、遊技性に関わる部分と、遊技性に直接関わらない部分とに分け、このうち遊技性に関わる部分を交換することにより、全体を略まるごと交換することなく、新しい遊技機で遊技しているかのような印象を与えることができる分離型の遊技機の開発が進められている。具体的には、枠体等の構造用部材に前記リールユニット及び主基板（主制御装置）を設置した交換ユニットを、本体キャビネット内部に着脱自在に形成して、新旧の交換作業を容易にしたスロットマシンに関する技術がある（例えば、特許文献２。）。
【０００６】
そして、上述した分離型の遊技機においては、遊技ホールの新台入れ替えの際に、部品交換を行わない固定部分と、部品交換を行う交換部分とに分けて、かかる交換部分を入れ替えることで、遊技機の機種の変更を行う。その場合、固定部分に設けられた部品と、交換部分の部品との間の電気的接続は、配線の束からなるハーネスと呼ばれる接続コードにより、電気的な回路を形成し、遊技機のシステム全体を構成していた。
【０００７】
そして、従来より、遊技機において、遊技機内部の部品間の電気的接続は、制御信号線や、電力線等の複数の配線の束からなるハーネスと呼ばれる接続コードにより、行われている（例えば、特許文献３、図３及び図６参照。）。
【０００８】
【特許文献１】
特開平１０−５２５２５号公報（第１図、第３図、第４図）
【特許文献２】
特開２００３−４７６８６号公報
【特許文献３】
特開２００２−２２４２７４号公報（第３図、第６図）
【０００９】
【発明が解決しようとする課題】
上記した従来の遊技機では、固定部分の部品同士の結線や、交換部分に含まれる部品同士の結線は、出荷前に、メーカーの製造工場において、専用の組立機械や、専用治具を使用して、組立行程に熟練し、組立に対する教育も受けた組立専門の作業者が、確実に行うことができ、その確認作業も、専用の試験検査器具等を用いて、簡単に行うことができる。
【００１０】
しかし、遊技ホールの島に固定される固定部分に設けられた部品と、新たに交換する交換部分の部品との間の接続は、全国各地の遊技ホールの現場で行うことが必要となる。また、新台入れ替えの際に交換する部品同士の間でも、安全や、保安上等の問題により、それらの間の結線作業は全国各地の遊技ホールの現場で行うことが必要となる場合がある。かかる交換作業に従事する作業者の中には、結線作業等に必ずしも熟練していない者が含まれることがある。しかも、接続コードにより、入出力の電気信号を接続する箇所は多数であり、作業者の不注意などにより接続ミスや、接続忘れが発生する可能性がある。かかる接続ミスが存在すると、遊技機が正常に作動しないという第一の問題点があった。
【００１１】
また、接続コードの接続不備があると、遊技機が正常に作動しないが、接続箇所が複数個、存在するような場合、いずれの接続箇所が接続不良であるのか、理解できない場合、全ての接続箇所をチェックしなければならず、チェック作業が手間であるという第二の問題点があった。
また、接続コードの一部に接続不良が存在する状態で、電源を投入すると、遊技機の部品内の電子機器等を破損してしまうおそれがあるという第三の問題点があった。
【００１２】
また、接続コードの接続箇所をチェックするような手段を設けると、一度、接続チェックを行って、正常に接続されていることが判明すると、その後、チェックするための手段を常時、作動させておく必要はなく、電力が無駄となる。このため、チェックするための手段をスイッチ等で停止させることが望ましい。しかし、かかるスイッチを、接続チェックの度に、その都度、手動により操作するのは煩雑であるという第四の問題点があった。
【００１３】
そこで、各請求項にそれぞれ記載された各発明は、上記した従来の技術の有する問題点に鑑みてなされたものであり、その目的とするところは、次の点にある。
（請求項１）
すなわち、請求項１記載の発明は、上記した従来の技術の有する第一及び第二の問題点に鑑みてなされたものであり、その目的とするところは、遊技部と制御装置との間の接続コードによる接続ミスや、接続忘れの発生を回避することができ、また、それらの接続チェックを容易にすることができるようにした遊技機を提供しようとするものである。
【００１４】
（請求項２及び３）
請求項２及び３記載の発明は、上記した従来の技術の有する第一及び第二の問題点に鑑みてなされたものであり、その目的とするところは、交換ユニット側の部品と、本体キャビネット内部の部品との間の接続コードによる接続ミスや、接続忘れの発生を回避することができ、また、それらの接続チェックも容易にすることができるようにした遊技機を提供しようとするものである。
【００１５】
（請求項４及び５）
請求項４及び５記載の発明は、上記した従来の技術の有する第一及び第二の問題点に鑑みてなされたものであり、その目的とするところは、交換ユニット側の部品と、本体キャビネット内部の部品との間の複数の接続コードにおける接続状態を、一つの接続報知手段を介して、確認することができて、複数の接続コードにおける接続ミスや、接続忘れの発生を回避することができるようにした遊技機を提供しようとするものである。
【００１６】
（請求項６及び７）
請求項６及び７記載の発明は、上記した従来の技術の有する第一及び第二の問題点に鑑みてなされたものであり、その目的とするところは、交換ユニット側の部品と、本体キャビネット内部の部品との間の複数の接続コードによる接続状態を、出力報知手段を介して、確認することができ、複数の接続コードによる接続ミスや、接続忘れの発生を回避することができるようにした遊技機を提供しようとするものである。
【００１７】
（請求項８）
請求項８記載の発明は、上記した請求項６又は請求項７に記載の発明の目的に加え、次の点を目的とする。
すなわち、請求項８記載の発明は、信号出力手段と、接続報知手段とに流れる適正電流値のレベルが異なるような場合でも、対応することができるようにした遊技機を提供しようとするものである。
【００１８】
（請求項９）
請求項９記載の発明は、上記した請求項４又は請求項５に記載の発明の目的に加え、次の点を目的とする。
すなわち、請求項９記載の発明は、上記した従来の技術の有する第三の問題点に鑑みてなされたものであり、その目的とするところは、接続コードが正常に接続されてない場合、主電源から主電源利用回路に電源出力が行われることを防止し、部品が破損するようなことを回避することができるようにした遊技機を提供しようとするものである。
【００１９】
（請求項１０）
請求項１０記載の発明は、上記した請求項９に記載の発明の目的に加え、次の点を目的とする。
すなわち、請求項１０記載の発明は、トランジスタスイッチを用いることにより、接続コードが正常に接続されてない場合、主電源から主電源利用回路に電源出力が行われることを防止し、部品が破損するようなことを回避することができるようにした遊技機を提供しようとするものである。
【００２０】
（請求項１１）
請求項１１記載の発明は、上記した請求項１乃至８のいずれか１項に記載の発明の目的に加え、次の点を目的とする。
すなわち、請求項１１記載の発明は、上記した従来の技術の有する第四の問題点に鑑みてなされたものであり、その目的とするところは、前扉を閉じる動作に連動して、かかるコネクター結合検知回路が作動しないようにすることができ、容易に電力の無駄を回避することができるようにした遊技機を提供しようとするものである。
【００２１】
（請求項１２）
請求項１２記載の発明は、上記した請求項６乃至８のいずれか１項に記載の発明の目的に加え、次の点を目的とする。
すなわち、請求項１２記載の発明は、信号出力手段が、全ての短絡配線部からの電気信号が入力することにより、電気信号を出力し、短絡配線部からの電気信号のうちの一つでも入力されなければ、最終的に、電気信号を出力しないことに基づいて、接続コードの接続状態を検知可能な遊技機を提供しようとするものである。
【００２２】
（請求項１３）
請求項１３記載の発明は、上記した請求項３、５、７、８、９、１０、１１、１２のいずれか１項に記載の発明の目的に加え、次の点を目的とする。
すなわち、請求項１３記載の発明は、交換ユニットの枠体が所定の固定位置に設置されているか否かの確認が可能な遊技機を提供しようとするものである。
【００２３】
（請求項１４）
請求項１４記載の発明は、上記した請求項１３に記載の発明の目的に加え、次の点を目的とする。
すなわち、請求項１４記載の発明は、枠体が所定の固定位置に収まったか否かの確認を、より確実に行うことができるようにした遊技機を提供しようとするものである。
【００２４】
（請求項１５）
請求項１５記載の発明は、上記した請求項１３又は請求項１４に記載の発明の目的に加え、次の点を目的とする。
すなわち、請求項１５記載の発明は、コネクター結合検知回路の検知能力の確実性を増すことができ、枠体が所定の固定位置に収まっている状態であることの確実性を増すことができるようにした遊技機を提供しようとするものである。
【００２５】
（請求項１６）
請求項１６記載の発明は、上記した請求項２乃至１２のいずれか１項に記載の発明の目的に加え、次の点を目的とする。
すなわち、請求項１６記載の発明は、交換ユニットの枠体と、本体キャビネット内部との取付ミスや、取付不良の発生を回避することができるようにした遊技機を提供しようとするものである。
【００２６】
【課題を解決するための手段】
（特徴点）
各請求項にそれぞれ記載された各発明は、上記した各目的を達成するためになされたものであり、各発明の特徴点を図面に示した発明の実施の形態を用いて、以下に説明する。
【００２７】
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものでない。
（請求項１）
請求項１記載の発明は、次の点を特徴とする。
【００２８】
すなわち、本実施の形態に係る遊技機は、構造用の部材である基体（８）と、前記基体（８）に取り付けられて遊技を行うことが可能な遊技部（９）と、前記遊技部（９）を制御するための制御装置（３５０）と、各部品に電力を供給する電源ユニット（４）とを少なくとも備えている。
そして、前記遊技機は、前記遊技部（９）に一方の端部が接続され、前記制御装置（３５０）に他方の端部が接続されることにより、前記制御装置（３５０）の入出力の電気信号を、前記遊技部（９）内部の部品に伝達可能な接続コード（１００）と、前記接続コード（１００）の接続状態を検知可能なコネクター結合検知回路（１１０）とを備えている。
【００２９】
そして、前記接続コード（１００）の端部には、コード側コネクター（１２０）を設け、前記接続コード（１００）を接続する部品側には、前記コード側コネクター（１２０）が係合可能な部品側コネクター（１３０）を設けている。
そして、前記コード側コネクター（１２０）は、その内部で接続コード（１００）内の配線と結線されるとともに列状に並んだ複数のコード側端子（１２１）を有している。
【００３０】
そして、前記部品側コネクター（１３０）は、その内部で部品内の配線と結線されるとともに前記コード側端子（１２１）と対応する位置に列状に並び、且つ、前記コード側コネクター（１２０）及び前記部品側コネクター（１３０）を係合した際に前記コード側端子（１２１）とそれぞれ係合可能な複数の部品側端子（１３１）を有している。
前記コネクター結合検知回路（１１０）は、前記部品側コネクター（１３０）の列状に並んだ前記部品側端子（１３１）のいずれか２つを内部で短絡させた短絡配線部（１４０）と、前記短絡配線部（１４０）の一端側の前記部品側端子（１３１）と係合する前記コード側端子（１２１）を、前記電源ユニット（４）のプラス側電源（２５０）に接続するプラス電源側配線部（１５０）と、前記短絡配線部（１４０）の他端側の前記部品側端子（１３１）と係合する前記コード側端子（１２１）を、前記電源ユニット（４）のマイナス側電源（２６０）に接続するマイナス電源側配線部（１６０）と、前記コネクター結合検知回路（１１０）の途中に直列接続した抵抗（１８０）と、前記コネクター結合検知回路（１１０）の途中に直列接続して前記コネクター結合検知回路（１１０）に電気信号が流れたことを外部に報知するための接続報知手段（１９０）とを備えたことを特徴とする。
【００３１】
本発明に係る遊技機は、具体的には、図１８に示すようなコネクター結合検知回路（１１０）を有するパチンコ機を含むものである。
具体的には、例えば、パチンコ機は、下方側の基礎に固定される四角枠状をなす外枠と、この外枠に対して着脱および開閉自在に組付けられるとともに、各種の遊技構成部材が集約的に搭載される前枠と、この前枠にセットされる遊技盤面と、前記前枠及び前記遊技盤面の装着されている各種の電子機器を総括的に制御するための制御装置（３５０）とを備えている。
【００３２】
ここで、「構造用の部材である基体（８）」とは、パチンコ機の場合、具体的には、前記外枠及び前記前枠が一体となったものを意味するものである。
また、ここで、前記基体（８）に取り付けられて遊技を行うことが可能な遊技部（９）」とは、具体的には、例えば、パチンコ機の場合、前記前枠に取り付けられる遊技盤面を意味するものである。
【００３３】
また、ここで、「前記遊技部（９）を制御するための制御装置（３５０）」とは、具体的には、例えば、パチンコ機の場合、パチンコ玉が入賞孔に入賞することにより、所定のランプ点滅や、液晶表示による演出を行わせたり、チューリップと呼ばれる入賞孔を所定時間だけ開く等の種々の特典を与えたりする等の遊技盤面に取り付けられた電子機器を制御するためのものである。
【００３４】
また、パチンコ機の場合、新台入れ替えの際、遊技内容を変更するためには、少なくとも、この遊技部（９）及び制御装置（３５０）を交換することにより、遊技内容を変更することができるものである。
ここで、「接続コード（１００）」は、具体的には、例えば、パチンコ機の場合、新台入れ替えの際、遊技部（９）と、制御装置（３５０）との間の電気信号をやり取り可能なコードや、電力をやりとり可能なコードを含むものであって、いわゆるハーネスとも呼ばれているものである。
【００３５】
また、ここで、「前記接続コードの接続状態を検知可能なコネクター結合検知回路」の「前記接続コードの一端側」とは、接続コード（１００）の遊技部（９）に接続される接続端部と、接続コード（１００）の制御装置（３５０）に接続される接続端部のいずれかを意味するものである。また、ここで、「接続状態を検知可能」とは、かかる接続コード（１００）と、遊技部（９）もしくは制御装置（３５０）との電気的接続が正常に接続されている状態か否かを検出することができる意味である。具体的には、コード側コネクター（１２０）のコード側端子（１２１）と、部品側コネクター（１３０）の部品側端子（１３１）とが導通されているか否かを検知することができる意味である。例えば、図１８に示すように、検知する接続端部が正常に接続されているならば、コネクター結合検知回路（１１０）に電流が流れ、そのコネクター結合検知回路（１１０）の途中に接続されている発光ダイオード（２００）が発光することにより、正常に接続されている状態か否かを検出することができるものである。
【００３６】
ここで、「コード側コネクター（１２０）」及び「部品側コネクター（１３０）」のいずれも、電線相互を接続するための電気部品であって、コード側コネクター（１２０）と部品側コネクター（１３０）とは互いに係合可能に形成されているものである。
また、ここで、「前記コード側コネクター（１２０）は、その内部で接続コード（１００）内の配線と結線されるとともに列状に並んだ複数のコード側端子（１２１）を有し」のうちの「列状」とは、具体的には、例えば、直線上の１列に等間隔で８個、ピン孔からなるコード側端子（１２１）が形成されているようなものを含むものである。もちろん、「列状」とあるのは、特に直線上に１列並んでいることに限定されるものではなく、二つの平行の直線上に２列、コード側端子（１２１）が並んでいるようなものも含むものであり、或いは、３列以上、並んでいるようなものも含まれるものである。そして、「部品側端子（１３１）」の説明中の「列状に並び」の「列状」も、上述したコード側端子（１２１）の「列状」と同様の意味である。そして、コード側端子（１２１）と、部品側端子（１３１）とは、それぞれ対応する位置に列状に並んでいるものである。そして、コード側コネクター（１２０）と部品側コネクター（１３０）とを係合すると、コード側端子（１２１）と部品側端子（１３１）とがそれぞれぴったりあうような位置に列状に配置されて、コード側端子（１２１）と部品側端子（１３１）とが、一つ一つ互いに係合するように形成されているものである。
【００３７】
また、ここで、「前記部品側コネクター（１３０）の列状に並んだ前記部品側端子（１３１）のいずれか２つを内部で短絡させた短絡配線部（１４０）」とは、具体的には、部品側端子（１３１）のいずれか二つの間を、部品側コネクター（１３０）の内部で、非常に小さい抵抗の導線で接続しているようなことを意味する。
また、ここで、「前記短絡配線部（１４０）の一端側の前記部品側端子（１３１）と係合する前記コード側端子（１２１）を、前記電源ユニット（４）のプラス側電源（２５０）に接続するプラス電源側配線部（１５０）」の「前記コード側端子（１２１）」とは、部品側コネクター（１３０）の短絡配線部（１４０）の一端側には、部品側端子（１３１）が接続されてあり、部品側コネクター（１３０）及びコード側コネクター（１２０）を係合する際、かかる部品側端子（１３１）に係合するコード側端子（１２１）を意味するものである。すなわち、部品側コネクター（１３０）とコード側コネクター（１２０）とを係合した際、部品側コネクター（１３０）の短絡配線部（１４０）の一端側の部品側端子（１３１）と、係合するコード側コネクター（１２０）のコード側端子（１２１）を意味する。そして、「プラス電源側配線部（１５０）」とは、上述したコード側端子（１２１）と、電源ユニット（４）のプラスの電源との間を接続するための配線を意味するものである。
【００３８】
また、ここで、「前記短絡配線部（１４０）の他端側の前記部品側端子（１３１）と係合する前記コード側端子（１２１）を、前記電源ユニット（４）のマイナス側電源（２６０）に接続するマイナス電源側配線部（１６０）」の「前記コード側端子（１２１）」とは、部品側コネクター（１３０）の短絡配線部（１４０）の他端側には、部品側端子（１３１）が接続されてあり、部品側コネクター（１３０）及びコード側コネクター（１２０）を係合する際、かかる部品側端子（１３１）に係合するコード側端子（１２１）を意味するものである。すなわち、部品側コネクター（１３０）とコード側コネクター（１２０）とを係合した際、部品側コネクター（１３０）の短絡配線部（１４０）の他端側の部品側端子（１３１）に係合するコード側コネクター（１２０）のコード側端子（１２１）を意味する。そして、「マイナス電源側配線部（１６０）」とは、上述したコード側端子（１２１）と、電源ユニット（４）のマイナスの電源（図中のアース記号で示されるもの）との間を接続するための配線を意味するものである。
【００３９】
また、ここで、「前記コネクター結合検知回路（１１０）の途中に直列接続し」とは、コネクター結合検知回路（１１０）の電源ユニット（４）のプラス側電源（２５０）（図中の一重マル記号）と、電源ユニット（４）のマイナス側電源（２６０）（図中のアース記号）との間の配線の途中に、直列的に接続されていることを意味するものである。したがって、抵抗（３２０）と、接続報知手段（１９０）とは、コネクター結合検知回路（１１０）の途中に直列に接続されているものであれば良いものであって、その挿入位置は、特に限定されないものである。
【００４０】
また、ここで、「前記コネクター結合検知回路（１１０）に電気信号が流れたことを外部に報知するための接続報知手段（１９０）」とは、コネクター結合検知回路（１１０）に電気信号が流れている状態であることを、外部に何らかの形で出力することができるようなものを意味するものである。この接続報知手段（１９０）は、具体的には、例えば、ランプや、発光ダイオード等を含むものである。
【００４１】
（作用）
本発明は、コード側コネクター（１２０）と部品側コネクター（１３０）とが正常に接続されている場合、すなわち、コード側コネクター（１２０）のコード側端子（１２１）と、部品側コネクター（１３０）の部品側端子（１３１）とが、互いに正常に接続されているような場合、プラス電源側配線部（１５０）の電流が、短絡配線部（１４０）を通って、抵抗（１８０）及び接続報知手段（１９０）を介して、マイナス電源側配線部（１６０）へ通じ、マイナス側の電源に通じる。その際、接続報知手段（１９０）に電気信号が流れて、コネクター結合検知回路（１１０）に電気信号が流れていることが外部に出力される。これにより、周囲の者は、コード側コネクター（１２０）と部品側コネクター（１３０）とが正常に接続されていることを知ることができる。
【００４２】
一方、本発明は、コード側コネクター（１２０）と部品側コネクター（１３０）とが、接続されていない場合や、何らかの理由により、正常に接続されていない場合、すなわち、コード側コネクター（１２０）のコード側端子（１２１）と、部品側コネクター（１３０）の部品側端子（１３１）とが、互いに正常に接続されていないような場合、プラス電源側配線部（１５０）の電流が、短絡配線部（１４０）を介して、マイナス電源側配線部（１６０）へ流れず、接続報知手段（１９０）にも電気信号が流れず、接続報知手段（１９０）からの外部への出力も行われない。これにより、周囲の者は、コード側コネクター（１２０）と、部品側コネクター（１３０）とが正常に接続されていないことを知ることができる。
【００４３】
このように、コード側コネクター（１２０）と、部品側コネクター（１３０）とが正常に接続されていれば、接続報知手段（１９０）からの出力により、正常な接続状態であることを知ることができ、正常に接続されていなければ、接続報知手段（１９０）からの出力が行われないことで、正常な接続状態でないことを知ることができる。このため、遊技部（９）と、制御装置（３５０）との間の接続コード（１００）による接続状態を、接続報知手段（１９０）を介して、確認することができる。これにより、遊技部（９）と、制御装置（３５０）との間の接続コード（１００）による接続ミスや、接続忘れの発生を回避することができて、遊技機を正常に作動させることができる。
【００４４】
そして、遊技部（９）と、制御装置（３５０）との間の接続コード（１００）による接続箇所が複数個、存在するような場合、上述したコネクター結合検知回路（１１０）をそれぞれ設けることにより、それらのうちの、いずれの接続コード（１００）の接続箇所の接続不良が原因で、遊技機が正常に作動しないか、接続箇所の特定を容易に理解することができる。これにより、接続箇所の接続不良が原因で、遊技機が正常に作動しない場合、全ての接続箇所をチェックする必要がなく、接続コード（１００）の接続チェック作業を容易にすることができる。
【００４５】
（請求項２）
請求項２記載の発明は、次の点を特徴とする。
すなわち、本発明に係る遊技機は、正面側に開口する箱状の本体キャビネット（１）と、前記本体キャビネット（１）の前面側の開口部（１１）を開閉自在に塞ぐ前扉（３）と、複数の図柄が表示される回転リール（２３）を回転させるためのリールユニット（２２）と、遊技メダルを払い出すための払い出し装置（５）と、前記回転リール（２３）及び前記払い出し装置（５）の作動を制御するための主制御装置（２５）と、各部品に電力を供給する電源ユニット（４）とを少なくとも部品として有する。
【００４６】
そして、前記遊技機は、少なくとも前記リールユニット（２２）及び前記主制御装置（２５）を有する交換ユニット（２）と、前記本体キャビネット（１）に固定された部品に一方の端部が接続され、前記交換ユニット（２）に固定された部品に他方の端部が接続されることにより、前記交換ユニット（２）の各部品の入出力の電気信号を、前記本体キャビネット（１）内部の部品に伝達可能な接続コード（１００）と、前記接続コード（１００）の接続状態を検知可能なコネクター結合検知回路（１１０）とを備えている。
【００４７】
そして、前記接続コード（１００）の端部には、コード側コネクター（１２０）を設け、前記接続コード（１００）を接続する部品側には、前記コード側コネクター（１２０）が係合可能な部品側コネクター（１３０）を設けている。
そして、前記コード側コネクター（１２０）は、その内部で接続コード（１００）内の配線と結線されるとともに列状に並んだ複数のコード側端子（１２１）を有し、前記部品側コネクター（１３０）は、その内部で部品内の配線と結線されるとともに前記コード側端子（１２１）と対応する位置に列状に並び、且つ、前記コード側コネクター（１２０）及び前記部品側コネクター（１３０）を係合した際に前記コード側端子（１２１）とそれぞれ係合可能な複数の部品側端子（１３１）を有している。
【００４８】
そして、前記コネクター結合検知回路（１１０）は、前記部品側コネクター（１３０）の列状に並んだ前記部品側端子（１３１）のいずれか２つを内部で短絡させた短絡配線部（１４０）と、前記短絡配線部（１４０）の一端側の前記部品側端子（１３１）と係合する前記コード側端子（１２１）を、前記電源ユニット（４）のプラス側電源（２５０）に接続するプラス電源側配線部（１５０）と、前記短絡配線部（１４０）の他端側の前記部品側端子（１３１）と係合する前記コード側端子（１２１）を、前記電源ユニット（４）のマイナス側電源（２６０）に接続するマイナス電源側配線部（１６０）と、前記コネクター結合検知回路（１１０）の途中に直列接続した抵抗（１８０）と、前記コネクター結合検知回路（１１０）の途中に直列接続して前記コネクター結合検知回路（１１０）に電気信号が流れたことを外部に報知するための接続報知手段（１９０）とを備えたことを特徴とする。
【００４９】
本発明に係る遊技機は、具体的には、図１に示すようなコネクター結合検知回路（１１０）を有するスロットマシン（Ｓ）を含むものである。
本発明は、交換ユニット（２）に固定された部品と、本体キャビネット（１）に固定された部品から延びる接続コード（１００）との接続状態を把握することができる。なお、ここで、「複数の図柄が表示される回転リール（４０）」とあるのは、必ずしも、周囲に複数の図柄を表示した円筒状のものが、実際に回転するようなものに限定されるものではなく、液晶画面に表示されるようなものも含まれるものである。
【００５０】
また、ここで、「回転リール（２３）を回転させるためのリールユニット（２２）」とは、回転リール（２３）を回転駆動させるための駆動モータを有するようなものを含むものであるが、さらに、回転リール（２３）が液晶画面に表示されるようなものである場合は、駆動モータ等は有さずに、液晶画面に、周囲に複数の図柄を表示した回転リール（２３）が回転するような画像を当該液晶装置によって遊技者に向かって表示するような表示手段を有するようなものも含まれるものである。
【００５１】
また、ここで、「前記回転リール（２３）及び前記払い出し装置（５）の作動を制御するための主制御装置（２５）」とは、回転リール（２３）の回転停止位置を制御し、その停止位置の結果により、払い出し装置（５）から遊技メダル等を遊技者に、予め定めた枚数だけ払い出しを行わせるものである。
また、ここで、「交換ユニット（２）」とは、具体的には、スロットマシン（Ｓ）の場合、少なくともリールユニット（２２）及び主制御装置（２５）を有するものであって、それらの部品が一体となっているものである。新台入れ替えの際、遊技内容を変更するためには、少なくとも、この交換ユニット（２）を交換することにより、遊技内容を変更することができるものである。
【００５２】
ここで、「接続コード（１００）」は、具体的には、例えば、スロットマシン（Ｓ）の場合、本体キャビネット（１）に固定されて新台入れ替えの際、交換されない部品（例えば、払い出し装置（５）や、電源ユニット（４）等）と、交換ユニット（２）に固定されて、新台入れ替えの際、交換する部品（例えば、主制御装置（２５）や、リールユニット（２２）等）との間の電気信号をやり取り可能なコードや、電力をやりとり可能なコードを含むものである。なお、ここで、本体キャビネット（１）に固定される部品とは、本体キャビネット（１）側に固定された状態で、新台入れ替えの際、原則として交換を要しない部品を意味するものであって、遊技内容の変更に直接的な影響を及ぼさない部品である。具体的には、例えば、払い出し装置（５）や、電源ユニット（４）等を含み、新台入れ替えで遊技内容が変更されても、その役割や機能は、基本的に同一である部品である。また、ここで、交換ユニット（２）に固定される部品とは、新台入れ替えの際、原則として交換を要する部品を意味するものであって、遊技内容の変更に直接的に影響を及ぼす部品である。具体的には、例えば、回転リール（２３）を有するリールユニット（２２）や、主制御装置（２５）等を含むものである。
【００５３】
また、ここで、「前記接続コード（１００）の接続状態を検知可能なコネクター結合検知回路（１１０）」の「前記接続コードの一端側」とは、接続コード（１００）の本体キャビネット（１）側に取り付けられる部品に接続される接続端部と、接続コード（１００）の交換ユニット（２）側に接続される接続端部のいずれか一方の接続端部を意味するものである。また、ここで、「接続状態を検知可能」とは、かかる接続コード（１００）と、本体キャビネット（１）側に取り付けられて新台入れ替えの際、原則として交換を要しない部品との間の電気的接続が正常に接続されている状態か否かを検出することができること、或いは、接続コード（１００）と、交換ユニット（２）内の部品との間の電気的接続が正常に接続されている状態か否かを検出することができることを意味するものである。具体的には、コード側コネクター（１２０）のコード側端子（１２１）と、部品側コネクター（１３０）の部品側端子（１３１）とが導通されているか否かを検知することができる意味である。例えば、図１に示すように、検知する接続端部が正常に接続されているならば、コネクター結合検知回路（１１０）に電流が流れ、そのコネクター結合検知回路（１１０）の途中に接続されている発光ダイオード（２００）が発光することにより、正常に接続されている状態か否かを検出することができるものである。
【００５４】
ここで、「コード側コネクター（１２０）」及び「部品側コネクター（１３０）」のいずれも、電線相互を接続するための電気部品であって、コード側コネクター（１２０）と部品側コネクター（１３０）とは、互いに係合可能に形成されているものである。例えば、コード側コネクター（１２０）と部品側コネクター（１３０）とは、一方が、凸状に形成され、他方が前記凸状を内部に挿入可能な凹状に形成されているようなものを含むものである。
【００５５】
また、ここで、「前記コード側コネクター（１２０）は、その内部で接続コード（１００）内の配線と結線されるとともに列状に並んだ複数のコード側端子（１２１）を有し」のうちの「列状」とは、具体的には、例えば、直線上の１列に等間隔で８個、ピン孔からなるコード側端子（１２１）が形成されているようなものを含むものである。もちろん、「列状」とあるのは、特に直線上に１列並んでいることに限定されるものではなく、二つの平行の直線上に２列にコード側端子（１２１）が並んでいるようなものも含むものであり、或いは、３列以上に並んでいるようなものも含まれるものである。そして、「部品側端子（１３１）」の説明中の「列状に並び」の「列状」も、上述したコード側端子（１２１）の「列状」と同様の意味である。そして、コード側端子（１２１）と、部品側端子（１３１）とは、それぞれ対応する位置に列状に並んでいるものである。そして、コード側コネクター（１２０）と部品側コネクター（１３０）とを係合すると、コード側端子（１２１）と部品側端子（１３１）とがそれぞれぴったりあうような位置に列状に配置されて、コード側端子（１２１）と部品側端子（１３１）とが、一つ一つ互いに係合するように形成されているものである。
【００５６】
また、ここで、「前記部品側コネクター（１３０）の列状に並んだ前記部品側端子（１３１）のいずれか２つを内部で短絡させた短絡配線部（１４０）」とは、具体的には、部品側端子（１３１）のいずれか二つの間を、部品側コネクター（１３０）の内部で、非常に小さい抵抗の導線で接続しているようなことを意味する。
また、ここで、「前記短絡配線部（１４０）の一端側の前記部品側端子（１３１）と係合する前記コード側端子（１２１）を、前記電源ユニット（４）のプラス側電源（２５０）に接続するプラス電源側配線部（１５０）」の「前記コード側端子（１２１）」とは、部品側コネクター（１３０）の短絡配線部（１４０）の一端側には、部品側端子（１３１）が接続されてあり、部品側コネクター（１３０）及びコード側コネクター（１２０）を係合する際、かかる部品側端子（１３１）に係合するコード側コネクター（１２０）のコード側端子（１２１）を意味するものである。すなわち、部品側コネクター（１３０）とコード側コネクター（１２０）とを係合した際、部品側コネクター（１３０）の短絡配線部（１４０）の一端側の部品側端子（１３１）に係合するコード側コネクター（１２０）のコード側端子（１２１）を意味する。そして、「プラス電源側配線部（１５０）」とは、上述したコード側端子（１２１）と、電源ユニット（４）のプラスの電源との間を接続するための配線を意味するものである。
【００５７】
また、ここで、「前記短絡配線部（１４０）の他端側の前記部品側端子（１３１）と係合する前記コード側端子（１２１）を、前記電源ユニット（４）のマイナス側電源（２６０）に接続するマイナス電源側配線部（１６０）」の「前記コード側端子（１２１）」とは、部品側コネクター（１３０）の短絡配線部（１４０）の他端側には、部品側端子（１３１）が接続されてあり、部品側コネクター（１３０）及びコード側コネクター（１２０）を係合する際、かかる部品側端子（１３１）に係合するコード側端子（１２１）を意味するものである。すなわち、部品側コネクター（１３０）とコード側コネクター（１２０）とを係合した際、部品側コネクター（１３０）の短絡配線部（１４０）の他端側の部品側端子（１３１）に係合するコード側コネクター（１２０）のコード側端子（１２１）を意味する。そして、「マイナス電源側配線部（１６０）」とは、上述したコード側端子（１２１）と、電源ユニット（４）のマイナスの電源（図中のアース記号で示されるもの）との間を接続するための配線を意味するものである。
【００５８】
また、ここで、「前記コネクター結合検知回路（１１０）の途中に直列接続し」とは、電源ユニット（４）のプラス側電源（２５０）（図中の１重マル記号）と、電源ユニット（４）のマイナス側電源（２６０）（図中のアース記号）との間の配線の途中に、直列的に接続されていることを意味するものである。したがって、抵抗（３２０）と、接続報知手段（１９０）とは、コネクター結合検知回路（１１０）の途中に直列に接続されてあれば、その挿入箇所は、特に限定されないものである。また、両者のコネクター結合検知回路（１１０）の配線への挿入位置は、特に順番も特定されないものである。具体的には、例えば、図１では、抵抗（３２０）は、プラス電源側配線部（１５０）の途中に直列接続され、接続報知手段（１９０）は、マイナス電源側配線部（１６０）の途中に直列接続されているが、この抵抗（３２０）及び接続報知手段（１９０）の挿入位置は、これに限定されるものではなく、両者をプラス電源側配線部（１５０）の途中に挿入してもよく、また、マイナス電源側配線部（１６０）の途中に挿入してもよいものである。また、抵抗（３２０）と接続報知手段（１９０）の位置関係も特に限定されるものではなく、抵抗（３２０）をマイナス電源側配線部（１６０）の途中に直列接続して、接続報知手段（１９０）をプラス電源側配線部（１５０）の途中に直列接続しても良いものである。
【００５９】
また、ここで、「前記コネクター結合検知回路（１１０）に電気信号が流れたことを外部に報知するための接続報知手段（１９０）」とは、コネクター結合検知回路（１１０）に電気信号が流れている状態であることを、外部に何らかの形で出力することができるようなものを意味するものである。この接続報知手段（１９０）は、具体的には、例えば、ランプや、発光ダイオード等を含むものである。
【００６０】
（作用）
本発明は、コード側コネクター（１２０）と部品側コネクター（１３０）とが正常に接続されている場合、すなわち、コード側コネクター（１２０）のコード側端子（１２１）と、部品側コネクター（１３０）の部品側端子（１３１）とが、互いに正常に接続されているような場合、プラス電源側配線部（１５０）の電流が、短絡配線部（１４０）を通って、抵抗（１８０）及び接続報知手段（１９０）を介して、マイナス電源側配線部（１６０）へ通じ、マイナス側の電源に通じる。その際、接続報知手段（１９０）に電気信号が流れて、コネクター結合検知回路（１１０）に電気信号が流れていることが外部に出力される。これにより、周囲の者は、コード側コネクター（１２０）と部品側コネクター（１３０）とが正常に接続されていることを知ることができる。
【００６１】
一方、本発明は、コード側コネクター（１２０）と部品側コネクター（１３０）とが、接続されていない場合や、何らかの理由により、正常に接続されていない場合、すなわち、コード側コネクター（１２０）のコード側端子（１２１）と、部品側コネクター（１３０）の部品側端子（１３１）とが、互いに正常に接続されていないような場合、プラス電源側配線部（１５０）の電流が、短絡配線部（１４０）を介して、マイナス電源側配線部（１６０）へ流れず、接続報知手段（１９０）にも電気信号が流れず、接続報知手段（１９０）からの外部への出力も行われない。これにより、周囲の者は、コード側コネクター（１２０）と、部品側コネクター（１３０）とが正常に接続されていないことを知ることができる。
【００６２】
このように、作業者は、コード側コネクター（１２０）と、部品側コネクター（１３０）とが正常に接続されていれば、接続報知手段（１９０）からの出力により、正常な接続状態であることを知ることができ、正常に接続されていなければ、接続報知手段（１９０）からの出力が行われないことで、正常な接続状態でないことを知ることができる。このため、交換ユニット（２）側の部品と、本体キャビネット（１）内部の部品との間の接続コード（１００）による接続状態を、接続報知手段（１９０）を介して、確認することができる。これにより、交換ユニット（２）側の部品と、本体キャビネット（１）内部の部品との間の接続コード（１００）による接続ミスや、接続忘れの発生を回避することができて、遊技機を正常に作動させることができる。
【００６３】
そして、交換ユニット（２）側の部品と、本体キャビネット（１）側の部品との間の接続コード（１００）による接続箇所が複数個、存在するような場合、上述したコネクター結合検知回路（１１０）をそれぞれ設けることにより、それらのうちの、いずれの接続コード（１００）の接続箇所の接続不良が原因で、遊技機が正常に作動しないか、接続箇所の特定を容易に理解することができる。これにより、接続箇所の接続不良が原因で、遊技機が正常に作動しない場合、全ての接続箇所をチェックする必要がなく、接続コード（１００）の接続チェック作業を容易にすることができる。
【００６４】
（請求項３）
請求項３記載の発明は、次の点を特徴とする。
すなわち、本発明に係る遊技機は、正面側に開口する箱状の本体キャビネット（１）と、前記本体キャビネット（１）の前面側の開口部（１１）を開閉自在に塞ぐ前扉（３）と、複数の図柄が表示される回転リール（２３）を回転させるためのリールユニット（２２）と、遊技メダルを払い出すための払い出し装置（５）と、前記回転リール（２３）及び前記払い出し装置（５）の作動を制御するための主制御装置（２５）と、各部品に電力を供給する電源ユニット（４）とを少なくとも部品として有する。
【００６５】
そして、前記遊技機は、少なくとも前記リールユニット（２２）及び前記主制御装置（２５）を有する交換ユニット（２）と、前記本体キャビネット（１）に固定された部品に一方の端部が接続され、前記交換ユニット（２）に固定された部品に他方の端部が接続されることにより、前記交換ユニット（２）の各部品の入出力の電気信号を、前記本体キャビネット（１）内部の部品に伝達可能な接続コード（１００）と、前記接続コード（１００）の接続状態を検知可能なコネクター結合検知回路（１１０）とを備えている。
【００６６】
そして、前記接続コード（１００）の端部には、コード側コネクター（１２０）を設け、前記接続コード（１００）を接続する部品側には、前記コード側コネクター（１２０）が係合可能な部品側コネクター（１３０）を設けている。
そして、前記コード側コネクター（１２０）は、その内部で接続コード（１００）内の配線と結線されるとともに列状に並んだ複数のコード側端子（１２１）を有し、前記部品側コネクター（１３０）は、その内部で部品内の配線と結線されるとともに前記コード側端子（１２１）と対応する位置に列状に並び、且つ、前記コード側コネクター（１２０）及び前記部品側コネクター（１３０）を係合した際に前記コード側端子（１２１）とそれぞれ係合可能な複数の部品側端子（１３１）を有している。
【００６７】
そして、前記コネクター結合検知回路（１１０）は、前記コード側コネクター（１２０）の列状に並んだ前記コード側端子（１２１）のいずれか２つを内部で短絡させた短絡配線部（１４０）と、前記短絡配線部（１４０）の一端側の前記コード側端子（１２１）と係合する前記部品側端子（１３１）を、前記電源ユニット（４）のプラス側電源（２５０）に接続するプラス電源側配線部（１５０）と、前記短絡配線部（１４０）の他端側の前記コード側端子（１２１）と係合する前記部品側端子（１３１）を、前記電源ユニット（４）のマイナス側電源（２６０）に接続するマイナス電源側配線部（１６０）と、前記コネクター結合検知回路（１１０）の途中に直列接続した抵抗（１８０）と、前記コネクター結合検知回路（１１０）の途中に直列接続して前記コネクター結合検知回路（１１０）に電気信号が流れたことを外部に報知するための接続報知手段（１９０）とを備えたことを特徴とする。
【００６８】
本発明に係る遊技機は、具体的には、図１２に示すようなコネクター結合検知回路（１１０）を有するスロットマシン（Ｓ）を含むものである。
本発明は、本体キャビネット（１）に固定された部品と、交換ユニット（２）に固定された部品から延びる接続コード（１００）との接続状態を把握することができる。なお、ここで、「複数の図柄が表示される回転リール（４０）」、「回転リール（２３）を回転させるためのリールユニット（２２）」、「前記回転リール（２３）及び前記払い出し装置（５）の作動を制御するための主制御装置（２５）」、「交換ユニット（２）」、「接続コード（１００）」、「前記接続コードの一端側」、「接続状態を検知可能」、「コード側コネクター（１２０）」、「部品側コネクター（１３０）」、「前記コード側コネクター（１２０）は、その内部で接続コード（１００）内の配線と結線されるとともに列状に並んだ複数のコード側端子（１２１）を有し」のうちの「列状」、「部品側端子（１３１）」の説明中の「列状に並び」の「列状」の説明は、請求項２の手段の記載で説明したものと同一であるため、それらの説明を省略する。
【００６９】
また、ここで、「前記コード側コネクター（１２０）の列状に並んだ前記コード側端子（１２１）のいずれか２つを内部で短絡させた短絡配線部（１４０）」とは、具体的には、コード側端子（１２１）のいずれか二つの間を、コード側コネクター（１２０）の内部で、非常に小さい抵抗の導線で接続しているようなことを意味する。
また、ここで、「前記短絡配線部（１４０）の一端側の前記コード側端子（１２１）と係合する前記部品側端子（１３１）を、前記電源ユニット（４）のプラス側電源（２５０）に接続するプラス電源側配線部（１５０）」のうちの「前記部品側端子（１３１）」とは、コード側コネクター（１２０）の短絡配線部（１４０）の一端側には、コード側端子（１２１）が接続されてあり、部品側コネクター（１３０）及びコード側コネクター（１２０）を係合する際、かかるコード側端子（１２１）に係合する部品側コネクター（１３０）の部品側端子（１３１）を意味するものである。すなわち、部品側コネクター（１３０）とコード側コネクター（１２０）とを係合した際、コード側コネクター（１２０）の短絡配線部（１４０）の一端側のコード側端子（１２１）に係合する部品側コネクター（１３０）の部品側端子（１３１）を意味する。
【００７０】
そして、「プラス電源側配線部（１５０）」とは、上述した部品側端子（１３１）と、電源ユニット（４）のプラスの電源との間を接続するための配線を意味するものである。
また、ここで、「前記短絡配線部（１４０）の他端側の前記コード側端子（１２１）と係合する前記部品側端子（１３１）を、前記電源ユニット（４）のマイナス側電源（２６０）に接続するマイナス電源側配線部（１６０）」の「前記部品側端子（１３１）」とは、コード側コネクター（１２０）の短絡配線部（１４０）の他端側には、コード側端子（１２１）が接続されてあり、部品側コネクター（１３０）及びコード側コネクター（１２０）を係合する際、かかるコード側端子（１２１）に係合する部品側端子（１３１）を意味するものである。すなわち、部品側コネクター（１３０）とコード側コネクター（１２０）とを係合した際、コード側コネクター（１２０）の短絡配線部（１４０）の他端側のコード側端子（１２１）に係合する部品側コネクター（１３０）の部品側端子（１３１）を意味する。
【００７１】
そして、「マイナス電源側配線部（１６０）」とは、上述した部品側端子（１３１）と、電源ユニット（４）のマイナスの電源（図中のアース記号で示されるもの）との間を接続するための配線を意味するものである。
また、ここで、「前記コネクター結合検知回路（１１０）の途中に直列接続し」、「前記コネクター結合検知回路（１１０）に電気信号が流れたことを外部に報知するための接続報知手段（１９０）」の記載は、請求項２の手段で説明したものと同一であるため、説明を省略する。
【００７２】
（作用）
本発明に係る作用は、請求項２記載の作用と同一であるため、それらの説明を省略する。
（請求項４）
請求項４記載の発明は、次の点を特徴とする。
【００７３】
すなわち、本発明に係る遊技機は、正面側に開口する箱状の本体キャビネット（１）と、前記本体キャビネット（１）の前面側の開口部（１１）を開閉自在に塞ぐ前扉（３）と、複数の図柄が表示される回転リール（２３）を回転させるためのリールユニット（２２）と、遊技メダルを払い出すための払い出し装置（５）と、前記回転リール（２３）及び前記払い出し装置（５）の作動を制御するための主制御装置（２５）と、各部品に電力を供給する電源ユニット（４）とを少なくとも部品として有する。
【００７４】
そして、前記遊技機は、少なくとも前記リールユニット（２２）及び前記主制御装置（２５）を有する交換ユニット（２）と、前記本体キャビネット（１）に固定された部品に一方の端部が接続され、前記交換ユニット（２）に固定された部品に他方の端部が接続されることにより、前記交換ユニット（２）の各部品の入出力の電気信号を、前記本体キャビネット（１）内部の部品に伝達可能な複数の接続コード（１００）と、前記接続コード（１００）の接続状態を検知可能なコネクター結合検知回路（１１０）とを備えている。
【００７５】
そして、前記接続コード（１００）の端部には、コード側コネクター（１２０）を設け、前記接続コード（１００）を接続する部品側には、前記コード側コネクター（１２０）が係合可能な部品側コネクター（１３０）を設けている。
そして、前記コード側コネクター（１２０）は、その内部で接続コード（１００）内の配線と結線されるとともに列状に並んだ複数のコード側端子（１２１）を有し、前記部品側コネクター（１３０）は、その内部で部品内の配線と結線されるとともに前記コード側端子（１２１）と対応する位置に列状に並び、且つ、前記コード側コネクター（１２０）及び前記部品側コネクター（１３０）を係合した際に前記コード側端子（１２１）とそれぞれ係合可能な複数の部品側端子（１３１）を有している。
【００７６】
そして、前記コネクター結合検知回路（１１０）は、それぞれの前記部品側コネクター（１３０）の列状に並んだ前記部品側端子（１３１）のいずれか２つを内部で短絡させた複数の短絡配線部（１４０）と、前記短絡配線部（１４０）の一端と他の前記短絡配線部（１４０）の一端とを接続して、かかる接続を複数の前記短絡配線部（１４０）間で行うことにより、複数の前記短絡配線部（１４０）を直列に接続した直列配線部（１７０）と、直列に接続した前記短絡配線部（１４０）のうち、一端側の前記短絡配線部（１４０）の前記直列配線部（１７０）を接続していない端部側の前記部品側端子（１３１）と係合する前記コード側端子（１２１）を、前記電源ユニット（４）のプラス側電源（２５０）に接続するプラス電源側配線部（１５０）と、直列に接続した前記短絡配線部（１４０）のうち、他端側の前記短絡配線部（１４０）の前記直列配線部（１７０）を接続していない端部側の前記部品側端子（１３１）と係合する前記コード側端子（１２１）を、前記電源ユニット（４）のマイナス側電源（２６０）に接続するマイナス電源側配線部（１６０）と、前記コネクター結合検知回路（１１０）の途中に直列接続した抵抗（１８０）と、前記コネクター結合検知回路（１１０）の途中に直列接続して前記コネクター結合検知回路（１１０）に電気信号が流れたことを外部に報知するための接続報知手段（１９０）とを備えたことを特徴とする。
【００７７】
本発明に係る遊技機は、具体的には、図７（第二の実施の形態）に示すようなコネクター結合検知回路（１１０）を有するスロットマシン（Ｓ）を含むものである。
本発明は、交換ユニット（２）に固定された部品と、本体キャビネット（１）に固定された部品から延びる接続コード（１００）との接続状態を把握することができるものである。
【００７８】
請求項２記載の発明が、一つの接続コード（１００）に対して、一つのコネクター結合検知回路（１１０）を形成していたのに対して、請求項４記載の発明は、複数の接続コード（１００）を一体とした一つのコネクター結合検知回路（１１０）を形成していることに特徴を有するものである。
なお、ここで、「複数の図柄が表示される回転リール（４０）」、「回転リール（２３）を回転させるためのリールユニット（２２）」、「前記回転リール（２３）及び前記払い出し装置（５）の作動を制御するための主制御装置（２５）」、「交換ユニット（２）」、「接続コード（１００）」、「前記接続コード（１００）の接続状態を検知可能なコネクター結合検知回路（１１０）」の「前記接続コードの一端側」、「接続状態を検知可能」、「コード側コネクター（１２０）」、「部品側コネクター（１３０）」、「前記コード側コネクター（１２０）は、その内部で接続コード（１００）内の配線と結線されるとともに列状に並んだ複数のコード側端子（１２１）を有し」のうちの「列状」、「部品側端子（１３１）」の説明中の「列状に並び」の「列状」の説明は、請求項２の手段の記載で説明したものと同一であるため、それらの説明を省略する。
【００７９】
なお、本発明に係る接続コード（１００）は、複数個、存在していることが前提となるものである。
また、ここで、「それぞれの前記部品側コネクター（１３０）の列状に並んだ前記部品側端子（１３１）のいずれか２つを内部で短絡させた複数の短絡配線部（１４０）」とは、具体的には、複数の接続コード（１００）のコード側コネクター（１２０）にそれぞれ対応する各部品側コネクター（１３０）において、部品側端子（１３１）のいずれか二つの間を、部品側コネクター（１３０）の内部で、非常に小さい抵抗の導線で接続しているようなことを意味する。
【００８０】
また、ここで、「前記短絡配線部（１４０）の一端と他の前記短絡配線部（１４０）の一端とを接続して、かかる接続を複数の前記短絡配線部（１４０）間で行うことにより、複数の前記短絡配線部（１４０）を直列に接続した直列配線部（１７０）」の「直列配線部（１７０）」とは、具体的には、ｎ個の短絡配線部（１４０）を、互いの間隔をあけて、直線上に、並べ、それらのｎ個の短絡配線部（１４０）同士の（ｎ−１）個の間を、直列的に接続するような配線を意味するものである。具体的には、第１番目の短絡配線部（１４０）の終端と、第２番目の短絡配線部（１４０）の先端とを配線により接続し、第２番目の短絡配線部（１４０）の終端と、第３番目の短絡配線部（１４０）の先端とを配線により接続し、第３番目の短絡配線部（１４０）の終端と、第４番目の短絡配線部（１４０）の先端とを配線で接続し、これを繰り返して、第（ｎ−１）番目の短絡配線部（１４０）の終端と、第ｎ番目の短絡配線部（１４０）の先端とを配線により接続するようなものである。そして、ｎ個の短絡配線部（１４０）と、（ｎ−１）個のそれらの間の直列配線部（１７０）とは、一本の連続する線、いわゆる直列状に配置されるようなものである。具体的には、図７に示すように、４個の接続コード（１００）のそれぞれに短絡配線部（１４０）が形成され、かかる４個の短絡配線部（１４０）の間の３カ所の配線を直列配線部（１７０）と設定しているものである。
【００８１】
また、ここで、「直列に接続した前記短絡配線部（１４０）のうち、一端側の前記短絡配線部（１４０）の前記直列配線部（１７０）を接続していない端部側の前記部品側端子（１３１）と係合する前記コード側端子（１２１）を、前記電源ユニット（４）のプラス側電源（２５０）に接続するプラス電源側配線部（１５０）」のうちの「直列に接続した前記短絡配線部（１４０）のうち、一端側の前記短絡配線部（１４０）」とは、一本の連続する線上に直列状に並べた複数の短絡配線部（１４０）のうちの、いずれか一方の端側に配置された短絡配線部（１４０）を意味するものである。具体的には、上述した第１番目から第ｎ番目までの合計ｎ個の短絡配線部（１４０）を直列配線部（１７０）により直列的に接続しているような例の場合、一端側の短絡配線部（１４０）とは、第１番目の短絡配線部（１４０）或いは第ｎ番目の短絡配線部（１４０）のいずれかを意味するものである。
【００８２】
そして、「一端側の前記短絡配線部（１４０）の前記直列配線部（１７０）を接続していない端部側の前記部品側端子（１３１）」とは、上述したような一本の連続する線上に直列状に並べた複数の短絡配線部（１４０）のうちの、いずれか一方の端側に配置された短絡配線部（１４０）の両端端部のうち、一方には、隣接する他の短絡配線部（１４０）に向かって直列配線部（１７０）が接続されてあり、他方には、直列配線部（１７０）が接続されていない。かかる場合の当該短絡配線部（１４０）の端部のうちの、直列配線部（１７０）が接続されていない方の端部に接続されている部品側端子（１３１）を意味するものである。
【００８３】
そして、「一端側の前記短絡配線部（１４０）の前記直列配線部（１７０）を接続していない端部側の前記部品側端子（１３１）と係合する前記コード側端子（１２１）」の「コード側端子（１２１）」とは、コード側コネクター（１２０）及び部品側コネクター（１３０）を係合した場合、上述した短絡配線部（１４０）の端部のうちの、直列配線部（１７０）が接続されていない方の端部に接続されている部品側端子（１３１）に、係合するコード側端子（１２１）を意味するものである。
【００８４】
そして、「前記コード側端子（１２１）を、前記電源ユニット（４）のプラス側電源（２５０）に接続するプラス電源側配線部（１５０）」とは、上述したようなコード側端子（１２１）と、電源ユニット（４）のプラス側電源（２５０）とを接続している配線を、プラス電源側配線部（１５０）と設定しているものである。
また、ここで、「直列に接続した前記短絡配線部（１４０）のうち、他端側の前記短絡配線部（１４０）の前記直列配線部（１７０）を接続していない端部側の前記部品側端子（１３１）と係合する前記コード側端子（１２１）を、前記電源ユニット（４）のマイナス側電源（２６０）に接続するマイナス電源側配線部（１６０）」のうちの、「直列に接続した前記短絡配線部（１４０）のうち、他端側の前記短絡配線部（１４０）」とは、一本の連続する線上に直列状に並べた複数の短絡配線部（１４０）のうちの、他端側、すなわち、上述したプラス電源側配線部（１５０）が形成されていない方の端部に配置された短絡配線部（１４０）を意味するものである。具体的には、上述した第１番目から第ｎ番目までの合計ｎ個の短絡配線部（１４０）を直列配線部（１７０）により直列的に接続しているような例の場合、プラス電源側配線部（１５０）を第１番目の短絡配線部（１４０）に形成したときは第ｎ番目の短絡配線部（１４０）を意味するものである。
【００８５】
そして、「他端側の前記短絡配線部（１４０）の前記直列配線部（１７０）を接続していない端部側の前記部品側端子（１３１）」とは、上述したような一本の連続する線上に直列状に並べた複数の短絡配線部（１４０）のうちの、プラス電源側配線部（１５０）を形成していない方の端側に配置された短絡配線部（１４０）の両端端部のうち、一方には、隣接する他の短絡配線部（１４０）に向かって直列配線部（１７０）が接続されてあり、他方には、直列配線部（１７０）が接続されていない。かかる場合の当該短絡配線部（１４０）の端部のうちの、直列配線部（１７０）が接続されていない方の端部に接続されている部品側端子（１３１）を意味するものである。
【００８６】
そして、「他端側の前記短絡配線部（１４０）の前記直列配線部（１７０）を接続していない端部側の前記部品側端子（１３１）と係合する前記コード側端子（１２１）」の「コード側端子（１２１）」とは、コード側コネクター（１２０）及び部品側コネクター（１３０）を係合した場合、上述した短絡配線部（１４０）の端部のうちの、直列配線部（１７０）が接続されていない方の端部に接続されている部品側端子（１３１）に、係合するコード側端子（１２１）を意味するものである。
【００８７】
そして、「前記コード側端子（１２１）を、前記電源ユニット（４）のマイナス側電源（２６０）に接続するマイナス電源側配線部（１６０）」とは、上述したようなコード側端子（１２１）と、電源ユニット（４）のマイナス側電源（２６０）とを接続している配線を、マイナス電源側配線部（１６０）と設定しているものである。
また、ここで、「前記コネクター結合検知回路（１１０）の途中に直列接続し」、「前記コネクター結合検知回路（１１０）に電気信号が流れたことを外部に報知するための接続報知手段（１９０）」は、請求項２の手段で説明した内容と同一であるため説明を省略する。
【００８８】
（作用）
本発明は、コネクター結合検知回路（１１０）を有する複数の接続コード（１００）における全てのコード側コネクター（１２０）と、それに対応する部品側コネクター（１３０）とが、全て正常に接続されている場合、すなわち、コネクター結合検知回路（１１０）を有する複数の接続コード（１００）の全てのコード側コネクター（１２０）のコード側端子（１２１）と、それに対応する部品側コネクター（１３０）の部品側端子（１３１）とが、全て互いに正常に接続されているような場合、プラス電源側配線部（１５０）の電流が、複数の短絡配線部（１４０）と、それらの間の直列配線部（１７０）とを通って、抵抗（１８０）及び接続報知手段（１９０）を介して、マイナス電源側配線部（１６０）へ通じ、マイナス側の電源に通じる。その際、接続報知手段（１９０）に電気信号が流れて、コネクター結合検知回路（１１０）に電気信号が流れていることが外部に出力される。これにより、周囲の者は、コード側コネクター（１２０）と部品側コネクター（１３０）とが正常に接続されていることを知ることができる。
【００８９】
一方、本発明は、コネクター結合検知回路（１１０）を有する複数の接続コード（１００）のうちの少なくとも一つのコード側コネクター（１２０）と、それに対応する部品側コネクター（１３０）とが、接続されていない場合や、何らかの理由により、正常に接続されていない場合、プラス電源側配線部（１５０）の電流が、複数の短絡配線部（１４０）と、それらの間の直列配線部（１７０）とを介して、マイナス電源側配線部（１６０）へ流れず、接続報知手段（１９０）にも電気信号が流れず、接続報知手段（１９０）からの外部への出力も行われない。これにより、周囲の者は、複数の接続コード（１００）のうちの、少なくとも一つのコード側コネクター（１２０）と、部品側コネクター（１３０）とが正常に接続されていないことを知ることができる。
【００９０】
このように、作業者は、複数の接続コード（１００）の全てのコード側コネクター（１２０）と、それに対応する部品側コネクター（１３０）とが全て正常に接続されていれば、接続報知手段（１９０）からの出力により、全て正常な接続状態であることを知ることができる。そして、複数の接続コード（１００）のうちの少なくとも一つのコード側コネクター（１２０）及び部品側コネクター（１３０）の組み合わせが、正常に接続されていなければ、接続報知手段（１９０）からの出力が行われないことで、正常な接続状態でないことを知ることができる。
【００９１】
このため、交換ユニット（２）側の部品と、本体キャビネット（１）内部の部品との間の複数の接続コード（１００）における接続状態を、一つの接続報知手段（１９０）を介して、確認することができる。これにより、交換ユニット（２）側の部品と、本体キャビネット（１）内部の部品との間の複数の接続コード（１００）における接続ミスや、接続忘れの発生を回避することができて、遊技機を正常に作動させることができる。
【００９２】
（請求項５）
請求項５記載の発明は、次の点を特徴とする。
すなわち、本発明に係る遊技機は、正面側に開口する箱状の本体キャビネット（１）と、前記本体キャビネット（１）の前面側の開口部（１１）を開閉自在に塞ぐ前扉（３）と、複数の図柄が表示される回転リール（２３）を回転させるためのリールユニット（２２）と、遊技メダルを払い出すための払い出し装置（５）と、前記回転リール（２３）及び前記払い出し装置（５）の作動を制御するための主制御装置（２５）と、各部品に電力を供給する電源ユニット（４）とを少なくとも部品として有する。
【００９３】
そして、前記遊技機は、少なくとも前記リールユニット（２２）及び前記主制御装置（２５）を有する交換ユニット（２）と、前記本体キャビネット（１）に固定された部品に一方の端部が接続され、前記交換ユニット（２）に固定された部品に他方の端部が接続されることにより、前記交換ユニット（２）の各部品の入出力の電気信号を、前記本体キャビネット（１）内部の部品に伝達可能な複数の接続コード（１００）と、前記接続コード（１００）の接続状態を検知可能なコネクター結合検知回路（１１０）とを備えている。
【００９４】
そして、前記接続コード（１００）の端部には、コード側コネクター（１２０）を設け、前記接続コード（１００）を接続する部品側には、前記コード側コネクター（１２０）が係合可能な部品側コネクター（１３０）を設けている。
そして、前記コード側コネクター（１２０）は、その内部で接続コード（１００）内の配線と結線されるとともに列状に並んだ複数のコード側端子（１２１）を有し、前記部品側コネクター（１３０）は、その内部で部品内の配線と結線されるとともに前記コード側端子（１２１）と対応する位置に列状に並び、且つ、前記コード側コネクター（１２０）及び前記部品側コネクター（１３０）を係合した際に前記コード側端子（１２１）とそれぞれ係合可能な複数の部品側端子（１３１）を有している。
【００９５】
そして、前記コネクター結合検知回路（１１０）は、それぞれの前記コード側コネクター（１２０）の列状に並んだ前記コード側端子（１２１）のいずれか２つを内部で短絡させた複数の短絡配線部（１４０）と、前記短絡配線部（１４０）の一端と他の前記短絡配線部（１４０）の一端とを接続して、かかる接続を複数の前記短絡配線部（１４０）間で行うことにより、複数の前記短絡配線部（１４０）を直列に接続した直列配線部（１７０）と、直列に接続した前記短絡配線部（１４０）のうち、一端側の前記短絡配線部（１４０）の前記直列配線部（１７０）を接続していない端部側の前記コード側端子（１２１）と係合する前記部品側端子（１３１）を、前記電源ユニット（４）のプラス側電源（２５０）に接続するプラス電源側配線部（１５０）と、直列に接続した前記短絡配線部（１４０）のうち、他端側の前記短絡配線部（１４０）の前記直列配線部（１７０）を接続していない端部側の前記コード側端子（１２１）と係合する前記部品側端子（１３１）を、前記電源ユニット（４）のマイナス側電源（２６０）に接続するマイナス電源側配線部（１６０）と、前記コネクター結合検知回路（１１０）の途中に直列接続した抵抗（１８０）と、前記コネクター結合検知回路（１１０）の途中に直列接続して前記コネクター結合検知回路（１１０）に電気信号が流れたことを外部に報知するための接続報知手段（１９０）とを備えたことを特徴とする。
【００９６】
本発明に係る遊技機は、具体的には、図１５（第七の実施の形態）に示すようなコネクター結合検知回路（１１０）を有するスロットマシン（Ｓ）を含むものである。本発明は、本体キャビネット（１）に固定された部品と、交換ユニット（２）に固定された部品から延びる接続コード（１００）との接続状態を把握することができる。本発明に係る接続コード（１００）は、複数個、存在していることが前提となるものである。
【００９７】
請求項３記載の発明が、一つの接続コード（１００）に対して、一つのコネクター結合検知回路（１１０）を形成していたのに対して、請求項５記載の本発明は、複数の接続コード（１００）を一体とした一つのコネクター結合検知回路（１１０）を形成していることに特徴を有するものである。そして、請求項４記載の発明が、短絡配線部（１４０）を部品側コネクター（１３０）に形成していたのに対して、請求項５記載の本発明は、短絡配線部（１４０）をコード側コネクター（１２０）に形成している点が異なるものである。
【００９８】
なお、ここで、「複数の図柄が表示される回転リール（４０）」、「回転リール（２３）を回転させるためのリールユニット（２２）」、「前記回転リール（２３）及び前記払い出し装置（５）の作動を制御するための主制御装置（２５）」、「交換ユニット（２）」、「接続コード（１００）」、「前記接続コード（１００）の接続状態を検知可能なコネクター結合検知回路（１１０）」の「前記接続コードの一端側」、「接続状態を検知可能」、「コード側コネクター（１２０）」、「部品側コネクター（１３０）」、「前記コード側コネクター（１２０）は、その内部で接続コード（１００）内の配線と結線されるとともに列状に並んだ複数のコード側端子（１２１）を有し」のうちの「列状」、「部品側端子（１３１）」の説明中の「列状に並び」の「列状」の説明は、請求項２の手段の記載で説明したものと同一であるため、それらの説明を省略する。
【００９９】
また、ここで、「それぞれの前記コード側コネクター（１２０）の列状に並んだ前記コード側端子（１２１）のいずれか２つを内部で短絡させた複数の短絡配線部（１４０）」とは、具体的には、複数の接続コード（１００）の各コード側コネクター（１２０）において、コード側端子（１２１）のいずれか二つの間を、コード側コネクター（１２０）の内部で、非常に小さい抵抗の導線で接続しているようなことを意味する。
【０１００】
また、ここで、「前記短絡配線部（１４０）の一端と他の前記短絡配線部（１４０）の一端とを接続して、かかる接続を複数の前記短絡配線部（１４０）間で行うことにより、複数の前記短絡配線部（１４０）を直列に接続した直列配線部（１７０）」の「直列配線部（１７０）」とは、具体的には、ｎ個の短絡配線部（１４０）を、互いの間隔をあけて、直線上に、並べ、それらのｎ個の短絡配線部（１４０）同士の（ｎ−１）個の間を、直列的に接続するような配線を意味するものである。具体的には、第１番目の短絡配線部（１４０）の終端と、第２番目の短絡配線部（１４０）の先端とを配線により接続し、第２番目の短絡配線部（１４０）の終端と、第３番目の短絡配線部（１４０）の先端とを配線により接続し、第３番目の短絡配線部（１４０）の終端と、第４番目の短絡配線部（１４０）の先端とを配線で接続し、これを繰り返して、第（ｎ−１）番目の短絡配線部（１４０）の終端と、第ｎ番目の短絡配線部（１４０）の先端とを配線により接続するようなものである。そして、ｎ個の短絡配線部（１４０）と、（ｎ−１）個のそれらの間の直列配線部（１７０）とは、一本の連続する線、いわゆる直列状に配置されるようなものである。具体的には、図１５に示すように、４個の接続コード（１００）のそれぞれに短絡配線部（１４０）が形成され、かかる４個の短絡配線部（１４０）の間の３カ所の配線を直列配線部（１７０）と設定しているものである。
【０１０１】
また、ここで、「直列に接続した前記短絡配線部のうち、一端側の前記短絡配線部の前記直列配線部を接続していない端部側の前記コード側端子と係合する前記部品側端子を、前記電源ユニットのプラス側電源（２５０）に接続するプラス電源側配線部」のうちの「直列に接続した前記短絡配線部のうち、一端側の前記短絡配線部（１４０）」とは、一本の連続する線上に直列状に並べた複数の短絡配線部（１４０）のうちの、いずれか一方の端側に配置された短絡配線部（１４０）を意味するものである。具体的には、上述した第１番目から第ｎ番目までの合計ｎ個の短絡配線部（１４０）を直列配線部（１７０）により直列的に接続しているような例の場合、一端側の部品側端子（１３１）とは、第１番目の部品側端子（１３１）或いは第ｎ番目の部品側端子（１３１）のいずれかを意味するものである。
【０１０２】
そして、「一端側の前記短絡配線部の前記直列配線部を接続していない端部側の前記コード側端子」とは、上述したような一本の連続する線上に直列状に並べた複数の短絡配線部（１４０）のうちの、いずれか一方の端側に配置された短絡配線部（１４０）の両端端部のうち、一方には、隣接する他の短絡配線部（１４０）に向かって直列配線部（１７０）が接続されてあり、他方には、直列配線部（１７０）が接続されていない。かかる場合の当該短絡配線部（１４０）の端部のうちの、直列配線部（１７０）が接続されていない方の端部に接続されているコード側端子（１２１）を意味するものである。
【０１０３】
そして、「一端側の前記短絡配線部の前記直列配線部を接続していない端部側の前記コード側端子と係合する前記部品側端子」の「前記部品側端子（１３１）」とは、コード側コネクター（１２０）及び部品側コネクター（１３０）を係合した場合、上述した短絡配線部（１４０）の端部のうちの、直列配線部（１７０）が接続されていない方の端部に接続されているコード側端子（１２１）に、係合する部品側端子（１３１）を意味するものである。
【０１０４】
そして、「前記部品側端子（１３１）を、前記電源ユニット（４）のプラス側電源（２５０）に接続するプラス電源側配線部（１５０）」とは、上述したような部品側端子（１３１）と、電源ユニット（４）のプラス側電源（２５０）とを接続している配線を、プラス電源側配線部（１５０）と設定しているものである。
また、ここで、「直列に接続した前記短絡配線部（１４０）のうち、他端側の前記短絡配線部（１４０）の前記直列配線部（１７０）を接続していない端部側の前記コード側端子（１２１）と係合する前記部品側端子（１３１）を、前記電源ユニット（４）のマイナス側電源（２６０）に接続するマイナス電源側配線部。」のうちの「直列に接続した前記短絡配線部（１４０）のうち、他端側の前記短絡配線部（１４０）」とは、一本の連続する線上に直列状に並べた複数の短絡配線部（１４０）のうちの、他端側、すなわち、上述したプラス電源側配線部（１５０）が形成されていない方の端部に配置された短絡配線部（１４０）を意味するものである。すなわち、ここでの「他端側」は、直列に接続した短絡配線部（１４０）のうち、一端側にプラス電源側配線部（１５０）を設けたので、かかるプラス電源側配線部（１５０）を設けていない他端側を意味するものである。そして、具体的には、上述した第１番目から第ｎ番目までの合計ｎ個の短絡配線部（１４０）を直列配線部（１７０）により直列的に接続しているような例の場合、プラス電源側配線部（１５０）を第１番目の短絡配線部（１４０）に形成したときは第ｎ番目の短絡配線部（１４０）を意味するものである。
【０１０５】
そして、「他端側の前記短絡配線部（１４０）の前記直列配線部（１７０）を接続していない端部側の前記コード側端子（１２１）」とは、以下の意味である。上述したような一本の連続する線上に直列状に並べた複数の短絡配線部（１４０）のうちの、プラス電源側配線部（１５０）を形成していない方の端側に配置された短絡配線部（１４０）の両端端部の一方には、隣接する他の短絡配線部（１４０）に向かって直列配線部（１７０）が接続されてあり、他方には、直列配線部（１７０）が接続されていない。かかる場合の当該短絡配線部（１４０）の端部のうちの、直列配線部（１７０）が接続されていない方の端部に接続されているコード側端子（１２１）を意味するものである。
【０１０６】
そして、「他端側の前記短絡配線部（１４０）の前記直列配線部（１７０）を接続していない端部側の前記コード側端子（１２１）と係合する前記部品側端子（１３１）」の「部品側端子（１３１）」とは、コード側コネクター（１２０）及び部品側コネクター（１３０）を係合した場合、上述した短絡配線部（１４０）の端部のうちの、直列配線部（１７０）が接続されていない方の端部に接続されているコード側端子（１２１）に係合する部品側端子（１３１）を意味するものである。
【０１０７】
そして、「前記部品側端子（１３１）を、前記電源ユニット（４）のマイナス側電源（２６０）に接続するマイナス電源側配線部（１６０）」とは、上述したような部品側端子（１３１）と、電源ユニット（４）のマイナス側電源（２６０）とを接続している配線を、マイナス電源側配線部（１６０）と設定しているものである。
また、ここで、「前記コネクター結合検知回路（１１０）の途中に直列接続し」、「前記コネクター結合検知回路（１１０）に電気信号が流れたことを外部に報知するための接続報知手段（１９０）」は、請求項２の手段で説明した内容と同一であるため説明を省略する。
【０１０８】
（作用）
本発明に係る作用は、請求項４記載の発明と同様であるため、説明を省略する。
（請求項６）
請求項６記載の発明は、次の点を特徴とする。
【０１０９】
すなわち、本発明に係る遊技機は、正面側に開口する箱状の本体キャビネット（１）と、前記本体キャビネット（１）の前面側の開口部（１１）を開閉自在に塞ぐ前扉（３）と、複数の図柄が表示される回転リール（２３）を回転させるためのリールユニット（２２）と、遊技メダルを払い出すための払い出し装置（５）と、前記回転リール（２３）及び前記払い出し装置（５）の作動を制御するための主制御装置（２５）と、各部品に電力を供給する電源ユニット（４）とを少なくとも部品として有する。
【０１１０】
そして、前記遊技機は、少なくとも前記リールユニット（２２）及び前記主制御装置（２５）を有する交換ユニット（２）と、前記本体キャビネット（１）に固定された部品に一方の端部が接続され、前記交換ユニット（２）に固定された部品に他方の端部が接続されることにより、前記交換ユニット（２）の各部品の入出力の電気信号を、前記本体キャビネット（１）内部の部品に伝達可能な複数の接続コード（１００）と、前記接続コード（１００）の接続状態を検知可能なコネクター結合検知回路（１１０）とを備えている。
【０１１１】
そして、前記接続コード（１００）の端部には、コード側コネクター（１２０）を設け、前記接続コード（１００）を接続する部品側には、前記コード側コネクター（１２０）が係合可能な部品側コネクター（１３０）を設けている。
そして、前記コード側コネクター（１２０）は、その内部で接続コード（１００）内の配線と結線されるとともに列状に並んだ複数のコード側端子（１２１）を有し、前記部品側コネクター（１３０）は、その内部で部品内の配線と結線されるとともに前記コード側端子（１２１）と対応する位置に列状に並び、且つ、前記コード側コネクター（１２０）及び前記部品側コネクター（１３０）を係合した際に前記コード側端子（１２１）とそれぞれ係合可能な複数の部品側端子（１３１）を有している。
【０１１２】
そして、前記コネクター結合検知回路（１１０）は、前記部品側コネクター（１３０）の列状に並んだ前記部品側端子（１３１）のいずれか２つを内部で短絡させた短絡配線部（１４０）と、前記短絡配線部（１４０）の一端側の前記部品側端子（１３１）と係合する前記コード側端子（１２１）を、前記電源ユニット（４）のプラス側電源（２５０）に接続するプラス電源側配線部（１５０）と、前記短絡配線部（１４０）の他端側の前記部品側端子（１３１）と係合する前記コード側端子（１２１）に一端が接続された中間配線部（１７５）と、前記中間配線部（１７５）の他端が接続されるとともに、この中間配線部（１７５）を介して、複数の接続コード（１００）の全ての前記短絡配線部（１４０）の前記コード側端子（１２１）からの電気信号が入力することを条件として、電気信号を出力する信号出力手段（２３０）と、前記信号出力手段（２３０）に一端が接続された出力配線部（３３０）と、前記出力配線部（３３０）からの電気信号が入力することを条件として、前記コネクター結合検知回路（１１０）に電気信号が流れていることを外部に報知するための出力報知手段（３００）とを備えたことを特徴とする。
【０１１３】
本発明に係る遊技機は、具体的には、図８に示すようなコネクター結合検知回路（１１０）を有するスロットマシン（Ｓ）を含むものである。
本発明は、交換ユニット（２）に固定された部品と、本体キャビネット（１）に固定された部品から延びる接続コード（１００）との接続状態を把握することができる。
なお、ここで、「複数の図柄が表示される回転リール（４０）」、「回転リール（２３）を回転させるためのリールユニット（２２）」、「前記回転リール（２３）及び前記払い出し装置（５）の作動を制御するための主制御装置（２５）」、「交換ユニット（２）」、「接続コード（１００）」、「前記接続コード（１００）の接続状態を検知可能なコネクター結合検知回路（１１０）」の「前記接続コードの一端側」、「接続状態を検知可能」、「コード側コネクター（１２０）」、「部品側コネクター（１３０）」、「前記コード側コネクター（１２０）は、その内部で接続コード（１００）内の配線と結線されるとともに列状に並んだ複数のコード側端子（１２１）を有し」のうちの「列状」、「部品側端子（１３１）」の説明中の「列状に並び」の「列状」、「前記部品側コネクター（１３０）の列状に並んだ前記部品側端子（１３１）のいずれか２つを内部で短絡させた短絡配線部（１４０）」、「前記短絡配線部（１４０）の一端側の前記部品側端子（１３１）と係合する前記コード側端子（１２１）を、前記電源ユニット（４）のプラス側電源（２５０）に接続するプラス電源側配線部（１５０）」の「前記コード側端子（１２１）」及び「プラス電源側配線部（１５０）」は、請求項２の手段で説明したものと同一であるため、説明を省略する。
【０１１４】
また、ここで、「前記短絡配線部（１４０）の他端側の前記部品側端子（１３１）と係合する前記コード側端子（１２１）に一端が接続された中間配線部（１７５）」の「他端側」とは、短絡配線部（１４０）の両端のうちの一端側には、部品側端子（１３１）及びコード側端子（１２１）を介して、プラス電源側配線部（１５０）が接続されているため、かかるプラス電源側配線部（１５０）が接続されていない方の端部を意味する。ここで、「中間配線部（１７５）」は、前記短絡配線部（１４０）の他端側の部品側端子（１３１）に係合するコード側端子（１２１）に一端が接続されているものである。
【０１１５】
また、ここで、「前記中間配線部（１７５）の他端が接続されるとともに、この中間配線部（１７５）を介して、複数の接続コードの全ての前記短絡配線部（１４０）の前記コード側端子（１２１）からの電気信号が入力することを条件として、電気信号を出力する信号出力手段（２３０）」のうちの「前記中間配線部（１７５）の他端が接続される」とは、中間配線部（１７５）の他端が信号出力手段（２３０）に接続されていることを意味する。ここで、中間配線部（１７５）の一端は、短絡配線部（１４０）の他端側の部品側端子（１３１）と係合するコード側端子（１２１）に接続されている。すなわち、中間配線部（１７５）は、短絡配線部（１４０）の他端側の部品側端子（１３１）と係合するコード側端子（１２１）と、信号出力手段（２３０）との間を接続するような配線であることを意味する。そして、「前記短絡配線部（１４０）の前記コード側端子（１２１）」とは、短絡配線部（１４０）のプラス電源側配線部（１５０）が接続されていない方の端部側の部品側端子（１３１）と係合するコード側端子（１２１）を意味するものである。そして、「この中間配線部（１７５）を介して、複数の接続コードの全ての前記短絡配線部（１４０）の前記コード側端子（１２１）からの電気信号が入力することを条件として」とは、複数の接続コード（１００）のそれぞれの短絡配線部（１４０）からの電気信号がそれぞれの中間配線部（１７５）を介して信号出力手段（２３０）に入力することを条件としていることを意味する。接続コード（１００）の部品側コネクター（１３０）及びコード側コネクター（１２０）の接続状態が全て正常に行われているときに、全ての短絡配線部（１４０）からの電気信号が信号出力手段（２３０）に出力するように設定されているものである。逆に、全ての短絡配線部（１４０）からの電気信号が信号出力手段（２３０）に出力することは、かかる短絡配線部（１４０）を有する複数の接続コード（１００）の接続状態が全て正常に行われていることを保証するものである。この「信号出力手段（２３０）」は、具体的には、例えば、図８に示すように、複数個のアンド回路を組み合わせることにより、複数の短絡配線部（１４０）からの電気信号が全て入力することを条件として、一つの電気信号を出力するように設定されているようなものを含むものである。
【０１１６】
また、ここで、「前記信号出力手段（２３０）に一端が接続された出力配線部（３３０）」とは、信号出力手段（２３０）に一端が接続されて、信号出力手段（２３０）から出力する電気信号を伝達可能な配線を意味する。具体的には、出力配線部（３３０）は、信号出力手段（２３０）と、出力報知手段（３００）との間を結ぶ配線であって、出力報知手段（３００）から出力する電気信号を出力報知手段（３００）に伝達可能なものである。
【０１１７】
また、ここで、「前記出力配線部（３３０）からの電気信号が入力することを条件として、前記コネクター結合検知回路（１１０）に電気信号が流れていることを外部に報知するための出力報知手段（３００）」とは、信号出力手段（２３０）から出力された電気信号が、出力配線部（３３０）を介して、出力報知手段（３００）に入力することを契機として、或いは、出力報知手段（３００）にかかる電気信号が出力配線部（３３０）を通って入力することに基づいて、外部に向かって、何らかの形で出力することができるような手段であることを意味する。
【０１１８】
具体的には、出力報知手段（３００）は、出力配線部（３３０）からの電気信号が直接、入力するランプや、発光ダイオードであっても良いものである。なお、その際、出力配線部（３３０）から、ランプや、発光ダイオードが直列接続されて、それらからマイナス電源に接続されるような回路となる。
また、出力報知手段（３００）は、かかるランプや発光ダイオードそのものではなく、図８や、図１６に示すように、電源ユニット（４）のプラス電源からマイナス電源まで接続された報知配線部（３１０）の途中に、抵抗（３２０）と、発光ダイオード（２００）と、トランジスタスイッチからなる接続報知制御手段（２４０）とが直列に接続されているようなものでも良いものである。その際、信号出力手段（２３０）からの電気信号が出力配線部（３３０）を介して、接続報知制御手段（２４０）のトランジスタスイッチのベースに接続されているものである。
【０１１９】
（作用）
本発明は、複数の接続コード（１００）の各コード側コネクター（１２０）と部品側コネクター（１３０）とが全て正常に接続されている場合、すなわち、複数のコード側コネクター（１２０）のコード側端子（１２１）と、それに対応する部品側コネクター（１３０）の部品側端子（１３１）とが、互いに正常に接続されているような場合、それぞれのプラス電源側配線部（１５０）の電流が、プラス電源側配線部（１５０）と、短絡配線部（１４０）と、中間配線部（１７５）とを順に通って、信号出力手段（２３０）に入力する。そして、全ての短絡配線部（１４０）からの電気信号が信号出力手段（２３０）に入力することを条件として、信号出力手段（２３０）は、出力配線部（３３０）を介して、電気信号を出力報知手段（３００）に出力する。そして、出力報知手段（３００）は、信号出力手段（２３０）からの接続状態の電気信号の入力を条件として、前記コネクター結合検知回路（１１０）に電気信号が流れていることを外部に報知する。これにより、周囲の者は、複数の接続コード（１００）のコネクター結合検知回路（１１０）を設けた全てのコード側コネクター（１２０）と、それに対応する部品側コネクター（１３０）とが正常に接続されていることを知ることができる。
【０１２０】
一方、本発明は、コネクター結合検知回路（１１０）を設けた複数の接続コード（１００）のうち、少なくとも一つの接続コード（１００）のコード側コネクター（１２０）と部品側コネクター（１３０）とが、接続されていない場合や、何らかの理由により、正常に接続されていない場合、すなわち、コード側コネクター（１２０）のコード側端子（１２１）と、部品側コネクター（１３０）の部品側端子（１３１）とが、互いに正常に接続されていないような場合、プラス電源側配線部（１５０）の電流が、プラス電源側配線部（１５０）、短絡配線部（１４０）及び中間配線部（１７５）を通って、信号出力手段（２３０）に入力されない。かかる場合、信号出力手段（２３０）は、全ての短絡配線部（１４０）のコード側端子（１２１）からの電気信号が入力されていないため、信号出力手段（２３０）は電気信号を出力配線部（３３０）を介して出力報知手段（３００）に出力しない。このため、出力配線部（３３０）からの接続状態の電気信号の出力報知手段（３００）への入力が行われず、出力報知手段（３００）は、前記コネクター結合検知回路（１１０）に電気信号が流れていることを外部に報知しない。これにより、周囲の者は、コネクター結合検知回路（１１０）を設けた複数の接続コード（１００）のうち、少なくとも一つのコード側コネクター（１２０）と、それに対応する部品側コネクター（１３０）とが正常に接続されていないことを知ることができる。
【０１２１】
このように、作業者は、コネクター結合検知回路（１１０）を設けた複数の接続コード（１００）の全てのコード側コネクター（１２０）と、部品側コネクター（１３０）とが正常に接続されていれば、出力報知手段（３００）からの外部への出力により、全て正常な接続状態であることを知ることができる。そして、それらのうち、少なくとも１カ所でも、正常に接続されていなければ、出力報知手段（３００）からの外部への出力が行われないことで、少なくとも一つの接続箇所で正常な接続状態でないことを知ることができる。このため、交換ユニット（２）側の部品と、本体キャビネット（１）内部の部品との間の複数の接続コード（１００）による接続状態を、出力報知手段（３００）を介して、確認することができる。これにより、交換ユニット（２）側の部品と、本体キャビネット（１）内部の部品との間の接続コード（１００）による接続ミスや、接続忘れの発生を回避することができて、遊技機を正常に作動させることができる。
【０１２２】
（請求項７）
請求項７記載の発明は、次の点を特徴とする。
すなわち、本発明に係る遊技機は、正面側に開口する箱状の本体キャビネット（１）と、前記本体キャビネット（１）の前面側の開口部（１１）を開閉自在に塞ぐ前扉（３）と、複数の図柄が表示される回転リール（２３）を回転させるためのリールユニット（２２）と、遊技メダルを払い出すための払い出し装置（５）と、前記回転リール（２３）及び前記払い出し装置（５）の作動を制御するための主制御装置（２５）と、各部品に電力を供給する電源ユニット（４）とを少なくとも部品として有する。
【０１２３】
そして、前記遊技機は、少なくとも前記リールユニット（２２）及び前記主制御装置（２５）を有する交換ユニット（２）と、前記本体キャビネット（１）に固定された部品に一方の端部が接続され、前記交換ユニット（２）に固定された部品に他方の端部が接続されることにより、前記交換ユニット（２）の各部品の入出力の電気信号を、前記本体キャビネット（１）内部の部品に伝達可能な複数の接続コード（１００）と、前記接続コード（１００）の接続状態を検知可能なコネクター結合検知回路（１１０）とを備えている。
【０１２４】
そして、前記接続コード（１００）の端部には、コード側コネクター（１２０）を設け、前記接続コード（１００）を接続する部品側には、前記コード側コネクター（１２０）が係合可能な部品側コネクター（１３０）を設けている。
そして、前記コード側コネクター（１２０）は、その内部で接続コード（１００）内の配線と結線されるとともに列状に並んだ複数のコード側端子（１２１）を有し、前記部品側コネクター（１３０）は、その内部で部品内の配線と結線されるとともに前記コード側端子（１２１）と対応する位置に列状に並び、且つ、前記コード側コネクター（１２０）及び前記部品側コネクター（１３０）を係合した際に前記コード側端子（１２１）とそれぞれ係合可能な複数の部品側端子（１３１）を有している。
【０１２５】
そして、前記コネクター結合検知回路（１１０）は、前記コード側コネクター（１２０）の列状に並んだ前記コード側端子（１２１）のいずれか２つを内部で短絡させた短絡配線部（１４０）と、前記短絡配線部（１４０）の一端側の前記コード側端子（１２１）と係合する前記部品側端子（１３１）を、前記電源ユニット（４）のプラス側電源（２５０）に接続するプラス電源側配線部（１５０）と、前記短絡配線部（１４０）の他端側の前記コード側端子（１２１）と係合する前記部品側端子（１３１）に一端が接続された中間配線部（１７５）と、前記中間配線部（１７５）の他端が接続されるとともに、この中間配線部（１７５）を介して、複数の接続コード（１００）の全ての前記短絡配線部（１４０）の前記部品側端子（１３１）からの電気信号が入力することを条件として、電気信号を出力する信号出力手段（２３０）と、前記信号出力手段（２３０）に一端が接続された出力配線部（３３０）と、前記出力配線部（３３０）からの電気信号が入力することを条件として、前記コネクター結合検知回路（１１０）に電気信号が流れていることを外部に報知するための出力報知手段（３００）とを備えたことを特徴とする。
【０１２６】
本発明に係る遊技機は、具体的には、図１６（第八の実施の形態）に示すようなコネクター結合検知回路（１１０）を有するスロットマシン（Ｓ）を含むものである。
本発明は、本体キャビネット（１）に固定された部品と、交換ユニット（２）に固定された部品から延びる接続コード（１００）との接続状態を把握することができるものである。
【０１２７】
なお、ここで、「複数の図柄が表示される回転リール（４０）」、「回転リール（２３）を回転させるためのリールユニット（２２）」、「前記回転リール（２３）及び前記払い出し装置（５）の作動を制御するための主制御装置（２５）」、「交換ユニット（２）」、「接続コード（１００）」、「前記接続コード（１００）の接続状態を検知可能なコネクター結合検知回路（１１０）」の「前記接続コードの一端側」、「接続状態を検知可能」、「コード側コネクター（１２０）」、「部品側コネクター（１３０）」、「前記コード側コネクター（１２０）は、その内部で接続コード（１００）内の配線と結線されるとともに列状に並んだ複数のコード側端子（１２１）を有し」のうちの「列状」、「部品側端子（１３１）」の説明中の「列状に並び」の「列状」の説明は、請求項２の手段の記載で説明したものと同一であるため、それらの説明を省略する。
【０１２８】
また、ここで、「前記コード側コネクター（１２０）の列状に並んだ前記コード側端子（１２１）のいずれか２つを内部で短絡させた短絡配線部（１４０）」、「前記短絡配線部（１４０）の一端側の前記コード側端子（１２１）と係合する前記部品側端子（１３１）を、前記電源ユニット（４）のプラス側電源（２５０）に接続するプラス電源側配線部（１５０）」の「前記部品側端子（１３１）」及び「プラス電源側配線部（１５０）」は、請求項３の手段で説明したものと同一であるため、説明を省略する。
【０１２９】
また、ここで、「前記短絡配線部（１４０）の他端側の前記コード側端子（１２１）と係合する前記部品側端子（１３１）に一端が接続された中間配線部（１７５）」の「他端側」とは、短絡配線部（１４０）の両端のうち、プラス電源側配線部（１５０）が接続されていない方の端部側を意味する。なお、短絡配線部（１４０）の両端のうちの一端側には、コード側端子（１２１）及び部品側端子（１３１）を介して、プラス電源側配線部（１５０）が接続されているものである。ここで、「中間配線部（１７５）」は、前記短絡配線部（１４０）の他端側のコード側端子（１２１）に係合する部品側端子（１３１）に一端が接続されているものである。
【０１３０】
また、ここで、「前記中間配線部（１７５）の他端が接続されるとともに、この中間配線部（１７５）を介して、複数の接続コードの全ての前記短絡配線部（１４０）の前記部品側端子（１３１）からの電気信号が入力することを条件として、電気信号を出力する信号出力手段（２３０）」のうちの「前記中間配線部（１７５）の他端が接続される」とは、中間配線部（１７５）の他端が信号出力手段（２３０）に接続されていることを意味する。ここで、中間配線部（１７５）の一端は、短絡配線部（１４０）の他端側のコード側端子（１２１）と係合する部品側端子（１３１）に接続されている。すなわち、中間配線部（１７５）は、短絡配線部（１４０）の他端側のコード側端子（１２１）と係合する部品側端子（１３１）と、信号出力手段（２３０）との間を接続するような配線であることを意味する。そして、「前記短絡配線部（１４０）の前記部品側端子（１３１）」とは、短絡配線部（１４０）のプラス電源側配線部（１５０）が接続されていない方の端部側のコード側端子（１２１）と係合する部品側端子（１３１）を意味するものである。そして、「この中間配線部（１７５）を介して、複数の接続コード（１００）の全ての前記短絡配線部（１４０）の前記部品側端子（１３１）からの電気信号が入力することを条件として」とは、複数の接続コード（１００）のそれぞれの短絡配線部（１４０）からの電気信号がそれぞれの中間配線部（１７５）を介して信号出力手段（２３０）に入力することを条件としていることを意味する。接続コード（１００）の部品側コネクター（１３０）及びコード側コネクター（１２０）の接続状態が全て正常に行われているときに、全ての短絡配線部（１４０）を通った電気信号が信号出力手段（２３０）に出力するように設定されているものである。逆に、全ての短絡配線部（１４０）からの電気信号が信号出力手段（２３０）に出力することは、かかる短絡配線部（１４０）を有する複数の接続コード（１００）の接続状態が全て正常に行われていることを保証するものである。この「信号出力手段（２３０）」は、具体的には、例えば、図１６に示すように、複数個のアンド回路を組み合わせることにより、複数の短絡配線部（１４０）からの電気信号が全て入力することを条件として、一つの電気信号を出力するように設定されているようなものを含むものである。
【０１３１】
また、ここで、「前記信号出力手段（２３０）に一端が接続された出力配線部（３３０）」と、「前記出力配線部（３３０）からの電気信号が入力することを条件として、前記コネクター結合検知回路（１１０）に電気信号が流れていることを外部に報知するための出力報知手段（３００）」とは、請求項７の手段のなかで説明した内容と同一である。
【０１３２】
（作用）
本発明に係る作用は、請求項６記載の発明と略同様であるため、説明を省略する。
（請求項８）
請求項８記載の発明は、上記した請求項６又は請求項７に記載の発明の特徴点に加え、次の点を特徴とする。
【０１３３】
すなわち、前記出力報知手段（３００）は、前記電源ユニット（４）のプラス電源からマイナス電源まで接続された報知配線部（３１０）と、前記報知配線部（３１０）の途中に直列接続した抵抗（１８０）と、前記報知配線部（３１０）の途中に直列接続して、この報知配線部（３１０）に電気信号が流れることを条件として、外部に報知するための接続報知手段（１９０）と、前記報知配線部（３１０）の途中に直列接続して、前記出力配線部（３３０）からの電気信号の入力を条件として、前記報知配線部（３１０）に前記電源ユニット（４）のプラス電源からの電源出力を流す接続報知制御手段（２４０）とを備えたことを特徴とする。
【０１３４】
なお、ここで、本発明に係る出力報知手段（３００）は、電源ユニット（４）のプラス電源からマイナス電源までコード等の配線により接続された報知配線部（３１０）の途中に、抵抗（３２０）と、接続報知手段（１９０）と、接続報知制御手段（２４０）とが、直列接続されているものである。そして、接続報知制御手段（２４０）に信号出力手段（２３０）からの電気信号が出力配線部（３３０）を介して接続されている。
【０１３５】
ここで、「前記電源ユニット（４）のプラス電源からマイナス電源まで接続された報知配線部（３１０）」とは、電源ユニット（４）のプラス電源からマイナス電源（図８及び図１６中のアース記号）までコード等によって接続された配線を意味するものである。
ここで、「前記報知配線部（３１０）の途中に直列接続して、この報知配線部（３１０）に電気信号が流れることを条件として、外部に報知するための接続報知手段（１９０）」とは、具体的には、報知配線部（３１０）に電気信号が流れることを契機として、或いは、報知配線部（３１０）に電気信号が流れることに基づいて、外部に向かって何らかの形で出力を行い、報知配線部（３１０）に電気信号が流れている状態であることを報知することができるようなものを意味するものである。この接続報知手段（１９０）は、具体的には、例えば、ランプや、発光ダイオード等を含むものである。
【０１３６】
ここで、「前記報知配線部（３１０）の途中に直列接続して、前記出力配線部（３３０）からの電気信号の入力を条件として、前記報知配線部（３１０）に前記電源ユニット（４）のプラス電源からの電源出力を流す接続報知制御手段（２４０）」のうちの接続報知制御手段（２４０）は、具体的には、トランジスタスイッチを意味するものであって、信号出力手段（２３０）からの電気信号が、出力配線部（３３０）を介して、トランジスタスイッチのベースに入力されているものである。そして、トランジスタスイッチのコレクタ及びエミッタが、報知配線部（３１０）の途中に直列接続されているものである。
【０１３７】
（作用）
本発明は、複数の接続コード（１００）が全て正常に接続されているような場合、電源ユニット（４）のプラス電源から、それぞれの短絡配線部（１４０）を通って、信号出力手段（２３０）に電気信号が入力する。そして、信号出力手段（２３０）から電気信号が、出力配線部（３３０）を介して、接続報知制御手段（２４０）に入力すると、報知配線部（３１０）に電源ユニット（４）のプラス電源からマイナス電源に電気信号が流れる。そして、報知配線部（３１０）に電気信号が流れることにより、接続報知手段（１９０）が、外部に向かって報知する。この接続報知手段（１９０）の報知により、接続作業者は、複数の接続コード（１００）の接続状態で正常であることを知ることができる。
【０１３８】
一方、複数の接続コード（１００）のうち、短絡配線部（１４０）を設けてコネクター結合検知回路（１１０）を形成した側の接続状態が、少なくとも一つ以上の接続不良状態が存在しているような場合、信号出力手段（２３０）から出力配線部（３３０）を介して電気信号は出力されず、出力配線部（３３０）から電気信号が、接続報知制御手段（２４０）に入力されない。これにより、報知配線部（３１０）に電源ユニット（４）のプラス電源からマイナス電源に向かっての電源出力が流れない。これにより、報知配線部（３１０）に電気信号が流れず、その途中に接続された接続報知手段（１９０）も、外部に向かって報知しない。これにより、接続作業者は、複数の接続コード（１００）のコネクター結合検知回路（１１０）を設けた側の接続状態が、少なくとも一つ以上、正常でないことを知ることができる。
【０１３９】
本発明は、信号出力手段（２３０）からの出力される電気信号が、接続報知制御手段（２４０）に入力することを条件として、報知配線部（３１０）に別ルートの電気信号が流れている。これにより、信号出力手段（２３０）と、接続報知手段（１９０）とに流れる適正電流の値のレベルが、異なる場合でも、対応することができる。
（請求項９）
請求項９記載の発明は、上記した請求項４又は請求項５に記載の発明の特徴点に加え、次の点を特徴とする。
【０１４０】
すなわち、主電源（２１１）のプラス電源から、主電源（２１１）を利用する主電源利用回路（２１２）を介して、マイナス電源に接続される電源供給ライン（３４０）の途中に、前記コネクター結合検知回路（１１０）からの接続コード（１００）の接続状態が正常状態であることを示す電気信号が入力することを条件として、前記電源供給ライン（３４０）に電力が供給されるように制御する主電源接続制御手段（２１０）を設けたことを特徴とする。
【０１４１】
なお、ここで、「前記コネクター結合検知回路（１１０）からの接続コード（１００）の接続状態が正常状態であることを示す電気信号」とは、接続コード（１００）の接続状態が正常である場合に、電源ユニット（４）のプラス電源から、短絡配線部（１４０）を通って、マイナス電源に接続するような配線に流れる電流を意味するものである。すなわち、接続コード（１００）の接続状態が正常に接続されている状態であることを示す電気信号であって、接続コード（１００）の接続状態が正常の場合にコネクター結合検知回路（１１０）内に流れる電流を意味する。
【０１４２】
本発明に係る主電源接続制御手段（２１０）は、具体的には、例えば、図１１や、図１７に示すように、トランジスタスイッチであって、コネクター結合検知回路（１１０）からの接続状態が正常状態であることを示す電気信号がトランジスタスイッチのベースに流れ込み、トランジスタスイッチのコレクタとエミッタとが電源供給ライン（３４０）に直列に接続されるものを含むものである。
【０１４３】
（作用）
本発明は、主電源接続制御手段（２１０）が、接続コード（１００）の接続状態が正常状態であるときに、主電源（２１１）から主電源利用回路（２１２）への電源出力が行われる。そして、主電源接続制御手段（２１０）は、接続コード（１００）の接続状態が正常状態でないときは、主電源（２１１）から主電源利用回路（２１２）への電源出力が行われない。これにより、接続コード（１００）が正常に接続されてない場合、主電源（２１１）から主電源利用回路（２１２）に電源出力が行われることを防止し、部品の電子機器が破損するようなことを回避することができる。
【０１４４】
（請求項１０）
請求項１０記載の発明は、上記した請求項９に記載の発明の特徴点に加え、次の点を特徴とする。
すなわち、前記主電源接続制御手段（２１０）は、トランジスタスイッチ（２７０）であって、前記コネクター結合検知回路（１１０）からの接続コード（１００）の接続状態が正常状態であることを示す電気信号が前記トランジスタスイッチ（２７０）のベースに入力するような配線で接続され、主電源（２１１）からの電気信号が前記トランジスタスイッチ（２７０）のコレクタに入力するような配線で接続され、前記トランジスタスイッチ（２７０）のエミッタからの電気信号が前記主電源利用回路（２１２）に入力するような配線で接続されていることを特徴とする。
【０１４５】
本発明は、請求項９記載の発明を具体的に特定したものである。
（作用）
本発明は、コネクター結合検知回路（１１０）からの接続コード（１００）の接続状態が正常状態であることを示す電気信号が、トランジスタスイッチにベースから入力すると、主電源（２１１）からの電気信号が、コレクタからエミッタを通って、主電源利用回路（２１２）に流れる。これにより、主電源利用回路（２１２）の電源投入が可能となる。
【０１４６】
一方、接続コード（１００）の接続状態が正常状態でない場合、すなわち、接続コード（１００）の接続が行われていない場合や、完全に接続されておらず、接続不良の場合には、コネクター結合検知回路（１１０）内に接続コード（１００）の接続状態が正常状態であることを示す電気信号が流れない。このため、かかる電気信号が、トランジスタスイッチのベースから入力されずに、主電源（２１１）からの電気信号が、コレクタからエミッタを通って、主電源利用回路（２１２）に流れず、主電源利用回路（２１２）は電源投入を行うことができない。これにより、接続コード（１００）の接続状態が正常でない場合、主電源（２１１）から主電源利用回路（２１２）に電源出力が行われることを防止し、主電源利用回路（２１２）の内部の電子機器が破損することを回避することができる。
【０１４７】
（請求項１１）
請求項１１記載の発明は、上記した請求項１乃至８のいずれか１項に記載の発明の特徴点に加え、次の点を特徴とする。
すなわち、前記コネクター結合検知回路（１１０）は、その途中に、遊技機の前記前扉（３）が、開状態の場合に前記コネクター結合検知回路（１１０）を導通させてＯＮ状態とし、前記前扉（３）が、閉状態の場合に前記コネクター結合検知回路（１１０）を遮断してＯＦＦ状態とする扉連動スイッチ（２２０）を備えている。
【０１４８】
そして、前記扉連動スイッチ（２２０）は、前記コネクター結合検知回路（１１０）のプラス電源側の配線に接続されるプラス側端子（２２１）と、前記コネクター結合検知回路（１１０）のマイナス電源側の配線に接続されるマイナス側端子（２２２）と、前記プラス側端子（２２１）及び前記マイナス側端子（２２２）に当接することにより、前記プラス側端子（２２１）及び前記マイナス側端子（２２２）の間を導通状態とし、前記プラス側端子（２２１）及び前記マイナス側端子（２２２）から離れることにより、前記プラス側端子（２２１）及び前記マイナス側端子（２２２）の間の導通状態を解除可能な移動部（２２３）と、前記移動部（２２３）を常時は、前記プラス側端子（２２１）及び前記マイナス側端子（２２２）に向かって付勢するばね（２２４）と、前記前扉（３）の背面側から奥側に向かって突出し、前記前扉（３）を閉状態とした場合に、前記移動部（２２３）に当接して前記プラス側端子（２２１）及び前記マイナス側端子（２２２）から移動部（２２３）を離れさせるようにした突出棒（２２５）とを備えている。
【０１４９】
そして、前記前扉（３）を閉状態とした場合、前記突出棒（２２５）が、前記移動部（２２３）に当接して移動させ、前記プラス側端子（２２１）及び前記マイナス側端子（２２２）の導通状態を解除し、前記前扉（３）を開状態とした場合、前記突出棒（２２５）が、前記移動部（２２３）から離れてばね（２２４）の付勢力により、前記移動部（２２３）が前記プラス側端子（２２１）及び前記マイナス側端子（２２２）に当接して、前記プラス側端子（２２１）及び前記マイナス側端子（２２２）の導通状態を維持するようにしたことを特徴とする。
【０１５０】
（作用）
本発明は、前扉（３）を開状態とした場合、突出棒（２２５）が、移動部（２２３）から離れる。そして、移動部（２２３）は、ばね（２２４）の付勢力により、プラス側端子（２２１）及びマイナス側端子（２２２）に当接して、プラス側端子（２２１）及びマイナス側端子（２２２）の間の導通状態を維持することができる。これにより、コネクター結合検知回路（１１０）が作動可能な状態となる。したがって、かかる状態で、接続コード（１００）の接続状態が正常状態であるか否かを接続報知手段（１９０）により確認して、交換ユニット（２）の取り付け作業等を行うことができる。
【０１５１】
一方、かかる交換ユニット（２）の取り付け作業等が終了し、接続コード（１００）の接続状態も確認した後は、コネクター結合検知回路（１１０）を作動させる必要はなく、通常の遊技状態で、かかるコネクター結合検知回路（１１０）を常時、作動させることは、電力の無駄になる。そこで、前扉（３）を閉状態とした場合、突出棒（２２５）が、移動部（２２３）に当接して移動させ、プラス側端子（２２１）と、マイナス側端子（２２２）との導通状態を解除する。このため、前扉（３）を閉じた場合には、接続報知手段（１９０）に電流が流れない。したがって、交換ユニット（２）の交換にともなう、接続コード（１００）の接続チェックが終了して、前扉（３）を閉じて、通常の遊技を行うような場合には、前扉（３）を閉じる動作に連動して、かかるコネクター結合検知回路（１１０）が作動しないようにすることができ、容易に電力の無駄を回避することができる。これにより、接続チェック終了の度に、コネクター結合検知回路（１１０）を作動しないように手動スイッチ等で切り替える必要がなく、接続チェックを容易にすることができる。
【０１５２】
（請求項１２）
請求項１２記載の発明は、上記した請求項６乃至８のいずれか１項に記載の発明の特徴点に加え、次の点を特徴とする。
すなわち、前記信号出力手段（２３０）は、Ｎ個の接続コード（１００）のそれぞれの前記短絡配線部（１４０）からの電気信号を、（Ｎ−１）個のアンド回路（２３１）による（Ｎ−１）個の論理積を行って、Ｎ個の前記短絡配線部（１４０）の全てから電気信号が入力することを条件として、電気信号を出力する論理回路であって、前記論理回路は、Ｎ個の前記短絡配線部（１４０）のうちの１番目と２番目の前記短絡配線部（１４０）からの電気信号の配線を、第１のアンド回路（２３１）の入力側に接続し、その第１のアンド回路（２３１）の出力配線と、３番目の前記短絡配線部（１４０）からの配線とを、第２のアンド回路（２３１）の入力側に接続し、第２のアンド回路（２３１）の出力配線と、４番目の短絡配線部（１４０）からの配線とを、第３のアンド回路（２３１）の入力側に接続し、同様に繰り返すことにより、第（Ｎ−２）のアンド回路（２３１）の出力配線と、Ｎ番目の前記短絡配線部（１４０）からの配線とを第（Ｎ−１）のアンド回路（２３１）の入力側に接続し、この第（Ｎ−１）のアンド回路（２３１）の出力配線を前記接続報知制御手段（２４０）に接続することを特徴とする。
【０１５３】
本発明は、図８及び図１６に示すような信号出力手段（２３０）を具体的に特定したものである。
なお、ここで、「アンド回路（２３１）」とは、具体的には、ＡＮＤ回路や、論理積回路と呼ばれるものであって、２つの入力端子と、一つの出力端子とを持ち、両方の入力端子から、１のＯＮ信号が入力された場合にのみ、出力端子から１のＯＮ信号を出力し、それ以外は０のＯＦＦ信号を出力するような論理回路を意味するものである。
【０１５４】
（作用）
本発明は、Ｎ個の接続コード（１００）のそれぞれの短絡配線部（１４０）の全てから、接続コード（１００）の接続状態が正常状態であることを示す電気信号が出力された場合、第（Ｎ−１）のアンド回路（２３１）から電気信号が出力する。そして、かかる第（Ｎ−１）のアンド回路（２３１）の出力が、接続報知制御手段（２４０）に入力する。これにより、接続報知制御手段（２４０）は、プラス電源から接続報知手段（１９０）への電源出力を送出する。そして、接続報知手段（１９０）が、周囲に、コネクター結合検知回路（１１０）に電気信号が流れていることを外部に報知し、接続コード（１００）の接続状態が全て正常であることを知らせる。
【０１５５】
一方、Ｎ個の接続コード（１００）の短絡配線部（１４０）のうち、少なくとも一つの短絡配線部（１４０）から、接続コード（１００）の接続状態が正常状態であることを示す電気信号が出力されない場合、最終的に第（Ｎ−１）のアンド回路（２３１）から電気信号は出力されない。そして、第（Ｎ−１）のアンド回路（２３１）から接続報知制御手段（２４０）に電気信号が出力されないため、接続報知制御手段（２４０）は、プラス電源から接続報知手段（１９０）への電源出力も送出せず、接続報知手段（１９０）の外部出力も行われない。これにより、作業者は、Ｎ個の接続コード（１００）の短絡配線部（１４０）のうち、少なくとも１個の接続コード（１００）の短絡配線部（１４０）が導通しておらず、接続されていない接続不良状態であることを知ることができる。
【０１５６】
上述したように、信号出力手段（２３０）は、全ての短絡配線部（１４０）からの電気信号が入力することにより、電気信号を出力し、短絡配線部（１４０）からの電気信号のうちの一つでも入力されなければ、最終的に、電気信号を出力しない。かかる信号出力手段（２３０）からの電気信号に基づいて、短絡配線部（１４０）の接続が全て正常であるのか、或いは少なくとも一つ以上の接続不良があるのかを、判断することが可能となる。
【０１５７】
（請求項１３）
請求項１３記載の発明は、上記した請求項３、５、７、８、９、１０、１１、１２のいずれか１項に記載の発明の特徴点に加え、次の点を特徴とする。
すなわち、前記交換ユニット（２）は、前記リールユニット（２２）及び前記主制御装置（２５）を固定するための枠体（２１）を備えている。
【０１５８】
そして、前記コード側コネクター（１２０）は、前記枠体（２１）の背面に背面方向に臨むように固定されている。
そして、前記部品側コネクター（１３０）は、前記コード側コネクター（１２０）と整合するように前記本体キャビネット（１）の内面の奥側に正面方向に臨むように固定されている。
【０１５９】
そして、前記交換ユニット（２）の前記枠体（２１）を、前記本体キャビネット（１）内部の固定位置に収めた状態のときに、前記コード側コネクター（１２０）及び前記部品側コネクター（１３０）の両者が、接続するように配置されていることを特徴とする。
なお、本発明に係る遊技機の一例を、図１９乃至図２２に示し、詳細な説明中の第一一及び第一二の実施の形態において説明している。
【０１６０】
（作用）
本発明は、交換ユニット（２）の枠体（２１）を、本体キャビネット（１）の正面側から奥側に向かって押し込むと、枠体（２１）の背面に背面方向に臨むように固定されたコード側コネクター（１２０）を、本体キャビネット（１）の内面の奥側に正面方向に臨むように固定された部品側コネクター１３０に整合させて、両者を接続させることができる。すなわち、交換ユニット（２）の枠体（２１）を、本体キャビネット（１）の内部の所定の位置に収める作業と、交換ユニット（２）の内部の部品のコード側コネクター（１２０）と、部品側コネクター（１３０）との接続作業とを、同時に行うことができる。
【０１６１】
そして、枠体（２１）を、本体キャビネット（１）の固定位置に収めた状態のときに、部品側コネクター（１３０）及びコード側コネクター（１２０）の両者が接続されるように配置されている。このため、コネクター結合検知回路（１１０）により、接続状態が正常であることが検知された場合、接続コード（１００）の接続状態が正常に接続されていることに加えて、枠体（２１）が、本体キャビネット（１）の内部の所定の固定位置に収まった状態であることも、意味する。これにより、接続コード（１００）の接続状態を検知するとともに、枠体（２１）が所定の固定位置に設置されているか否かの確認も可能な遊技機を提供することができる。
【０１６２】
（請求項１４）
請求項１４記載の発明は、上記した請求項１３に記載の発明の特徴点に加え、次の点を特徴とする。
すなわち、前記コード側コネクター（１２０）及び前記部品側コネクター（１３０）は、それぞれ複数個、形成されている。
【０１６３】
そして、複数の前記コード側コネクター（１２０）は、前記枠体（２１）の背面の横方向にわたって列状に固定されている。
そして、複数の前記部品側コネクター（１３０）は、前記本体キャビネット（１）の内面の奥側に横方向にわたって、前記コード側コネクター（１２０）と整合するような位置に、列状に固定されていることを特徴とする。
【０１６４】
本発明に係る遊技機の一例を、図２１及び図２２に示し、詳細な説明中の第一二の実施の形態で説明している。
（作用）
本発明は、複数のコード側コネクター（１２０）が、枠体（２１）の背面の横方向にわたって、列状に配置されている。そして、複数の部品側コネクター（１３０）が、かかるコード側コネクター（１２０）と整合するような位置に、本体キャビネット（１）内面の奥側に横方向にわたって、配置されている。このため、複数のコード側コネクター（１２０）及び部品側コネクター（１３０）により、両者の接続状態に加えて、枠体（２１）が所定の固定位置に収まったか否かの確認を、実行することができて、かかる確認を確実に行うことができる。
【０１６５】
また、複数のコード側コネクター（１２０）及び部品側コネクター（１３０）の接続状態が、それぞれ独立して検知することができるような場合、枠体（２１）の左右方向のいずれの箇所が接続状態であるか、或いは接続不良状態であるかの検知結果により、枠体（２１）の左右方向のいずれの箇所の固定位置が適正な定位置であるか、或いは、適正でない位置にあるのかを知ることができる。すなわち、枠体（２１）の固定位置のより詳細な情報を得ることができ、枠体（２１）の固定作業をより確実に行うことができる。
【０１６６】
（請求項１５）
請求項１５記載の発明は、上記した請求項１３又は請求項１４に記載の発明の特徴点に加え、次の点を特徴とする。
すなわち、前記コード側コネクター（１２０）は、前記枠体（２１）の背面の横方向に形成されている。
【０１６７】
そして、前記短絡配線部（１４０）は、前記コード側コネクター（１２０）の列状に並んだ前記コード側端子（１２１）の両端を短絡させていることを特徴とする。
なお、ここで、「前記枠体（２１）の背面の横方向に形成されている」とは、枠体（２１）を背面から見て、その左右の横方向に延設されていることを意味するものである。具体的には、図１９に示すように、コード側コネクター（１２０）が、枠体（２１）の背面の横方向に長尺状に形成されているようなものを含むものである。
【０１６８】
（作用）
本発明は、コード側コネクター（１２０）の列状に並んだ前記コード側端子（１２１）の両端を短絡させている。すなわち、列状に並んだコード側端子（１２１）の両端が適正に接続されている状態であれば、両端の間の列状に並んだコード側端子（１２１）は、適正な接続状態である可能性が高く、接続コード（１００）のコネクター結合検知回路（１１０）の検知能力の確実性を増すことができる。また、枠体（２１）が、所定の固定位置に収まっている状態であることの確実性も増すことができる。
【０１６９】
（請求項１６）
請求項１６記載の発明は、上記した請求項２乃至１２のいずれか１項に記載の発明の特徴点に加え、次の点を特徴とする。
すなわち、本発明に係る遊技機は、前記交換ユニット（２）は、前記リールユニット（２２）及び前記主制御装置（２５）を固定するための枠体（２１）を備え、
前記遊技機は、前記枠体（２１）が本体キャビネット（１）の内部の固定位置にあるか否かの確認をするための定位置確認回路（４００）を備えている。
【０１７０】
そして、前記定位置確認回路（４００）は、前記枠体（２１）の背面の左右に位置するとともに前記枠体（２１）の背面方向に臨む２つの枠体側接続確認端子（４１０）と、前記枠体（２１）を、前記本体キャビネット（１）内部の固定位置に収めた状態のときに、前記枠体側接続確認端子（４１０）とそれぞれ接続するように、前記本体キャビネット（１）の内面の奥側の左右に位置するとともに前記本体キャビネット（１）の正面方向に臨む２つの本体側接続確認端子（４２０）と、前記枠体側接続確認端子（４１０）の２つを前記枠体（２１）内部で短絡させた枠体短絡配線部（４３０）と、前記本体側接続確認端子（４２０）の一方を、前記電源ユニット（４）のプラス側電源（２５０）に接続するプラス側定位置確認配線部（４４０）と、前記本体接続確認端子の他方を、前記電源ユニット（４）のマイナス側電源（２６０）に接続するマイナス側定位置確認配線部（４５０）と、前記定位置確認回路（４００）の途中に直列接続した抵抗（４６０）と、前記定位置確認回路（４００）の著中に直列接続して前記定位置確認回路（４００）に電気信号が流れたことを外部に報知するための定位置報知手段（４７０）とを備えたことを特徴とする。
【０１７１】
本発明に係る遊技機は、具体的には、図２３及び図２４に示すような定位置確認回路（４００）を有するスロットマシン（Ｓ）を含むものである。
本発明は、枠体（２１）が、本体キャビネット（２０）内部の所定の固定位置に納まっているか否かの状態を把握することができるものである。
なお、ここで、「枠体側接続確認端子（４１０）」及び「本体側接続確認端子（４２０）」のいずれも、電線相互を接続するための電気部品であって、枠体側接続確認端子（４１０）と、本体側接続確認端子（４２０）とは、互いに係合可能に形成されているものである。例えば、枠体側接続確認端子（４１０）と本体側接続確認端子（４２０）とは、一方が、凸状に形成され、他方が前記凸状を内部に挿入可能な凹状に形成されているようなものを含むものである。
【０１７２】
また、ここで、「前記枠体側接続確認端子（４１０）の２つを前記枠体（２１）内部で短絡させた枠体短絡配線部（４３０）」とは、具体的には、枠体側接続確認端子（４１０）のいずれか二つの間を、枠体（２１）の内部で、非常に小さい抵抗の導線で接続しているようなことを意味する。
そして、「プラス側定位置確認配線部（４４０）」とは、上述した２つの本体側接続確認端子（４２０）の一方と、電源ユニット（４）のプラス側電源（２５０）（図２４中の円記号で示されるもの）との間を接続するための配線を意味するものである。
【０１７３】
そして、「マイナス側定位置確認配線部（４５０）」とは、上述した２つの本体側接続確認端子（４２０）のうちの他方、すなわち、プラス側定位置確認配線部（４４０）が接続されていない方の本体側接続確認端子（４２０）と、電源ユニット（４）のマイナス側電源（２６０）（図２４中のアース記号で示されるもの）との間を接続するための配線を意味するものである。
【０１７４】
また、ここで、「前記定位置確認回路（４００）の途中に直列接続し」とは、電源ユニット（４）のプラス側電源（２５０）（図中の１重マル記号）と、電源ユニット（４）のマイナス側電源（２６０）（図中のアース記号）との間の配線の途中に、直列的に接続されていることを意味するものである。したがって、抵抗（４６０）と、定位置報知手段（４７０）とは、定位置確認回路（４００）の途中に直列に接続されてあれば、その挿入箇所は、特に限定されないものである。また、両者の定位置確認回路（４００）の配線への挿入位置は、特に順番も特定されないものである。具体的には、例えば、図２４では、抵抗（４６０）と定位置報知手段（４７０）とは、マイナス側定位置確認配線部（４５０）の途中に直列接続されているが、この抵抗（４６０）と、定位置報知手段（４７０）との挿入位置は、これに限定されるものではなく、両者をプラス側定位置確認配線部（４４０）の途中に挿入してもよく、また、枠体短絡配線部（４３０）の途中に挿入してもよいものである。また、抵抗（４６０）と、定位置報知手段（４７０）との位置関係も特に限定されるものではなく、抵抗（４６０）をマイナス側定位置確認配線部（４５０）の途中に直列接続して、定位置報知手段（４７０）をプラス側定位置確認配線部（４４０）の途中に直列接続しても良いものである。
【０１７５】
また、ここで、「前記定位置確認回路（４００）に電気信号が流れたことを外部に報知するための定位置報知手段（４７０）」とは、定位置確認回路（４００）に電気信号が流れている状態であることを、外部に何らかの形で出力することができるようなものを意味するものである。この定位置報知手段（４７０）は、具体的には、例えば、ランプや、発光ダイオード等を含むものである。
【０１７６】
（作用）
本発明は、２つの枠体側接続確認端子（４１０）と、２つの本体側接続確認端子（４２０）とが正常に接続されている場合、プラス側定位置確認配線部（４４０）の電流が、枠体短絡配線部（４３０）を通って、抵抗（４６０）及び定位置報知手段（４７０）を介して、マイナス側定位置確認配線部（４５０）へ通じ、マイナス側の電源に通じる。その際、定位置報知手段（４７０）に電気信号が流れて、定位置確認回路（４００）に電気信号が流れていることが外部に出力される。これにより、周囲の者は、２つの枠体側接続確認端子（４１０）と、２つの本体側接続確認端子（４２０）との両方が正常に接続されていることを知ることができて、交換ユニット（２）の枠体（２１）が、本体キャビネット（１）の固定位置に収まっている状態であることを知ることができる。
【０１７７】
一方、本発明は、枠体側接続確認端子（４１０）と、本体側接続確認端子（４２０）とが、接続されていない場合や、何らかの理由により、正常に接続されていない場合、プラス側定位置確認配線部（４４０）の電流が、枠体短絡配線部（４３０）を介して、マイナス側定位置確認配線部（４５０）へ流れず、定位置報知手段（４７０）にも電気信号が流れず、定位置報知手段（４７０）からの外部への出力も行われない。これにより、周囲の者は、枠体側接続確認端子（４１０）と、本体側接続確認端子（４２０）とが正常に接続されていないことを知ることができて、交換ユニット（２）の枠体（２１）が、本体キャビネット（１）の固定位置に収まっていない状態であることを知ることができる。
【０１７８】
このように、作業者は、枠体側接続確認端子（４１０）と、本体側接続確認端子（４２０）とが正常に接続されていれば、定位置報知手段（４７０）からの外部への出力により、枠体（２１）が、本体キャビネット（１）の固定位置に収まっている状態であることを知ることができ、正常に接続されていなければ、定位置報知手段（４７０）からの出力が行われないことで、枠体（２１）が、固定位置に収まっていないことを知ることができる。すなわち、枠体（２１）が、本体キャビネット（１）内部の固定位置に収まっているか否かの確認を、定位置報知手段（４７０）を介してすることができる。これにより、交換ユニット（２）の枠体（２１）と、本体キャビネット（１）内部との取付ミスや、取付不良の発生を回避することができる。
【０１７９】
【発明の実施の形態】
（第一の実施の形態）
（図面の説明）
図１乃至図６は、本発明の第一の実施の形態を示すものである。
図１はコネクター結合検知回路の概略構成図、図２はコード側コネクター及び部品側コネクターの概略斜視図、図３はコード側コネクター及び部品側コネクターの接続不良状態の概略構成図、図４は複数のコネクター結合検知回路の概略構成図、図５及び図６は遊技機の分解斜視図をそれぞれ示すものである。
【０１８０】
本実施の形態に係る遊技機は、具体的には、スロットマシンＳである。このスロットマシンＳは、図５に示すように、大きく分けて、正面側に開口部１１を有する本体キャビネット１と、本体キャビネット１内部に着脱自在に設けられる交換ユニット２と、本体キャビネット１の前面側の開口部１１を開閉自在に塞ぐ前扉３とを備えている。そして、この前扉３は、本体キャビネット１の開口上部１３を開閉可能に塞ぐ上扉３０と、本体キャビネット１の開口下部１４を開閉可能に塞ぐ下扉４０とを備えている。
【０１８１】
そして、本実施の形態に係るスロットマシンＳは、本体キャビネット１に固定された部品に一方の端部が接続され、交換ユニット２に固定された部品に他方の端部が接続されることにより、交換ユニット２の各部品の入出力の電気信号を、本体キャビネット１内部の部品に伝達可能な接続コード１００と、接続コード１００の接続状態を検知可能なコネクター結合検知回路１１０とを備えている。
【０１８２】
（本体キャビネット１）
本体キャビネット１は、底板１５、側板１６、天板及び裏板からなる正面側に開口する箱状の筺体であり、高さ方向略中央部には、二つの側板１６の間に水平方向に中板１２が渡してある。そして、この中板１２の下面には電源ユニット４が設けられ、底板１５には払い出し装置５が固定されている。
【０１８３】
上記電源ユニット４及び払い出し装置５は、いわゆる新台入れ替えにおける交換ユニット２の交換に際し、必ずしも交換する必要のないものであり、交換時には設置されたままにしておけるようになっているものである。
また、側板１６の正面左側の下部には、前記下扉４０を係合させ、回転自在に支持するための本体係合部６２が、上下方向に間隔をおいて二つ設けられている。
【０１８４】
さらに、本体係合部６２の対向側の側板１６には、下扉４０を閉めた際、下扉４０をロックするための突出片９０（ロック機構７）が、上下方向に間隔をおいて二つ設けられている。
（払い出し装置５）
上記払い出し装置６５は、いわゆるホッパーユニットとも呼ばれるもので、遊技の結果に基づいて、遊技結果が、所定の入賞等になった場合、予め定められた所定枚数の遊技メダルを遊技者に払い出すためのものである。また、払い出し装置５は、遊技者が投入した遊技メダルを貯留することができるように形成されている。
【０１８５】
（電源ユニット４）
上記電源ユニット４は、中板１２の下面に、取り付け板等を介して取り付けられている。上記電源ユニット４は、スロットマシンＳの内部のリールユニット２２や払い出し装置５等の各部品に電力を供給するものである。
（交換ユニット２）
交換ユニット２は、種々の部品を設置あるいは固定するための四角枠状の部材を組み合わせた枠体２１と、この枠体２１に固定されたリールユニット２２と、枠体２１の上部に固定された主制御装置２５と、枠体２１の向かって右横に固定された副制御装置２６とを備えている。
【０１８６】
前記枠体２１の正面左側の縦枠には、前記上扉３０を回転自在に係合するための枠体係合部６０が、上下方向に間隔をおいて二つ設けられている。
さらに、枠体２１の枠体係合部６０の対向側の縦枠には、上扉３０を閉めた際、上扉３０をロックするための突出片９０（ロック機構７）が、上下方向に間隔をおいて二つ設けられている。
【０１８７】
交換ユニット２は、本体キャビネット１の中板１２の上に乗せ、開口上部１３内部に収納されるものである。そして、固定装置１０により本体キャビネット１に固着される。
（リールユニット２２）
上記リールユニット２２は、周囲に複数の図柄を表示した複数の回転リール２３と、特に図示しないが、回転リール２３を回転させるための駆動モータとを有している。
【０１８８】
更に、具体的には、上記リールユニット２２は、特に図示しないが枠体に固定或いは支持された三個の駆動モータと、各々の駆動モータの出力軸に固定された三個の回転リール２３とから構成されている。そして、各回転リール２３は、合成樹脂からなる回転ドラムと、この回転ドラムの周囲に貼付されるテープ状のリールテープとを備えている。このリールテープの外周面には、複数個（例えば２１個）の図柄が表示されている。そして、回転リール２３の一部に、いわゆるスタートインデックスが形成してある。そして、モータによる回転を開始した後、前記スタートインデックスを検知してからの回転角度を認識することで、現在位置を特定し、その後、所定角度で停止させることによって、停止制御が行われるものである。
【０１８９】
（主制御装置２５）
上記主制御装置２５は、遊技の当選か否かを決定するための抽選における抽選確率等を記憶するとともに、スロットマシンの遊技の主な作動を制御するためのものである。この主制御装置２５は、操作部４１のスタートスイッチ及びストップスイッチの操作により、回転リール２３の回転及び停止を制御することができるものであって、いわゆる主基板と呼ばれるものである。
【０１９０】
この主制御装置２５は、ＣＰＵを中心に構成され、ＲＯＭ、ＲＡＭ、Ｉ／Ｏ等を備え、ＣＰＵがＲＯＭに記憶されたプログラムを読み込むことで各部品を制御して遊技を行うことができるように設定されているものである。
（副制御装置２６））
上記副制御装置２６は、飾り部３３のランプやスピーカ等の表示装置を制御するためのものである。具体的には、この副制御装置２６は、ランプやスピーカ等に演出表示する内容を記憶して、主制御装置２５から指令により、ランプやスピーカ等の表示装置を動作させて、各種演出を行うためのものである。
【０１９１】
そして、主制御装置２５の内部データの信頼性を担保するため、主制御装置２５と副制御装置２６との間での信号のやりとりは、一方通行となるように設定されている。すなわち、主制御装置２５から、副制御装置２６に向かって出力信号のみが送出され、この副制御装置２６から主制御装置２５に向かっていかなる信号も送出されないように設定されている。これにより、当選率等の抽選に関するデータを有する主制御装置２５のデータ保護を容易なものにすることができる。
【０１９２】
（上扉３０）
上記上扉３０は、その向かって左側の裏側の係合部６により、回動可能に支持されているものである。
上扉３０は、交換ユニット２の枠体２１に係合部６を介して、回転自在に形成されている。そして、上扉３０は、ロック機構７によりロック可能に形成されている。そして、上扉３０は、板状の扉であり、略中央部に前記回転リール２３の図柄を正面側から見ることができる図柄表示窓３１を有し、周囲に飾り部３３を設けてある。そして、種々の表示を行うための表示装置３２が設けられているものである。
【０１９３】
ここで、前記飾り部３３は、その内部にランプを有している。この飾り部３３のランプは、入賞の報知その他の演出時に所定の順番や時間で点灯、点滅を繰り返すように設定されているものである。また、前記表示装置３２は、７セグメントＬＥＤ等により数字を表示するものや、特に図示しないが、画像を表示するための液晶画面あるいはＣＲＴなどとしてもよい。
【０１９４】
さらに、図６に示すように、上扉３０の裏面には、前記枠体係合部６０に係合可能な上扉係合部６１が上下方向に間隔をおいて二つ設けられており、上扉係合部６１の対向側には、突出片９０とロック可能なロック機構７が設けられている。
（下扉４０）
上記下扉４０は、向かって左側の裏側の係合部６を回転の中心として、回動可能に支持されているものである。
【０１９５】
下扉４０は、本体キャビネット１の開口部１１の下側の開口下部１４を塞ぐための、上扉３０よりも幅厚の扉である。そして、下扉４０は、本体キャビネット１の側板１６に係合部６を介して回転自在に形成されている。そして、下扉４０は、向かって右側の裏側のロック機構７によりロック可能に形成されているものである。
下扉４０は、その上部に、スロットマシンＳを作動させるため、遊技者が操作可能な操作部４１が形成されている。下扉４０の上面は、下扉４０を閉じた状態において、上扉３０よりも前側に突出するように形成されている。また、下扉４０の下部には払い出されたメダルを溜めておくためのメダル受け４３が形成されており、下扉４０の略中央部には、遊技内容その他の表示をするための前パネル５０が嵌め込まれている。
【０１９６】
前記操作部４１は、下扉４０の上面右端に設けられたメダル投入口４２と、上面左側に設けられたベットスイッチと、正面側に設けられて回転リール２３の回転を開始させるためのスタートスイッチと、スタートスイッチの右側に設けられて回転リール２３の回転を停止させるためのストップスイッチと、下扉４０の開閉のロック状態を解除するための鍵穴４４とを備えている。なお、ベットスイッチとは、貯留メダルをメダル投入に代えるためのものである。また、鍵穴４４は、この穴に所定の鍵を差し込んで回すと、下扉４０のロックが解除されるものである。
【０１９７】
さらに、図６に示すように、下扉４０の裏面側には、前記メダル投入口４２から投入されたメダルを誘導しながらメダルの正偽を判断するためのメダルセレクター４８が設けられている。そして、下扉４０の裏面下部の左右には、種々の音声や効果音を出力するためのスピーカ４９が設けられている。
また、下扉４０の裏面には、前記本体係合部６２と係合可能な下扉係合部６３が上下方向に間隔をおいて二つ設けられており、下扉係合部６３の対向側には、本体キャビネット１の突出片９０に係合してロック可能なロック機構７が設けられている。
【０１９８】
（接続コード１００）
上記接続コード１００は、本体キャビネット１に固定された部品に一方の端部が接続され、交換ユニット２に固定された部品に他方の端部が接続されるものである。すなわち、接続コード１００は、本体キャビネット１内の部品と、交換ユニット２内の部品とを電気的に接続するものである。これにより、接続コード１００は、交換ユニット２のリールユニット２２や主制御装置２５や副制御装置２６の入出力の電気信号を、本体キャビネット１内部の部品に接続するものである。
【０１９９】
上記接続コード１００は、具体的には、本体キャビネット１に固定されて新台入れ替えの際、交換されない部品（払い出し装置５や、電源ユニット４等）と、交換ユニット２に固定されて、新台入れ替えの際、交換する部品（主制御装置２５や、副制御装置２６や、リールユニット２２）との間の制御信号をやり取り可能なコードや、それらの装置を稼働させるために必要な電力をやりとり可能なコードを束ねた状態のコード部１０１を備えているものである。そして、接続コード１００は、かかる制御配線や電力配線のコードの束であるコード部１０１の両端に、図２に示すようなコード側コネクター１２０が、それぞれ取り付けられている。このコード側コネクター１２０は、その内部で接続コード１００内の配線と結線されるとともに列状に並んだ８本のコード側端子１２１が形成されている。このコード側端子１２１は、金属からなり円筒状であって、部品側コネクター１３０の棒状の部品側端子１３１が入り込んで係合可能に形成されているものである。
【０２００】
一方、接続コード１００を接続する部品側には、そのコード側コネクター１２０が係合可能な部品側コネクター１３０が形成されているものである。このコード側コネクター１２０と部品側コネクター１３０とは、互いにはまり合うような形状に形成されているものであって、部品側コネクター１３０が四角溝状に形成されているものであり、コード側コネクター１２０が、かかる長方形溝状の部品側コネクター１３０の内部に嵌り込むような長方形状の横断面を有するような薄板状に形成されている。そして、部品側コネクター１３０の長方形溝状の内部には、その長方形溝の底面から垂直方向に外方に向かって突出する金属からなる棒状の部品側端子１３１が形成されている。この部品側端子１３１は、全部で８本、部品側端子１３１の長方形溝状の内部に列状に並ぶように配置されている。この部品側端子１３１は、部品側コネクター１３０の内部で部品側端子１３１の基端と部品側コネクター１３０内部の配線とが結線されている。なお、この部品側コネクター１３０内部の配線は、予め定めた回路配線図に基づいて、他の部品に接続されるものや、他の部品側コネクター１３０に接続されているものである。そして、８本の棒状からなる部品側端子１３１は、コード側端子１２１と対応する位置に一列の列状に並ぶように形成されている。そして、かかる部品側端子１３１は、コード側コネクター１２０及び部品側コネクター１３０を係合した際、対応するコード側端子１２１の内部に挿入されて、それぞれ係合可能となるように形成されているものである。これにより、コード側端子１２１と部品側端子１３１とが接続されて、接続コード１００からの電気信号等が、コード側端子１２１及び部品側端子１３１を介して、部品側コネクター１３０の配線に流れ、また逆に、部品側コネクター１３０の配線からの電気信号が、コード側端子１２１及び部品側端子１３１を介して、コード側コネクター１２０の配線に流れることが可能となる。
【０２０１】
上記接続コード１００の一方の端部が接続されるとともに、本体キャビネット１に固定された部品とは、具体的には、本体キャビネット１の上部に固定されて４つの接続箇所を有するコネクターブラケット２８０を意味する。このコネクターブラケット２８０は、交換ユニット２の主制御装置２５からの２本の接続コード１００を接続する２個の部品側コネクター１３０と、副制御装置２６からの接続コード１００を接続する１個の部品側コネクター１３０と、リールユニット２２からの接続コード１００を接続する１個の部品側コネクター１３０との合計で、４個の部品側コネクター１３０を備えているものである。このコネクターブラケット２８０の４個の部品側コネクター１３０の部品側端子１３１は、部品側端子１３１の基端において、コネクターブラケット２８０内部の配線と接続されている。そして、このコネクターブラケット２８０内部の配線は、本体キャビネット１側のリールユニット２２や電源ユニット４等の他の部品と接続され、或いは、コネクターブラケット２８０内部の他の部品側コネクター１３０の部品側端子１３１に接続されている。
【０２０２】
上記接続コード１００の他方の端部が接続されるとともに、交換ユニット２に固定された部品とは、具体的には、主制御装置２５と、副制御装置２６と、リールユニット２２との３つの部品を意味するものである。すなわち、接続コード１００は、本体キャビネット１の上部に固定されたコネクターブラケット２８０と、交換ユニット２の主制御装置２５、副制御装置２６及びリールユニット２２とを電気的に接続するものである。なお、主制御装置２５、副制御装置２６及びリールユニット２２側の部品にも、接続コード１００のコード側コネクター１２０が接続可能な部品側コネクター１３０が形成されているものである。そして、主制御装置２５には、接続コード１００の接続箇所である部品側コネクター１３０は２カ所、形成されている。したがって、４本の接続コード１００の一方側の端部に設けたコード側コネクター１２０が、主制御装置２５の２個の部品側コネクター１３０と、副制御装置２６の１個の部品側コネクター１３０と、リールユニット２２の１個の部品側コネクター１３０との４カ所に接続されている。そして、かかる４本の接続コード１００の他方側の端部に設けたコード側コネクター１２０が、コネクターブラケット２８０の４個の部品側コネクター１３０と接続されているものである。したがって、接続コード１００の両端にコード側コネクター１２０を設け、両方のコード側コネクター１２０が、各部品側コネクター１３０に接続されているものであるが、図１では、リールユニット２２の部品側コネクター１３０と、それに係合する接続コード１００のコード側コネクター１２０とは、図中に記載してあるが、反対側のコード側コネクター１２０の部品側コネクター１３０と、それに係合する接続コード１００のコード側コネクター１２０とは、省略して描かれているものである。また、図３及び図４でも、コネクターブラケット２８０側の部品側コネクター１３０や、それに係合する接続コード１００のコード側コネクター１２０や、コネクターブラケット２８０自体も省略して、描かれているものである。
【０２０３】
（コネクター結合検知回路１１０）
上記コネクター結合検知回路１１０は、接続コード１００の接続状態を検知可能なものである。本実施の形態に係るコネクター結合検知回路１１０は、交換ユニット２側のリールユニット２２、主制御装置２５及び副制御装置２６に接続する方の接続コード１００の端部側の接続状態を検知可能なものである。なお、本体キャビネット１側のコネクターブラケット２８０に接続する方の端部は、生産工場から出荷する時点で予め確実に接続されて、専用機器等により十分な接続チェックが既に行われているものである。そして、接続コード１００を、交換ユニット２側の部品に接続するのは、全国各地の遊技ホールの取付現場において、それぞれ行われるように設定されているものである。
【０２０４】
上記コネクター結合検知回路１１０は、部品側コネクター１３０の列状に並んだ８個の部品側端子１３１のうちから２つを内部で短絡させた短絡配線部１４０と、短絡配線部１４０の一端側の部品側端子１３１と係合するコード側端子１２１を、電源ユニット４のプラス側電源２５０に接続するプラス電源側配線部１５０と、短絡配線部１４０の他端側の部品側端子１３１と係合するコード側端子１２１を、電源ユニット４のマイナス側電源２６０に接続するマイナス電源側配線部１６０と、コネクター結合検知回路１１０の途中に直列接続した抵抗１８０と、このコネクター結合検知回路１１０の途中に直列接続してコネクター結合検知回路１１０に電気信号が流れたことを外部に報知するための接続報知手段１９０とを備えている。
【０２０５】
さらに、コネクター結合検知回路１１０は、その配線の途中に、接続コード１００の接続作業者が手動で操作可能なスイッチ２７０を備えている。このスイッチ２７０は、具体的には、コネクターブラケット２８０の前面側に４本の接続コード１００の接続位置の近傍に設けてあるものである。そして、このスイッチ２７０は、コネクター結合検知回路１１０が作動状態のオン状態と、コネクター結合検知回路１１０が作動していない状態のオフ状態とを、手動により、切り替えることができるものである。このスイッチ２７０を設けることにより、接続コード１００の接続作業者は、作業に必要なときだけ、コネクター結合検知回路１１０のオン状態とし、接続コード１００の接続作業が終了した後は、スイッチ２７０を手動により、オフ状態として、コネクター結合検知回路１１０が作動しない状態を維持し、無駄な電力を使用しないようにすることができて、消費電力を抑えることができるものである。
【０２０６】
前記短絡配線部１４０は、図４に示すように、交換ユニット２の主制御装置２５、副制御装置２６及びリールユニット２２に接続コード１００が接続される部品側コネクター１３０のそれぞれ１個ずつ形成されている。すなわち、各接続コード１００が接続される部品側コネクター１３０毎にそれぞれ一個、形成されている。この短絡配線部１４０は、図１に示すように、部品側コネクター１３０の一列の列状に並んだ８個の部品側端子１３１のうち、両端の部品側端子１３１同士を、部品側コネクター１３０内部で配線により接続することにより、二つの部品側端子１３１を短絡させているものである。なお、部品側コネクター１３０の８個の部品側端子１３１のうち、短絡配線部１４０に接続した２個を除いた残りの６個の部品側端子１３１は、主制御装置２５、副制御装置２６及びリールユニット２２の内部の電子機器に接続されているものであり、この接続コード１００の本来の役割である交換ユニット２内の部品と、本体キャビネット１側の部品との間の電気信号のやりとりを行うことができるものである。
【０２０７】
前記プラス電源側配線部１５０は、交換ユニット２側の部品側コネクター１３０内部に設けた短絡配線部１４０の一端側に接続された部品側端子１３１と係合する接続コード１００のコード側端子１２１から、電源ユニット４のプラス側電源２５０にまで通じる配線経路を意味する。このプラス電源側配線部１５０は、具体的には、かかるコード側端子１２１から、接続コード１００のコード部１０１を通って、コネクターブラケット２８０側のコード側コネクター１２０のコード側端子１２１に接続される配線経路を有している。そして、プラス電源側配線部１５０は、かかるコード側コネクター１２０のコード側端子１２１と係合するコネクターブラケット２８０の部品側コネクター１３０の部品側端子１３１から電源ユニット４のプラス側電源２５０に接続される配線経路を有している。
【０２０８】
前記マイナス電源側配線部１６０は、交換ユニット２側の部品側コネクター１３０内部に設けた短絡配線部１４０の他端側に接続された部品側端子１３１と係合する接続コード１００のコード側端子１２１から、電源ユニット４のマイナス側電源２６０にまで通じる配線経路を意味する。このマイナス電源側配線部１６０は、具体的には、かかるコード側端子１２１から、接続コード１００のコード部１０１を通って、コネクターブラケット２８０側のコード側コネクター１２０のコード側端子１２１に接続される配線経路を有している。そして、マイナス電源側配線部１６０は、かかるコード側コネクター１２０のコード側端子１２１と係合するコネクターブラケット２８０の部品側コネクター１３０の部品側端子１３１から電源ユニット４のマイナス電源に接続される配線経路を有している。
【０２０９】
なお、上述した説明中、コネクターブラケット２８０側に接続される接続コード１００のコード側コネクター１２０のコード側端子１２１や、かかるコード側端子１２１と係合するコネクターブラケット２８０の部品側コネクター１３０の部品側端子１３１等は、図面中は省略されている。
前記抵抗１８０は、コネクター結合検知回路１１０の途中に直列接続されているものであれば良いものであって、プラス電源側配線部１５０とマイナス電源側配線部１６０とのいずれに配置しても良いものである。
【０２１０】
前記接続報知手段１９０は、前記コネクター結合検知回路１１０の途中に直列接続されてあれば良いものであって、プラス電源側配線部１５０とマイナス電源側配線部１６０とのいずれに配置しても良いものである。前記接続報知手段１９０は、コネクター結合検知回路１１０の途中に接続されて、コネクター結合検知回路１１０に電気信号が流れたときに、発光する発光ダイオード２００から形成されているものである。この接続報知手段１９０の発光ダイオード２００は、コネクターブラケット２８０の前面側に設けてある。接続コード１００をコネクターブラケット２８０に接続する作業を行う者が、接続報知手段１９０の発光ダイオード２００の発光を前面側から確認することができるような位置に形成されているものである。
【０２１１】
（作用及び効果）
本実施の形態は、交換ユニット２側の部品の部品側コネクター１３０と、この部品側コネクター１３０に係合するコード側コネクター１２０とが正常に接続されている場合、すなわち、コード側コネクター１２０のコード側端子１２１と、部品側コネクター１３０の部品側端子１３１とが、互いに正常に接続されているような場合、プラス電源側配線部１５０の電流が、短絡配線部１４０を通って、抵抗１８０及び接続報知手段１９０を介して、マイナス電源側配線部１６０へ通じ、マイナス側の電源に流れる。その際、接続報知手段１９０に電気信号が流れて、発光ダイオード２００が発光し、コネクター結合検知回路１１０に電気信号が流れていることが外部に出力される。これにより、接続作業を行っている者は、コード側コネクター１２０と部品側コネクター１３０とが正常に接続されていることを、視覚的に認識することができる。
【０２１２】
一方、本発明は、交換ユニット２側の部品の部品側コネクター１３０と、この部品側コネクター１３０に係合する接続コード１００のコード側コネクター１２０とが正常に接続されていない場合や、何らかの理由により、正常に接続されていない場合、具体的には、図３に示すように、部品側コネクター１３０及びコード側コネクター１２０の両者が、完全に正常に接続されずに、コード側コネクター１２０が斜めに差し込まれて、部品側端子１３１とコード側端子１２１との一部が正常に接続されてない場合、或いは、接続作業者が、接続を全く忘れているような場合、プラス電源側配線部１５０の電流が、短絡配線部１４０を介して、マイナス電源側配線部１６０へ流れない。このため、接続報知手段１９０にも電気信号が流れず、発光ダイオード２００が発光せずに、接続報知手段１９０による外部への出力も行われない。これにより、接続作業者は、コード側コネクター１２０と、部品側コネクター１３０とが正常に接続されていないことを、発光ダイオード２００が点灯していないことで視覚的に認識することができる。
【０２１３】
このように、作業者は、交換ユニット２側の部品の部品側コネクター１３０と、この部品側コネクター１３０に係合する接続コード１００のコード側コネクター１２０とが正常に接続されていれば、接続報知手段１９０である発光ダイオード２００の点灯により、正常な接続状態であることを視覚的に認識することができる。一方、かかる接続が、正常に接続されていなければ、接続報知手段１９０である発光ダイオード２００が点灯しないことで、かかる接続箇所が、正常な接続状態でないことを知ることができる。このため、交換ユニット２側の部品の部品側コネクター１３０と、この部品側コネクター１３０に係合する接続コード１００のコード側コネクター１２０との接続状態を、接続報知手段１９０である発光ダイオード２００の点灯の有無により、視覚的に確認することができる。これにより、交換ユニット２側の部品の部品側コネクター１３０と、この部品側コネクター１３０に係合する接続コード１００のコード側コネクター１２０との間の接続コード１００による接続ミスや、接続忘れの発生を回避することができて、遊技機を正常に作動させることができる。
【０２１４】
本実施の形態では、コネクターブラケット２８０に接続された４本の接続コード１００は、主制御装置２５に２本、副制御装置２６に１本、リールユニット２２に１本、それぞれ接続されている。そして、その４本の接続コード１００のそれぞれに、独立したコネクター結合検知回路１１０が形成されている。それぞれの接続コード１００に対応した接続報知手段１９０である発光ダイオード２００が、各コネクター結合検知回路１１０に形成されている。すなわち、４本の接続コード１００の各コネクター結合検知回路１１０は、それぞれ別個独立に各接続コード１００の接続状態を検知して、各接続報知手段１９０の発光ダイオード２００をそれぞれの接続状態に対応した発光状態を示すように設定されている。例えば、４本の接続コード１００のうち、リールユニット２２の接続状態だけが正常でなく、他の主制御装置２５及び副制御装置２６への接続コード１００の接続状態が正常の場合は、リールユニット２２の接続コード１００に対応する発光ダイオード２００だけが点灯せずに、残りの各発光ダイオード２００が点灯するものである。これにより、接続作業者は、リールユニット２２の発光ダイオード２００が点灯していないことにより、リールユニット２２への接続コード１００の接続状態が正常状態でないことを、視覚的に、一瞬にして認識することができる。このように、４本の接続コード１００のそれぞれにコネクター結合検知回路１１０を別個独立に設けたことにより、それらのうちの、いずれの接続コード１００の接続箇所の接続不良が存在していることを、視覚的に、瞬間的に認識することができる。したがって、接続コード１００の接続不良が原因で、遊技機が正常に作動しないような場合、接続不良箇所の特定を、検査機器を使用して、チェック等することなく、容易に理解することができる。これにより、接続箇所の接続不良が原因で、遊技機が正常に作動しない場合、検査機器等を使用して全ての接続箇所をチェックする必要がなく、接続コード１００の接続チェック作業を容易なものにすることができる。
【０２１５】
（第二の実施の形態）
図７は、本発明の第二の実施の形態であって、コネクター結合検知回路１１０の概略構成図を示すものである。
本実施の形態に係るコネクター結合検知回路１１０は、第一の実施の形態で説明した複数の接続コード１００の各短絡配線部１４０を直列に接続していることに特徴を有するものである。
【０２１６】
本実施の形態に係るコネクター結合検知回路１１０は、それぞれの部品側コネクター１３０の列状に並んだ部品側端子１３１のうち、両端の２つを内部で短絡させた複数の短絡配線部１４０と、前記短絡配線部１４０の一端と他の短絡配線部１４０の一端とを接続して、かかる接続を複数の短絡配線部１４０間で行うことにより、複数の短絡配線部１４０を直列に接続した直列配線部１７０と、直列に接続した短絡配線部１４０のうち、一端側の短絡配線部１４０の直列配線部１７０を接続していない端部側の部品側端子１３１と係合するコード側端子１２１を、電源ユニット４のプラス側電源２５０に接続するプラス電源側配線部１５０と、直列に接続した短絡配線部１４０のうち、他端側の短絡配線部１４０の直列配線部１７０を接続していない端部側の部品側端子１３１と係合するコード側端子１２１を、電源ユニット４のマイナス側電源２６０に接続するマイナス電源側配線部１６０と、コネクター結合検知回路１１０の途中に直列接続した抵抗１８０と、コネクター結合検知回路１１０の途中に直列接続してコネクター結合検知回路１１０に電気信号が流れたことを外部に報知するための接続報知手段１９０とを備えている。その他の構成は、第一の実施の形態と略同様であるため、それらの説明は省略する。
【０２１７】
本実施の形態は、交換ユニット２の部品と、コネクターブラケット２８０との間で、４本の接続コード１００を使用している。そして、交換ユニット２側の部品側コネクター１３０に４個の短絡配線部１４０を有しているものである。具体的には、リールユニット２２の１個の部品側コネクター１３０と、副制御装置２６の１個の部品側コネクター１３０と、主制御装置２５の２個の部品側コネクター１３０との合計４個の部品側コネクター１３０に各１個の短絡配線部１４０が形成されている。そして、かかる交換ユニット２側の４個の部品側コネクター１３０に、４本の接続コード１００のコード側コネクター１２０が接続されているものである。もちろん、コネクターブラケット２８０側にも、これら４本の接続コード１００のコード側コネクター１２０を接続するための部品側コネクター１３０が形成されているものである。なお、図７では、コネクターブラケット２８０や、コネクターブラケット２８０側の部品側コネクター１３０や、それに接続される接続コード１００のコード側コネクター１２０は省略されているものである。
【０２１８】
本実施の形態では、リールユニット２２の部品側コネクター１３０内部の短絡配線部１４０の向かって右側（図７）端部の部品側端子１３１と係合する接続コード１００のコード側端子１２１が、プラス電源側配線部１５０を介して、電源ユニット４のプラス側電源２５０に接続されている。そして、かかるプラス電源側配線部１５０の途中には、接続作業者が手動によりコネクター結合検知回路１１０の作動のオンオフを切り替え可能なスイッチ２７０と、抵抗１８０とが、直列に接続されている。
【０２１９】
そして、リールユニット２２の部品側コネクター１３０の短絡配線部１４０の向かって左側（図７）端部の部品側端子１３１と係合する接続コード１００のコード側端子１２１が、副制御装置２６の部品側コネクター１３０内部の短絡配線部１４０の向かって右側（図７）端部の部品側端子１３１と係合する接続コード１００のコード側端子１２１に、直列配線部１７０により、接続されている。
【０２２０】
そして、副制御装置２６の部品側コネクター１３０の短絡配線部１４０の向かって左側（図７）端部の部品側端子１３１と係合する接続コード１００のコード側端子１２１が、主制御装置２５の向かって右側（図７）の短絡配線部１４０の向かって右側（図７）端部の部品側端子１３１と係合する接続コード１００のコード側端子１２１に、直列配線部１７０により、接続されている。
【０２２１】
そして、主制御装置２５の部品側コネクター１３０の向かって右側（図７）の短絡配線部１４０の向かって左側（図７）端部の部品側端子１３１と係合する接続コード１００のコード側端子１２１が、主制御装置２５の向かって左側（図７）の短絡配線部１４０の向かって右側（図７）端部の部品側端子１３１と係合する接続コード１００のコード側端子１２１に、直列配線部１７０により、接続されている。
【０２２２】
そして、主制御装置２５の部品側コネクター１３０の向かって左側（図７）の短絡配線部１４０の向かって左側（図７）端部の部品側端子１３１と係合する接続コード１００のコード側端子１２１が、電源ユニット４のマイナス側電源２６０（図７中のアース記号で示されるもの）に、マイナス電源側配線部１６０により、接続されている。
そして、マイナス電源側配線部１６０の途中には、発光ダイオード２００からなる接続報知手段１９０が、直列に接続されている。
【０２２３】
本実施の形態では、交換ユニット２の部品内部の４個の短絡配線部１４０と、３個のそれらの間の直列配線部１７０とは、接続コード１００が正常に接続された状態で、一本の連続する線、いわゆる直列状となるように形成されている。
したがって、本実施の形態に係るコネクター結合検知回路１１０は、４本の接続コード１００が全て正常に接続されている場合、電源ユニット４のプラス側電源２５０から、マイナス側電源２６０までの配線の間に、スイッチ２７０と、抵抗１８０と、４個の短絡配線部１４０と、発光ダイオード２００からなる接続報知手段１９０とが、直列状に接続されている状態となる。
【０２２４】
（作用及び効果）
本実施の形態は、コネクター結合検知回路１１０を有する４本の接続コード１００における全てのコード側コネクター１２０と、それに対応する全ての部品側コネクター１３０とが、全て正常に接続されている場合、すなわち、コネクター結合検知回路１１０を有する４個の接続コード１００の全てのコード側コネクター１２０のコード側端子１２１と、それに対応する部品側コネクター１３０の部品側端子１３１とが、全て互いに正常に接続されているような場合、コネクター結合検知回路１１０に電流が流れる。かかる場合、プラス電源側配線部１５０の電流が、プラス電源側配線部１５０と、スイッチ２７０及び抵抗１８０と、４個の短絡配線部１４０と、それらの間の３カ所の直列配線部１７０と、接続報知手段１９０と、マイナス電源側配線部１６０とを通って、マイナス側の電源に通じる。その際、接続報知手段１９０の発光ダイオード２００に電気信号が流れて、発光ダイオード２００が外部に向かって発光する。これにより、コネクター結合検知回路１１０に電気信号が流れていることが外部に報知される。したがって、接続作業者は、コード側コネクター１２０と部品側コネクター１３０とが正常に接続されていることを知ることができる。
【０２２５】
一方、本実施の形態は、コネクター結合検知回路１１０を有する４本の接続コード１００のうち、少なくとも一つのコード側コネクター１２０と、それに対応する部品側コネクター１３０とが、全く接続されていない場合や、何らかの理由により、正常に接続されていない場合、プラス電源側配線部１５０の電流が、４個の短絡配線部１４０と、それらの間の直列配線部１７０とを介して、マイナス電源側配線部１６０へ流れず、接続報知手段１９０にも電気信号が流れず、接続報知手段１９０からの外部への出力も行われない。これにより、周囲の者は、複数の接続コード１００のうちの、少なくとも一つのコード側コネクター１２０と、部品側コネクター１３０とが正常に接続されていないことを知ることができる。
【０２２６】
このように、作業者は、複数の接続コード１００の全てのコード側コネクター１２０と、それに対応する部品側コネクター１３０とが全て正常に接続されていれば、接続報知手段１９０からの出力により、全て正常な接続状態であることを知ることができる。そして、複数の接続コード１００のうちの少なくとも一つのコード側コネクター１２０及び部品側コネクター１３０の組み合わせが、正常に接続されていなければ、接続報知手段１９０からの出力が行われないことで、正常な接続状態でないことを知ることができる。
【０２２７】
このため、交換ユニット２側の部品と、本体キャビネット１内部の部品との間の複数の接続コード１００における接続状態を、一つの接続報知手段１９０を介して、確認することができる。これにより、交換ユニット２側の部品と、本体キャビネット１内部の部品との間の複数の接続コード１００における接続ミスや、接続忘れの発生を回避することができて、遊技機を正常に作動させることができる。
【０２２８】
（第三の実施の形態）
図８は、本発明の第三の実施の形態であって、コネクター結合検知回路１１０の概略構成図を示すものである。
本実施の形態に係るコネクター結合検知回路１１０は、部品側コネクター１３０の列状に並んだ部品側端子１３１の両端の２つを内部で短絡させた短絡配線部１４０と、その短絡配線部１４０の一端側の部品側端子１３１と係合するコード側端子１２１を、電源ユニット４のプラス側電源２５０に接続するプラス電源側配線部１５０と、前記短絡配線部１４０の他端側の部品側端子１３１と係合するコード側端子１２１に一端が接続された中間配線部１７５と、その中間配線部１７５の他端が接続されるとともに、この中間配線部１７５を介して、複数の接続コード１００の全ての短絡配線部１４０のコード側端子１２１からの電気信号が入力することを条件として、電気信号を出力する信号出力手段２３０と、その信号出力手段２３０に一端が接続された出力配線部３３０と、その出力配線部３３０からの電気信号が入力することを条件として、コネクター結合検知回路１１０に電気信号が流れていることを外部に報知するための出力報知手段３００とを備えたことを特徴とするものである。
【０２２９】
前記短絡配線部１４０は、主制御装置２５の２個の部品側コネクター１３０と、副制御装置２６の１個の部品側コネクター１３０と、リールユニット２２の１個の部品側コネクター１３０とのそれぞれに、合計４個、形成されている。
前記プラス電源側配線部１５０は、上述した４個の短絡配線部１４０の一方側（図８の向かって右側）の端部と、電源ユニット４のプラス側電源２５０との間を接続する配線である。
【０２３０】
前記中間配線部１７５は、上述した４個の短絡配線部１４０の他方側（図８の向かって左側、すわなち、短絡配線部１４０の両端部のうち、プラス電源側配線部１５０が接続されていない方の側）の端部と、信号出力手段２３０との間を接続する配線である。
前記出力報知手段３００は、電源ユニット４のプラス電源２５０からマイナス電源２６０まで接続された報知配線部３１０と、その報知配線部３１０の途中に直列接続した抵抗３２０と、前記報知配線部３１０の途中に直列接続して、この報知配線部３１０に電気信号が流れることを条件として、外部に報知するための発光ダイオード２００からなる接続報知手段１９０と、報知配線部３１０の途中に直列接続して、出力配線部３３０からの電気信号の入力を条件として、報知配線部３１０に電源ユニット４のプラス電源２５０からの電源出力を流す接続報知制御手段２４０とを備えている。
【０２３１】
前記信号出力手段２３０は、Ｎ個の接続コード１００のそれぞれの前記短絡配線部１４０からの電気信号を、（Ｎ−１）個のアンド回路２３１による（Ｎ−１）個の論理積を行って、Ｎ個の前記短絡配線部１４０の全てから電気信号が入力することを条件として、電気信号を出力する論理回路である。なお、本実施の形態では、４本の接続コード１００を使用しているため、Ｎ＝４に設定されているものである。
【０２３２】
ここで、アンド回路２３１は、論理積回路とも呼ばれるもので、２つの入力端子と、一つの出力端子とを持ち、両方の入力端子からオン信号からなる電気信号が入力された場合にのみ、出力端子からオン信号からなる電気信号が出力され、両方の入力端子の少なくとも一つの入力端子からオン信号からなる電気信号が入力されない場合は、出力端子からオン信号からなる電気信号は出力されないものである。
【０２３３】
具体的には、前記論理回路は、４個の前記短絡配線部１４０のうちの主制御装置２５の二つの部品側コネクター１３０のそれぞれの短絡配線部１４０からの電気信号の配線である中間配線部１７５が、第１のアンド回路２３１の入力側に接続されている。そして、その第１のアンド回路２３１の出力配線と、副制御装置２６の短絡配線部１４０からの中間配線部１７５とが、第２のアンド回路２３２の入力側に接続されている。そして、第２のアンド回路２３２の出力配線と、リールユニット２２の短絡配線部１４０からの配線である中間配線部１７５とが、第３のアンド回路２３３の入力側に接続されている。この第３のアンド回路２３３の出力配線が、スイッチ２７０を間に挟んで、前記接続報知制御手段２４０であるトランジスタスイッチのベースに接続されている。なお、スイッチ２７０は、接続作業者が手動により、コネクター結合検知回路１１０の作動のオンオフ状態を切り替え可能なものである。このスイッチ２７０は、通常、コネクター結合検知回路１１０をオフ状態にして、消費電力を節約するものである。
【０２３４】
その他の構成は、第一の実施の形態と同様である。
（第三の実施の形態の作用及び効果）
本実施の形態は、４本の接続コード１００の各コード側コネクター１２０と部品側コネクター１３０とが全て正常に接続されている場合、すなわち、４本のコード側コネクター１２０のコード側端子１２１と、それに対応する部品側コネクター１３０の部品側端子１３１とが、互いに正常に接続されているような場合、それぞれのプラス電源側配線部１５０の電流が、プラス電源側配線部１５０と、短絡配線部１４０と、中間配線部１７５とを順に通って、信号出力手段２３０に入力する。そして、全ての短絡配線部１４０の電気信号が信号出力手段２３０に入力することを条件として、信号出力手段２３０は、出力配線部３３０を介して、電気信号を出力報知手段３００に出力する。
【０２３５】
具体的には、信号出力手段２３０は、４本の接続コード１００のそれぞれの短絡配線部１４０の全てから、接続コード１００の接続状態が正常状態であることを示す電気信号が入力した場合、第３のアンド回路２３３から電気信号が出力する。そして、かかる第３のアンド回路２３３の出力が、スイッチ２７０を介して、出力報知手段３００の接続報知制御手段２４０に入力する。そして、信号出力手段２３０から電気信号が、出力配線部３３０を介して、トランジスタスイッチからなる接続報知制御手段２４０のベースに入力すると、ベースからエミッタ間に電流が流れる。それに伴って、トランジスタスイッチのコレクタからエミッタに電流が流れて、報知配線部３１０に電源ユニット４のプラス電源からマイナス電源に電気信号が流れる。そして、報知配線部３１０に電気信号が流れることにより、発光ダイオード２００からなる接続報知手段１９０が、点灯して外部に向かって報知する。この接続報知手段１９０の報知により、接続作業者は、複数の接続コード１００の接続状態で正常であることを知ることができる。
【０２３６】
一方、本実施の形態は、コネクター結合検知回路１１０を設けた４本の接続コード１００のうち、少なくとも一つの接続コード１００のコード側コネクター１２０と部品側コネクター１３０とが、全く接続されていない場合や、何らかの理由により、一部の端子同士が離れて、正常に接続されていない場合、すなわち、コード側コネクター１２０のコード側端子１２１と、部品側コネクター１３０の部品側端子１３１とが、互いに正常に接続されていないような場合、プラス電源側配線部１５０の電流が、プラス電源側配線部１５０、短絡配線部１４０及び中間配線部１７５を通って、信号出力手段２３０に入力されない。かかる場合、信号出力手段２３０は、全ての短絡配線部１４０のコード側端子１２１からの電気信号が入力されていないため、信号出力手段２３０は電気信号を出力配線部３３０を介して出力報知手段３００に出力しない。
【０２３７】
具体的には、信号出力手段２３０は、４個の接続コード１００の短絡配線部１４０のうち、少なくとも一つの短絡配線部１４０から、接続コード１００の接続状態が正常状態であることを示す電気信号が入力されない場合、最終的に第３のアンド回路２３３から接続コード１００の接続状態が正常状態を意味する電気信号を出力しない。そして、第３のアンド回路２３３からトランジスタスイッチからなる接続報知制御手段２４０のベースに電気信号が入力されないため、ベースからエミッタへ電気信号が流れない。したがって、トランジスタスイッチからなる接続報知制御手段２４０は、コレクタとエミッタとの間に電流が流れず、プラス電源から接続報知手段１９０への電源出力も送出されず、発光ダイオード２００からなる接続報知手段１９０の外部報知も行われない。これにより、作業者は、４個の接続コード１００の短絡配線部１４０のうち、少なくとも１個の接続コード１００の短絡配線部１４０が導通しておらず、接続されていない接続不良状態であることを知ることができる。
【０２３８】
このように、作業者は、コネクター結合検知回路１１０を設けた複数の接続コード１００の全てのコード側コネクター１２０と、部品側コネクター１３０とが正常に接続されていれば、出力報知手段３００からの外部への出力により、全て正常な接続状態であることを知ることができる。そして、それらのうち、少なくとも１カ所でも、正常に接続されていなければ、出力報知手段３００からの外部への出力が行われないことで、少なくとも一つの接続箇所で正常な接続状態でないことを知ることができる。このため、交換ユニット２側の主制御装置２５、副制御装置２６及びリールユニット２２と、本体キャビネット１内部のコネクターブラケット２８０との間の４本の接続コード１００による接続状態を、出力報知手段３００の発光ダイオード２００からなる接続報知手段１９０の点灯の有無を介して、確認することができる。これにより、交換ユニット２側の部品と、本体キャビネット１内部の部品との間の接続コード１００による接続ミスや、接続忘れの発生を回避することができて、遊技機を正常に作動させることができる。
【０２３９】
なお、信号出力手段２３０のアンド回路２３１の配置は、図８のものに限定されるものではなく、全ての短絡配線部１４０からの電気信号が入力されることを条件として、最終的に最後のアンド回路２３３から出力報知手段３００へ電気信号を出力することができるようなものであれば、他の配置からなるものでも良いものである。
具体的には、例えば、主制御装置２５からの２個の短絡配線部１４０からの中間配線部１７５を、第１のアンド回路２３１に入力するように配線する。そして、副制御装置２６及びリールユニット２２からの２個の短絡配線部１４０からの中間配線部１７５を、第２のアンド回路２３２に入力するように配線する。そして、第１のアンド回路２３１と、第２のアンド回路２３２とからの二つの出力を、第３のアンド回路２３３に入力するように配線する。そして、この第３のアンド回路２３１からの出力を、出力報知手段３００のトランジスタスイッチからなる接続報知制御手段２４０のベースに入力するように配線する。このように、第１乃至第３のアンド回路２３１，２３２，２３３を三角形のピラミッド状に配置するようにしても同様の作用及び効果を奏することができる。
【０２４０】
また、本実施の形態では、４本の接続コード１００を使用しているが、それ以上の本数の接続コード１００に対しても同様に配線して、同様の作用及び効果を奏することができるものである。例えば、Ｎ本の接続コード１００にコネクター結合検知回路１１０を設けたような場合、（Ｎ−１）個のアンド回路を、上述したように配線することにより、同様の作用及び効果を奏することができるものである。
【０２４１】
（第四の実施の形態）
図９及び図１０は、第四の実施の形態であって、図９はコネクター結合検知回路の概略横断面図、図１０は扉連動スイッチの概略横断面図をそれぞれ示すものである。
本実施の形態は、第一の実施の形態で説明した内容のうち、接続作業者が手動により操作していたスイッチ２７０を、接続作業者が手動により操作しなくても、前扉３の開閉とコネクター結合検知回路１１０のスイッチのオンオフとを連動させるようにした扉連動スイッチ２２０に変更したものである。なお、その他の構成は、第一の実施の形態と同様のものである。また、図９では、リールユニット２２と、コネクターブラケット２８０との間の接続コード１００に設けたコネクター結合検知回路１１０に関して、概略的に示しているもので、他の主制御装置２５及び副制御装置２６と、コネクターブラケット２８０との間を接続する接続コード１００に対しても、同様の扉連動スイッチ２２０を設けているものである。また、図９では、コネクターブラケット２８０側の部品側コネクター１３０やコード側コネクター１２０等は省略して描いているものである。
【０２４２】
具体的には、本実施の形態に係るコネクター結合検知回路１１０は、その配線の途中に、遊技機の前記前扉３が、開状態の場合に前記コネクター結合検知回路１１０を導通させてＯＮ状態とし、一方、前扉３が、閉状態の場合に前記コネクター結合検知回路１１０を遮断してＯＦＦ状態とする扉連動スイッチ２２０を備えていることを特徴とするものである。
【０２４３】
（扉連動スイッチ２２０）
上記扉連動スイッチ２２０は、スロットマシンＳの前扉３の開閉動作に連動してコネクター結合検知回路１１０の導通状態を変更するスイッチである。
具体的には、扉連動スイッチ２２０は、コネクター結合検知回路１１０のプラス電源２５０側の配線に接続されるプラス側端子２２１と、このプラス側端子２２１に隣接してコネクター結合検知回路１１０のマイナス電源２６０側の配線に接続されるマイナス側端子２２２と、前記プラス側端子２２１及び前記マイナス側端子２２２に当接することにより、前記プラス側端子２２１及び前記マイナス側端子２２２の間を導通状態とし、前記プラス側端子２２１及び前記マイナス側端子２２２から離れることにより、前記プラス側端子２２１及び前記マイナス側端子２２２の間の導通状態を解除可能な金属からなる移動部２２３と、前記移動部２２３を常時、前記プラス側端子２２１及び前記マイナス側端子２２２に向かって付勢するばね２２４と、前扉３の背面側から奥側に向かって突出し、前記前扉３を閉状態とした場合に、前記移動部２２３の手前側に当接して前記プラス側端子２２１及び前記マイナス側端子２２２から移動部２２３を離れさせるようにした突出棒２２５とを備えているものである。
【０２４４】
上述した扉連動スイッチ２２０は、本体キャビネット１の向かって右側の側板１６の内側の上部に固定されているものである。
具体的には、扉連動スイッチ２２０は、本体キャビネット１の右側の側板１６の内側から内部に向かって突出する突出板２２６を備えている。この突出板２２６は、途中に表裏に貫通する突出板貫通孔２２７を備えている。そして、マイナス側端子２２２と、プラス側端子２２１とは、突出板貫通孔２２７の周縁に、突出板貫通孔２２７を間に挟んだ状態で、形成されている。そして、前扉３を閉じた状態で、前扉３に固定した突出棒２２５が突出板貫通孔２２７の内部に入り込むように形成されている。また、扉連動スイッチ２２０は、本体キャビネット１の向かって右側の側板１６の内側の上部に、突出板２２６の奥側の位置に互いに平行となるような移動部支持板２２８を備えている。そして、この移動部支持板２２８の途中には、移動部２２３の一部が前後方向に移動可能な状態で支持されるような支持板貫通孔２２９が形成されている。
【０２４５】
そして、扉連動スイッチ２２０は、前扉３を本体キャビネット１の開口部１１を塞ぐような閉状態とした場合、突出棒２２５が、移動部２２３に手前側から当接して奥側に向かって移動させ、プラス側端子２２１及びマイナス側端子２２２間の導通状態を解除するものである。
そして、扉連動スイッチ２２０は、前扉３を本体キャビネット１の開口部１１を開放するような開状態とした場合、突出棒２２５が、移動部２２３から離れてばね２２４の付勢力により、移動部２２３がプラス側端子２２１及びマイナス側端子２２２に当接して、プラス側端子２２１及びマイナス側端子２２２の導通状態を維持するようにしたものである。
【０２４６】
（第四の実施の形態の作用及び効果）
本実施の形態は、前扉３を手前側に開いた開状態とした場合、前扉３の移動とともに突出棒２２５の手前側に移動して、突出棒２２５が、移動部２２３から離れる。そして、移動部２２３は、ばね２２４の付勢力により、プラス側端子２２１及びマイナス側端子２２２に当接して、プラス側端子２２１及びマイナス側端子２２２の間の導通状態を維持することができる。これにより、コネクター結合検知回路１１０が作動可能な状態となる。したがって、かかる状態で、接続コード１００の接続状態が正常状態であるか否かを接続報知手段１９０により確認して、交換ユニット２の取り付け作業等を行うことができる。
【０２４７】
一方、かかる交換ユニット２の取り付け作業等が終了し、接続コード１００の接続状態も確認した後は、コネクター結合検知回路１１０を作動させる必要はなく、通常の遊技状態で、かかるコネクター結合検知回路１１０を常時、作動させることは、発光ダイオード２００を常に点灯して電力を消耗させることとなって電力の無駄になる。そこで、前扉３を閉状態とした場合、突出棒２２５が、移動部２２３に当接して、移動部２２３を奥側に移動させる。移動部２２３が奥側に移動することにより、プラス側端子２２１と、マイナス側端子２２２との導通状態が解除される。このため、前扉３を閉じた場合には、コネクター結合検知回路１１０に電流が流れず、接続報知手段１９０にも電流が流れない。したがって、交換ユニット２の交換にともなう、接続コード１００の接続チェックが終了して、前扉３を閉じて、通常の遊技を行うような場合には、前扉３を閉じる動作に連動して、かかるコネクター結合検知回路１１０が作動しないようにすることができ、容易に電力の無駄を回避することができる。これにより、接続チェック終了の度に、コネクター結合検知回路１１０を作動しないように手動スイッチ等でコネクター結合検知回路１１０の作動状態のオンオフを切り替える必要がなく、接続チェックを容易にすることができる。
【０２４８】
（第五の実施の形態）
図１１は、第五の実施の形態であって、コネクター結合検知回路の概略構成図を示すものである。
本実施の形態は、交換ユニット２の部品である主制御装置２５、副制御装置２６及びリールユニット２２の部品側コネクター１３０にそれぞれ短絡配線部１４０が、形成され、その各部品側コネクター１３０に係合するコード側コネクター１２０を有する接続コード１００が接続されている点は、第一の実施の形態と同様である。
【０２４９】
そして、コネクター結合検知回路１１０は、電源ユニット４のプラス側電源２５０からリールユニット２２の短絡配線部１４０まで、プラス電源側配線部１５０により配線され、４つの短絡配線部１４０は、直列配線部１７０により接続されているのは、第二の実施の形態と同様である。したがって、かかるコネクター結合検知回路１１０は、４本の接続コード１００の全てが正常に接続されている状態であれば、第二の実施の形態と同様に、直列に接続された短絡配線部１４０の全てに電流が流れることが可能となるものである。そして、４本の接続コード１００の少なくとも一組のコード側コネクター１２０と部品側コネクター１３０との接続状態が正常でなければ、かかるコネクター結合検知回路１１０に電流が流れないものである。
【０２５０】
そして、本実施の形態では、主制御装置２５の図１１に示す向かって左側の短絡配線部１４０の左側の端部からマイナス電源側配線部１６０が形成されている。そして、かかるマイナス電源側配線部１６０を伝わって送出される電気信号に基づいて、出力報知手段３００における発光ダイオード２００からなる接続報知手段１９０の点灯及び消灯の切り替えと、主電源２１１から主電源利用回路２１２への電力供給の有無の切り替えとを行うように形成されていることに特徴を有するものである。
【０２５１】
ここで、発光ダイオード２００からなる接続報知手段１９０の点灯及び消灯の切り替えを行う出力報知手段３００は、第三の実施の形態で説明したものと略同様の構成からなるものである。すなわち、出力報知手段３００は、電源ユニット４のプラス側電源２５０からマイナス側電源２６０まで接続された報知配線部３１０と、この報知配線部３１０の途中に直列接続した抵抗１８０と、この報知配線部３１０の途中に直列接続して、この報知配線部３１０に電気信号が流れることを条件として、外部に報知するための発光ダイオード２００からなる接続報知手段１９０と、報知配線部３１０の途中に直列接続して、マイナス電源側配線部１６０からの接続状態が正常状態であることを意味する電気信号の入力を条件として、報知配線部３１０に電源ユニット４のプラス側電源２５０からの電源出力を流す接続報知制御手段２４０とを備えているものである。
【０２５２】
ここで、主電源２１１とは、電源ユニット４の内部にあって、払い出し装置５、主制御装置２５、副制御装置２６、リールユニット２２、表示装置等のスロットマシンＳの全ての部品に対して、電力を供給するためのものである。また、主電源利用回路２１２とは、かかる主電源２１１から供給される電力を用いて種々の仕事を行うスロットマシンＳの内部に含まれる払い出し装置５、主制御装置２５等の全ての部品内部の回路を意味するものである。
【０２５３】
本実施の形態は、主電源２１１のプラス電源２５０から、主電源２１１を利用する主電源利用回路２１２を介して、マイナス電源２６０に接続される電源供給ライン３４０の途中に、コネクター結合検知回路１１０からの接続コード１００の接続状態が正常状態であることを示す電気信号が入力することを条件として、電源供給ライン３４０に電力が供給されるように制御する主電源接続制御手段２１０を設けたことを特徴とする。
【０２５４】
この主電源接続制御手段２１０は、図１１に示すように、トランジスタスイッチ２７０からなるものである。この主電源接続制御手段２１０は、コネクター結合検知回路１１０からの４本の接続コード１００の接続状態が全て正常状態であることを示す電気信号が、そのトランジスタスイッチ２７０のベースに入力するような配線に接続されている。そして、主電源２１１からの電気信号がそのトランジスタスイッチ２７０のコレクタに入力するような配線に接続されている。そして、そのトランジスタスイッチ２７０のエミッタからの電気信号が主電源利用回路２１２に入力するような配線に接続されている。
【０２５５】
すなわち、主電源接続制御手段２１０は、図１１に示すように、トランジスタスイッチであって、コネクター結合検知回路１１０のプラス側電源２５０から直列に接続された４個の短絡配線部１４０の終端から延びるマイナス電源側配線部１６０が、主電源接続制御手段２１０であるトランジスタスイッチのベースに接続され、そのトランジスタスイッチのコレクタとエミッタとが電源供給ライン３４０に直列に接続されているものである。
【０２５６】
（第五の実施の形態の作用及び効果）
本実施の形態は、主電源接続制御手段２１０が、接続コード１００の接続状態が正常状態であるときに、主電源２１１から主電源利用回路２１２への電源出力が行われる。一方、主電源接続制御手段２１０は、接続コード１００の接続状態が正常状態でないときは、主電源２１１から主電源利用回路２１２への電源出力が行われない。これにより、接続コード１００が正常に接続されてない場合、主電源２１１から主電源利用回路２１２に電源出力が行われることを防止し、部品の電子機器が破損するようなことを回避することができる。
【０２５７】
更に、具体的には、本実施の形態は、コネクター結合検知回路１１０からの４本の接続コード１００の接続状態が全て正常状態であることを示す電気信号が、４個の短絡配線部１４０を直列に接続した終端側のマイナス電源側配線部１６０を介して、主電源接続制御手段２１０のトランジスタスイッチのベースに入力する。かかる主電源接続制御手段２１０のトランジスタスイッチのベースに電気信号が入力することにより、ベースからエミッタに電気信号が流れる。それに伴って、主電源２１１からの電気信号が、コレクタからエミッタを通って、主電源利用回路２１２に流れる。これにより、主電源利用回路２１２の電源投入が可能となる。
【０２５８】
一方、４本の接続コード１００の接続状態が正常状態でない場合、すなわち、４本の接続コード１００のコード側コネクター１２０と部品側コネクター１３０との少なくとも一つの接続状態が正常状態でない場合には、その箇所で部品側コネクター１３０とコード側コネクター１２０との間で電気信号が伝達されず、短絡配線部１４０間を直列に接続したコネクター結合検知回路１１０内に接続状態が正常状態であることを示す電気信号が流れない。このため、かかる電気信号が、マイナス電源側配線部１６０を介して、主電源接続制御手段２１０のトランジスタスイッチのベースから入力されずに、ベースからエミッタに電気信号が流れない。したがって、主電源２１１からの電気信号が、コレクタからエミッタを通って、主電源利用回路２１２に流れず、主電源利用回路２１２は電源投入を行うことができない。これにより、４本の接続コード１００の接続状態が全て正常でない場合、主電源２１１から主電源利用回路２１２に電源出力が行われることを防止する。したがって、各部品間の接続が、正常状態でない状態の下で、主電源２１１からの電力が供給されることにより、主電源利用回路２１２の内部の電子機器が破損することを回避することができる。
【０２５９】
なお、ここで、主電源接続制御手段２１０のトランジスタスイッチは、主電源２１１と主電源利用回路２１２との間に接続されているが、特にこれに限定されるものではなく、主電源利用回路２１２とマイナス側電源２６０との間に接続されるように配置しても、同様の作用及び効果を奏するものである。
また、本実施の形態では、４個の接続コード１００の接続状態が全て正常状態である場合に、接続報知手段１９０である発光ダイオード２００が点灯し、４個の接続コード１００の接続箇所のうち、少なくとも一つの接続不良状態が存在する場合に、接続報知手段１９０である発光ダイオード２００が点灯しない。この発光ダイオード２００である接続報知手段１９０により、接続作業者への報知が行われる点は、第３の実施の形態で説明した出力報知手段３００と略同様である。
【０２６０】
（第六の実施の形態）
図１２乃至図１４は、第六の実施の実施の形態であって、図１２はコネクター結合検知回路の概略構成図、図１３はコード側コネクター及び部品側コネクターの概略斜視図、図１４は複数のコネクター結合検知回路の概略構成図を示すものである。
【０２６１】
上述した第一乃至第五の実施の形態では、短絡配線部１４０を、交換ユニット２の部品側コネクター１３０に形成していたが、本実施の形態では、短絡配線部１４０を、接続コード１００のコード側コネクター１２０に形成しているものである。そして、短絡配線部１４０からプラス側電源２５０に接続されるプラス電源側配線部１５０と、短絡配線部１４０からマイナス側電源２６０に接続されるマイナス電源側配線部１６０とも、上述した第一乃至第五の実施の形態のように接続コード１００のコード部１０１内部に形成するのではなく、本体キャビネット１側のコネクターブラケット２８０内部を通って電源ユニット４のプラス側電源２５０又はマイナス側電源２６０に接続されるものである。その他の構成は、第一の実施の形態で説明したものと略同様である。
【０２６２】
本実施の形態では、スロットマシンＳの交換ユニット２側の部品と、本体キャビネット１側の部品との接続を接続コード１００により行うものであるが、新台入れ替えの交換ユニット２の取付作業の際、遊技ホールにおける接続コード１００の接続作業は、本体キャビネット１側の部品であるコネクターブラケット２８０と、交換ユニット２の部品から延びる接続コード１００との間で行うようにしているものである。そして、接続コード１００の端部のうち、交換ユニット２の各部品と、接続コード１００との間の接続は、工場出荷時において、予め確実に行われ、熟練した検査員が、専用の検査機器等によって、正常な接続状態に設定しているものである。なお、図１２において、交換ユニット２側の部品の部品側コネクター１３０と、接続コード１００のコード側コネクター１２０とは、省略して描かれていないものである。
【０２６３】
本実施の形態に係るスロットマシンＳは、第一の実施の形態と同様に、正面側に開口する箱状の本体キャビネット１と、本体キャビネット１の前面側の開口部１１を開閉自在に塞ぐ前扉３と、複数の図柄が表示される回転リール２３を回転させるためのリールユニット２２と、遊技メダルを払い出すための払い出し装置５と、回転リール２３及び払い出し装置５の作動を制御するための主制御装置２５と、スロットマシンＳ内部の各部品に電力を供給する電源ユニット４とを少なくとも部品として有する。
【０２６４】
そして、本実施の形態に係るスロットマシンＳは、リールユニット２２、主制御装置２５及び副制御装置２６を有する交換ユニット２と、本体キャビネット１に固定された部品に一方の端部が接続され、交換ユニット２に固定された部品に他方の端部が接続されることにより、交換ユニット２の各部品の入出力の電気信号を、前記本体キャビネット１内部の部品に伝達可能な接続コード１００と、接続コード１００の接続状態を検知可能なコネクター結合検知回路１１０とを備えている。
【０２６５】
そして、接続コード１００の両方の端部には、コード側コネクター１２０を設け、接続コード１００を接続する部品側には、コード側コネクター１２０が係合可能な部品側コネクター１３０を設けてある。
そして、コード側コネクター１２０は、図１３に示すように、その内部で接続コード１００内の配線と結線されるとともに一列の列状に並んだ複数のコード側端子１２１を有している。そして、部品側コネクター１３０は、その内部で部品内の配線と結線されるとともに前記コード側端子１２１と対応する位置に一列の列状に並び、且つ、コード側コネクター１２０及び部品側コネクター１３０を係合した際に前記コード側端子１２１とそれぞれ係合可能な複数の部品側端子１３１を有している。
【０２６６】
そして、本実施の形態に係るスロットマシンＳのコネクター結合検知回路１１０は、接続コード１００の両端部の二つのコード側コネクター１２０のうち、本体キャビネット１側に接続されるコード側コネクター１２０の列状に並んだ前記コード側端子１２１のいずれか２つをコード側コネクター１２０の内部で短絡させた短絡配線部１４０と、その短絡配線部１４０の一端側に設けたコード側端子１２１と係合する部品側端子１３１を、電源ユニット４のプラス側電源２５０に接続するプラス電源側配線部１５０と、短絡配線部１４０の他端側に設けたコード側端子１２１と係合する部品側端子１３１を、電源ユニット４のマイナス側電源２６０に接続するマイナス電源側配線部１６０と、コネクター結合検知回路１１０の途中に直列接続した抵抗１８０と、コネクター結合検知回路１１０の途中に直列接続してコネクター結合検知回路１１０に電気信号が流れたことを外部に報知するための接続報知手段１９０とを備えているものである。
【０２６７】
ここで、接続報知手段１９０は、マイナス電源側配線部１６０の途中に接続されて、接続コード１００が正常に接続されて、コネクター結合検知回路１１０に電気信号が流れたときに、発光する発光ダイオード２００を備えているものである。
また、プラス電源側配線部１５０の途中には、接続作業者がコネクター結合検知回路１１０の作動のオンオフを手動により切り替え可能なスイッチ２７０が接続されている。これにより、コネクター結合検知回路１１０を作動しないときは、発光ダイオード２００の点灯を止めて、無駄な電力消費を回避することができるものである。
【０２６８】
そして、ここで、交換ユニット２側の部品には、リールユニット２２、主制御装置２５及び副制御装置２６が設けてある。そして、リールユニット２２には、１個の部品側コネクター１３０、主制御装置２５には、２個の部品側コネクター１３０、副制御装置２６には、１個の部品側コネクター１３０が形成され、それぞれに接続コード１００のコード側コネクター１２０が、予め接続され、正常な接続状態を維持しているものである。すなわち、交換ユニット２から全部で４本の接続コード１００が予め接続されている。
【０２６９】
そして、本体キャビネット１側の部品とは、第一の実施の形態で説明したものと同様に、四つの部品側コネクター１３０を有するコネクターブラケット２８０からなるものである。そして、この４つのコネクターブラケット２８０の部品側コネクター１３０に、交換ユニット２から延びる４本の接続コード１００のコード側コネクター１２０を接続することにより、新台入れ替えにおける新たな交換ユニット２の取付作業が終了するものである。なお、コネクターブラケット２８０内部では、予め設計された回路に基づいて、コード側コネクター１２０間同士で、或いは、電源ユニット４等の他の部品等で、必要な配線が形成されているものである。
【０２７０】
そして、本実施の形態では、図１４に示すように、主制御装置２５、副制御装置２６及びリールユニット２２に接続する合計４本の接続コード１００の各コネクター結合検知回路１１０が、それぞれ別個独立に作動するように、それぞれ、電源ユニット４のプラス側電源２５０及びマイナス側電源２６０に接続され、それぞれに発光ダイオード２００からなる接続報知手段１９０を有しているものである。
【０２７１】
本実施の形態に係るスロットマシンＳは、短絡配線部１４０が、接続コード１００のコード側コネクター１２０に設けてある点や、プラス電源側配線部１５０及びマイナス側電源２６０が、接続コード１００のコード部１０１内部を通らずに、コネクターブラケット２８０内部から電源ユニット４に接続されている。このため、電気信号が、これらの箇所に設けた配線を流れることを除いて、接続コード１００の接続状態を、発光ダイオード２００の点灯又は消灯で報知すること等の作用及び効果は、第一の実施の形態で説明したものと同様であるため、これらの説明を省略する。
【０２７２】
（第七の実施の形態）
図１５は、第七の実施の形態であって、コネクター結合検知回路１１０の概略構成図を示すものである。
上述した第一乃至第五の実施の形態では、短絡配線部１４０を、交換ユニット２の部品側コネクター１３０に形成していたが、本実施の形態では、第六の実施の形態と同様に、短絡配線部１４０を、接続コード１００のコード側コネクター１２０に形成しているものである。そして、短絡配線部１４０からプラス側電源２５０に接続されるプラス電源側配線部１５０と、短絡配線部１４０からマイナス側電源２６０に接続されるマイナス電源側配線部１６０とも、上述した第一乃至第五の実施の形態のように接続コード１００のコード部１０１内部に形成するのではなく、第六の実施の形態と同様に、本体キャビネット１側のコネクターブラケット２８０内部を通って電源ユニット４のプラス側電源２５０又はマイナス側電源２６０に接続されるものである。その他の構成は、第二の実施の形態で説明したものと略同様である。
【０２７３】
そして、本実施の形態でも、第六の実施の形態と同様に、新台入れ替えにおける交換ユニット２の取付作業の際、遊技ホールにおける接続コード１００の接続作業は、本体キャビネット１側の部品であるコネクターブラケット２８０と、交換ユニット２の部品から延びる接続コード１００との間で行うものである。そして、接続コード１００の端部のうち、交換ユニット２の各部品と、接続コード１００との間の接続は、工場出荷時において、予め確実に行われ、熟練した検査員が、専用の検査機器等によって、正常な接続状態に設定しているものである。したがって、本実施の形態では、接続コード１００の両端部のうち、交換ユニット２側に接続する方は、正常な接続状態であることを前提としているものである。そして、このコネクター結合検知回路１１０は、本体キャビネット１側のコネクターブラケット２８０と、交換ユニット２から延びる接続コード１００との間の接続状態を検知可能なものである。
【０２７４】
なお、図１５において、交換ユニット２側の部品の部品側コネクター１３０と、接続コード１００のコード側コネクター１２０とは、省略して描かれていないものである。
本実施の形態に係るコネクター結合検知回路１１０は、第二の実施の形態と同様に、４個の短絡配線部１４０を、直列配線部１７０を介して、直列に接続しているものである。そして、第二の実施の形態と異なる点は、短絡配線部１４０を接続コード１００のコード側コネクター１２０に設けてあることである。さらに、直列配線部１７０、プラス電源側配線部１５０及びマイナス電源側配線部１６０が、接続コード１００のコード部１０１を経由せずに、コネクターブラケット２８０側で配線されている点が第二の実施の形態と異なるものである。その他の構成等は、第二の実施の形態で説明したものと同様であるため、それらの説明は省略し、主として、異なる点を中心に以下に説明する。
【０２７５】
本実施の形態に係るスロットマシンＳのコネクター結合検知回路１１０は、４本の接続コード１００の本体キャビネット１側に接続するそれぞれのコード側コネクター１２０の列状に並んだコード側端子１２１の両端の２つを内部で短絡させた複数の短絡配線部１４０と、その短絡配線部１４０の一端と他の短絡配線部１４０の一端とを接続して、かかる接続を４個の短絡配線部１４０間で行うことにより、４個の短絡配線部１４０を直列に接続する直列配線部１７０と、直列に接続した短絡配線部１４０のうち、一端側の短絡配線部１４０の直列配線部１７０を接続していない端部側のコード側端子１２１と係合する部品側端子１３１を、電源ユニット４のプラス側電源２５０に接続するプラス電源側配線部１５０と、直列に接続した短絡配線部１４０のうち、他端側の短絡配線部１４０の前記直列配線部１７０を接続していない端部側のコード側端子１２１と係合する部品側端子１３１を、電源ユニット４のマイナス側電源２６０に接続するマイナス電源側配線部１６０と、コネクター結合検知回路１１０の途中に直列接続した抵抗１８０と、コネクター結合検知回路１１０の途中に直列接続してコネクター結合検知回路１１０に電気信号が流れたことを外部に報知するための接続報知手段１９０とを備えている。
【０２７６】
前記接続コード１００は、交換ユニット２に固定された主制御装置２５、副制御装置２６及びリールユニット２２と、本体キャビネット１に固定されたコネクターブラケット２８０との間に４本、接続されている。
前記短絡配線部１４０は、かかる４本の接続コード１００の両端部のうち、コネクターブラケット２８０に係合するコード側コネクター１２０の内部に形成されているものである。すなわち、コネクターブラケット２８０に係合するコード側コネクター１２０の両端のコード側端子１２１を配線で短絡させることにより形成されているものである。
【０２７７】
前記直列配線部１７０は、上述した４つの短絡配線部１４０の間を、直列に接続している配線である。具体的には、図１５に示すように、主制御装置２５から延びる二本の接続コード１００のコネクターブラケット２８０に係合するコード側コネクター１２０内部の短絡配線部１４０間を接続している。そして、直列配線部１７０は、主制御装置２５から延びる二本の接続コード１００のうち、向かって右側（図１５）の接続コード１００のコネクターブラケット２８０に係合するコード側コネクター１２０内部の短絡配線部１４０と、副制御装置２６から延びる接続コード１００のコネクターブラケット２８０に係合するコード側コネクター１２０内部の短絡配線部１４０との間を接続している。そして、直列配線部１７０は、副制御装置２６から延びる接続コード１００のコネクターブラケット２８０に係合するコード側コネクター１２０内部の短絡配線部１４０と、リールユニット２２から延びる接続コード１００のコネクターブラケット２８０に係合するコード側コネクター１２０内部の短絡配線部１４０との間を接続している。上述したように４個の短絡配線部１４０の間の３カ所を直列配線部１７０で接続することにより、４個の短絡配線部１４０が、直列に接続されるものである。
【０２７８】
前記プラス電源側配線部１５０は、かかる４個の短絡配線部１４０を直列に接続した短絡配線部１４０のうち、一端側の短絡配線部１４０の直列配線部１７０を接続していない端部側のコード側端子１２１と係合する部品側端子１３１を、電源ユニット４のプラス側電源２５０に接続するものである。具体的には、プラス側電源２５０は、リールユニット２２から延びる接続コード１００のコネクターブラケット２８０に接続する方のコード側コネクター１２０内部にある短絡配線部１４０の両端部のうち、直列配線部１７０が接続されていない方の端部と、電源ユニット４のプラス側電源２５０とを結ぶものである。そして、このプラス電源側配線部１５０の途中には、抵抗１８０と、手動により、コネクター結合検知回路１１０の作動のオンオフを切り替えることが可能なスイッチ２７０とが直列に接続されている。
【０２７９】
前記マイナス電源側配線部１６０は、上述した４個の短絡配線部１４０を直列に接続した短絡配線部１４０のうち、他端側、すなわち、前記プラス電源側配線部１５０が接続されていない方の端部側の短絡配線部１４０の端部に接続されるものである。さらに、具体的には、マイナス電源側配線部１６０は、かかる短絡配線部１４０の両端のうち、直列配線部１７０を接続していない方の端部のコード側端子１２１と係合する部品側端子１３１を、電源ユニット４のマイナス側電源２６０に接続しているものである。そして、マイナス電源側配線部１６０の途中には、発光ダイオード２００からなる接続報知手段１９０を直列に接続している。
【０２８０】
本実施の形態は、短絡配線部１４０の位置が、コード側コネクター１２０に形成され、直列配線部１７０、プラス電源側配線部１５０及びマイナス電源側配線部１６０が、接続コード１００のコード部１０１を通るのではなく、コネクターブラケット２８０内部を通って、配線されている点は、第二の実施の形態と異なるが、短絡配線部１４０が直列配線部１７０により直列に接続されている点は、第二の実施の形態と共通であり、かかる直列に接続されていることによる作用及び効果は第二の実施の形態と共通であるため、それらの説明は省略する。
【０２８１】
（第八の実施の形態）
図１６は、第八の実施の形態であって、コネクター結合検知回路の概略構成図を示すものである。
上述した第一乃至第五の実施の形態では、短絡配線部１４０を、交換ユニット２の部品側コネクター１３０に形成していたが、本実施の形態では、第六の実施の形態と同様に、短絡配線部１４０を、接続コード１００のコード側コネクター１２０に形成しているものである。そして、短絡配線部１４０からプラス側電源２５０に接続されるプラス電源側配線部１５０や、短絡配線部１４０からマイナス側電源２６０に接続されるマイナス電源側配線部１６０等も、上述した第一乃至第五の実施の形態のように接続コード１００のコード部１０１内部に形成するのではなく、第六の実施の形態と同様に、本体キャビネット１側のコネクターブラケット２８０内部を通って電源ユニット４のプラス側電源２５０又はマイナス側電源２６０に接続されるものである。その他の信号出力手段２３０や、出力配線部３３０や、出力報知手段３００等の構成は、第三の実施の形態で説明したものと略同様である。以下、異なる点を主として説明する。
【０２８２】
本実施の形態に係るコネクター結合検知回路１１０は、４本の接続コード１００の接続状態を検知可能なものであるが、接続コード１００の両端の接続箇所のうち、接続コード１００をコネクターブラケット２８０側に接続する方の接続状態を検知可能なものである。
本実施の形態でも、第六の実施の形態と同様に、新台入れ替えにおける交換ユニット２の取付作業の際、遊技ホールにおける接続コード１００の接続作業は、本体キャビネット１側の部品であるコネクターブラケット２８０と、交換ユニット２の部品から延びる接続コード１００との間で行うものである。そして、接続コード１００の両端部のうち、交換ユニット２の各部品と、接続コード１００との間の接続は、工場出荷時において、予め確実に行われ、熟練した検査員が、専用の検査機器等によって、正常な接続状態に設定しているものである。したがって、本実施の形態では、接続コード１００の両端部のうち、交換ユニット２側に接続する方は、正常な接続状態であることを前提としているものである。そして、このコネクター結合検知回路１１０は、本体キャビネット１側のコネクターブラケット２８０と、交換ユニット２から延びる接続コード１００との間の接続状態を検知可能なものである。
【０２８３】
なお、図１６において、交換ユニット２側の部品の部品側コネクター１３０と、接続コード１００のコード側コネクター１２０とは、省略して描かれていないものである。
本実施の形態に係るコネクター結合検知回路１１０は、コード側コネクター１２０の列状に並んだ前記コード側端子１２１のうち両端の２つを内部で短絡させた短絡配線部１４０と、短絡配線部１４０の一端側のコード側端子１２１と係合する部品側端子１３１を、電源ユニット４のプラス側電源に接続するプラス電源側配線部１５０と、短絡配線部１４０の他端側のコード側端子１２１と係合する部品側端子１３１に一端が接続された中間配線部１７５と、中間配線部１７５の他端が接続されるとともに、この中間配線部１７５を介して、複数の接続コード１００の全ての前記短絡配線部１４０の前記部品側端子１３１からの電気信号が入力することを条件として、電気信号を出力する信号出力手段２３０と、信号出力手段２３０に一端が接続された出力配線部３３０と、出力配線部３３０からの電気信号が入力することを条件として、前記コネクター結合検知回路１１０に電気信号が流れていることを外部に報知するための出力報知手段３００とを備えているものである。
【０２８４】
ここで、信号出力手段２３０や、出力配線部３３０の構成は、第三の実施の形態で説明したものと共通であるため、それらの構成及びかかる構成による作用及び効果も共通しているため、それらの説明は省略する。
（第九の実施の形態）
図１７は、第九の実施の形態であって、コネクター結合検知回路の概略構成図を示すものである。
【０２８５】
上述した第五の実施の形態において、短絡配線部１４０を、交換ユニット２の部品側コネクター１３０に形成していたのに対して、本実施の形態では、第六の実施の形態と沿うように、短絡配線部１４０を接続コード１００のコネクターブラケット２８０側に取り付ける方のコード側コネクター１２０に形成しているものである。そして、直列に接続した４個の短絡配線部１４０の一方側の端部からプラス側電源２５０に接続されるプラス電源側配線部１５０は、上述した第一乃至第五の実施の形態のように接続コード１００のコード部１０１内部に形成するのではなく、第六の実施の形態と同様に、本体キャビネット１側のコネクターブラケット２８０内部を通って電源ユニット４のプラス側電源２５０に接続されるものである。また、直列に接続した４個の短絡配線部１４０の他方側の端部からマイナス側電源２６０に接続されるマイナス電源側配線部１６０は、上述した第一乃至第五の実施の形態のように接続コード１００のコード部１０１内部に形成するのではなく、第六の実施の形態と同様に、本体キャビネット１側のコネクターブラケット２８０内部を通って電源ユニット４のマイナス側電源２６０に接続されるものである。その他の出力報知手段３００、主電源２１１、主電源接続制御手段２１０及び主電源利用回路２１２等の構成は、第五の実施の形態で説明したものと同様である。
【０２８６】
そして、本実施の形態に係る作用及び効果も、４本の接続コード１００のコネクターブラケット２８０側の接続状態が正常状態でない状態の下で、主電源２１１からの電力が供給されることにより、主電源利用回路２１２の内部の電子機器が破損することを回避することができるという点で、第五の実施の形態で説明した作用及び効果と同様である。
【０２８７】
（第一〇の実施の形態）
図１８は、第一〇の実施の形態であって、コネクター結合検知回路の概略構成図を示すものである。
上述した第一乃至第九の実施の形態は、遊技機としてスロットマシンＳを対象とするものであったが、本実施の形態に係る遊技機は、パチンコ機を対象として、コネクター結合検知回路１１０を設けたものである。
【０２８８】
本実施の形態に係るパチンコ機では、制御装置３５０と、遊技盤面を有する遊技部９との間の電気信号を伝達するための接続コード１００に、コネクター結合検知回路１１０を設けたものである。具体的には、第一の実施の形態で説明したコネクターブラケット２８０と、交換ユニット２のリールユニット２２等の部品との間に形成されていたコネクター結合検知回路１１０と、接続する部品は異なるが、コネクター結合検知回路１１０の作用及び効果は、第一の実施の形態で説明したものと同様なものである。すなわち、第一の実施の形態と、図１のコネクターブラケット２８０が、制御装置３５０となり、交換ユニット２のリールユニット２２等の部品が遊技部９に変更されているものと、同様の関係が成り立つものである。
【０２８９】
パチンコ機は、下方側の基礎に固定される四角枠状をなす外枠と、この外枠に対して着脱および開閉自在に組付けられるとともに、各種の遊技構成部材が集約的に搭載される前枠と、この前枠にセットされる遊技盤面と、前記前枠及び前記遊技盤面の装着されている各種の電子機器を総括的に制御するための制御装置３５０とを備えている。
【０２９０】
本実施の形態に係るパチンコ機は、構造用の部材である外枠及び前枠からなる基体８と、この基体８に取り付けられて遊技を行うことが可能な遊技盤面からなる遊技部９と、遊技部９を制御するための制御装置３５０と、遊技機内部の各部品に電力を供給する電源ユニット４とを少なくとも備えているものである。
前記制御装置３５０は、パチンコ玉が入賞孔に入賞することにより、所定のランプ点滅や、液晶表示による演出を行わせたり、チューリップと呼ばれる入賞孔を所定時間だけ開く等の種々の特典を与えたりする等の遊技盤面に取り付けられた電子機器を制御するためのものである。
【０２９１】
また、パチンコ機の場合、新台入れ替えの際、遊技内容を変更するためには、少なくとも、この遊技部９及び制御装置３５０を交換することにより、遊技内容を変更することができるものである。その際、遊技部９と、制御装置３５０との間は、接続コード１００により、接続されるものである。
具体的には、パチンコ機は、遊技部９に一方の端部が接続され、制御装置３５０に他方の端部が接続されることにより、制御装置３５０の入出力の電気信号を、遊技部９内部の部品に伝達可能な接続コード１００と、この接続コード１００の接続状態を検知可能なコネクター結合検知回路１１０とを備えている。そして、接続コード１００の端部には、コード側コネクター１２０を設け、接続コード１００を接続する部品側には、コード側コネクター１２０が係合可能な部品側コネクター１３０を設けてある。
【０２９２】
そして、コード側コネクター１２０は、その内部で接続コード１００内の配線と結線されるとともに列状に並んだ複数のコード側端子１２１を有している。
前記部品側コネクター１３０は、その内部で部品内の配線と結線されるとともにコード側端子１２１と対応する位置に列状に並び、且つ、コード側コネクター１２０及び部品側コネクター１３０を係合した際にコード側端子１２１とそれぞれ係合可能な複数の部品側端子１３１を有している。
【０２９３】
上記コネクター結合検知回路１１０は、部品側コネクター１３０の列状に並んだ部品側端子１３１のいずれか２つを内部で短絡させた短絡配線部１４０と、短絡配線部１４０の一端側の部品側端子１３１と係合するコード側端子１２１を、電源ユニット４のプラス側電源２５０に接続するプラス電源側配線部１５０と、短絡配線部１４０の他端側の部品側端子１３１と係合するコード側端子１２１を、電源ユニット４のマイナス側電源２６０に接続するマイナス電源側配線部１６０と、コネクター結合検知回路１１０の途中に直列接続した抵抗１８０と、コネクター結合検知回路１１０の途中に直列接続してコネクター結合検知回路１１０に電気信号が流れたことを外部に報知するための発光ダイオード２００からなる接続報知手段１９０とを備えているものである。
【０２９４】
（本実施の形態の作用及び効果）
本実施の形態は、コード側コネクター１２０と部品側コネクター１３０とが正常に接続されている場合、すなわち、コード側コネクター１２０のコード側端子１２１と、部品側コネクター１３０の部品側端子１３１とが、互いに正常に接続されているような場合、プラス電源側配線部１５０の電流が、短絡配線部１４０を通って、抵抗１８０及び接続報知手段１９０を介して、マイナス電源側配線部１６０へ通じ、マイナス側の電源に通じる。その際、接続報知手段１９０に電気信号が流れて、コネクター結合検知回路１１０に電気信号が流れていることが外部に出力される。これにより、接続作業者は、コード側コネクター１２０と部品側コネクター１３０とが正常に接続されていることを知ることができる。
【０２９５】
一方、コード側コネクター１２０と部品側コネクター１３０とが、接続されていない場合や、何らかの理由により、正常に接続されていない場合、すなわち、コード側コネクター１２０のコード側端子１２１と、部品側コネクター１３０の部品側端子１３１とが、互いに正常に接続されていないような場合、プラス電源側配線部１５０の電流が、短絡配線部１４０を介して、マイナス電源側配線部１６０へ流れず、接続報知手段１９０にも電気信号が流れず、接続報知手段１９０からの外部への出力も行われない。これにより、接続作業者は、コード側コネクター１２０と、部品側コネクター１３０とが正常に接続されていないことを知ることができる。
【０２９６】
このように、コード側コネクター１２０と、部品側コネクター１３０とが正常に接続されていれば、接続報知手段１９０からの出力により、すなわち、発光ダイオード２００の点灯により、正常な接続状態であることを知ることができ、正常に接続されていなければ、接続報知手段１９０からの出力が行われない、すなわち、発光ダイオード２００が点灯しないことで、正常な接続状態でないことを知ることができる。このため、遊技部９と、制御装置３５０との間の接続コード１００による接続状態を、接続報知手段１９０を介して、確認することができる。これにより、遊技部９と、制御装置３５０との間の接続コード１００による接続ミスや、接続忘れの発生を回避することができて、遊技機を正常に作動させることができる。
【０２９７】
そして、遊技部９と、制御装置３５０との間の接続コード１００による接続箇所が複数個、存在するような場合、上述したコネクター結合検知回路１１０をそれぞれ設けることにより、それらのうちの、いずれの接続コード１００の接続箇所の接続不良が原因で、遊技機が正常に作動しないか、接続箇所の特定を容易に理解することができる。これにより、接続箇所の接続不良が原因で、遊技機が正常に作動しない場合、全ての接続箇所をチェックする必要がなく、接続コード１００の接続チェック作業を容易にすることができる。
【０２９８】
（第一一の実施の形態）
図１９及び図２０は、第一一の実施の形態であって、図１９は枠体の斜め後方からの外観斜視図、図２０はコネクター結合検知回路の概略構成図をそれぞれ示す。
本実施の形態は、第六の実施の形態で説明したような主制御装置２５、副制御装置２６及びリールユニット２２からの合計４本の接続コード１００のうち、リールユニット２２からの接続コード１００のコード側コネクター１２０だけを、図１９に示すように、枠体２１の背面に設けて、かかるコード側コネクター１２０に接合可能な部品側コネクター１３０を本体キャビネット１の内面奥側に設けたものである。そして、交換ユニット２の枠体２１を、本体キャビネット１内部の予め設定した所定の固定位置に収めた状態のときに、リールユニット２２からの接続コード１００のコード側コネクター１２０と、これに対応する部品側コネクター１３０との両者が、電気的に接続するように配置されていることに特徴を有するものである。なお、その他の構成は、第六の実施の形態と同様であるためそれらの説明を省略する。
【０２９９】
そして、かかるリールユニット２２からの接続コード１００も、その接続状態を検知可能なコネクター結合検知回路１１０を設けているものである。そして、残りの３本の接続コード１００は、第六の実施の形態で説明したものと同一のものを使用しているものである。
本実施の形態は、リールユニット２２の接続コード１００のコード側コネクター１２０が、枠体２１の背面側の下部の横枠に、枠体２１の背面方向に臨むように固定されているものである。すなわち、このコード側コネクター１２０は、図１３に示すようなコード側コネクター１２０の接合正面の横方向の長さが、枠体２１の横枠の方向に長く延びているような長方形状に形成されて、枠体２１の背面下部に固定されている。なお、特に図示していないが、かかるコード側コネクター１２０の裏面には、リールユニット２２に延びるコード部１０１が、リールユニット２２まで延設されているものである。そして、このコード側コネクター１２０の正面には、その内部で接続コード１００の配線と結線されるとともに８個、列状に並んだ円筒形のピン孔状のコード側端子１２１が形成されている。そして、コード側コネクター１２０の列状に並んだ８個のコード側端子１２１の両端の２つを内部で配線により短絡させた短絡配線部１４０が形成されている。
【０３００】
そして、枠体２１を本体キャビネット１の内部に収めた状態のときに、コード側コネクター１２０と整合するような本体キャビネット１の内面の奥側の位置に、部品側コネクター１３０が固定されている。この部品側コネクター１３０は、コード側コネクター１２０と整合するように本体キャビネット１の内面の奥側に正面方向に臨むように固定されているものである。この部品側コネクター１３０も、コード側コネクター１２０と同様に、接合正面が横方向に長く延びた長方形状に形成されている。そして、この部品側コネクター１３０は、コード側コネクター１２０の８個のコード側端子１２１と整合する位置に、８個の部品側端子１３１が横方向、列状の等間隔に形成されている。この部品側端子１３１は、コード側端子１２１のピン孔状の形状に差し込み可能な略円柱形のピン状に形成されている。そして、この部品側端子１３１のピンは、正面側の方向に向かって突出しており、コード側端子１２１のピン孔の深さに対応するような長さに設定されている。
【０３０１】
そして、これらのコード側コネクター１２０及び部品側コネクター１３０の配線は、第六の実施の形態で説明したものと同様に形成されている。すなわち、短絡配線部１４０の両端のうち右側のコード側端子１２１と係合する部品側コネクター１３０の部品側端子１３１を、プラス電源側配線部１５０により、電源ユニット４のプラス側電源２５０に接続している。また、短絡配線部１４０の両端のうち左側のコード側端子１２１と係合する部品側コネクター１３０の部品側端子１３１を、マイナス電源側配線部１６０により、電源ユニット４のマイナス側電源２６０に接続している。そして、コネクター結合検知回路１１０の途中には、抵抗１８０が直列接続されている。そして、コネクター結合検知回路１１０は、その途中に直列接続して、コネクター結合検知回路１１０に電気信号が流れたことを外部に報知するための発光ダイオード２００からなる接続報知手段１９０を備えている。
【０３０２】
本実施の形態に係るスロットマシンＳは、交換ユニット２の枠体２１を、本体キャビネット１の開口上部１３の正面側から奥側に向かって押し込むと、枠体２１の背面に背面方向に臨むように固定されたコード側コネクター１２０を、本体キャビネット１の内面の奥側に正面方向に臨むように固定された部品側コネクター１３０に整合して、両者を接続させることができる。すなわち、交換ユニット２の枠体２１を、本体キャビネット１の内部の所定の位置に収める作業と、交換ユニット２のリールユニット２２からの接続コード１００のコード側コネクター１２０と、それに接続する本体キャビネット１側の部品側コネクター１３０との接続作業とを、同時に行うことができる。
【０３０３】
そして、枠体２１を、本体キャビネット１の固定位置に収めた状態のときに、部品側コネクター１３０及びコード側コネクター１２０の両者が接続されるように配置されている。このため、コネクター結合検知回路１１０により、部品側コネクター１３０とコード側コネクター１２０との接続状態が正常であることが検知された場合、枠体２１の背面に設けたリールユニット２２の接続コード１００のコード側コネクター１２０と、それに対応する部品側コネクター１３０との接続状態が正常に接続されていることに加えて、枠体２１が、本体キャビネット１の内部の所定の固定位置に収まった状態であることも、意味する。これにより、接続コード１００の接続状態を検知するとともに、枠体２１が所定の固定位置に設置されているか否かの位置確認の検知もすることができる。
【０３０４】
そして、本実施の形態では、短絡配線部１４０は、コード側コネクター１２０の列状に並んだ前記コード側端子１２１の両端を短絡させることにより形成されている。すなわち、列状に並んだコード側端子１２１の両端が適正に接続されている状態であれば、両端の間の列状に並んだコード側端子１２１は、適正な接続状態である可能性が高く、接続コード１００のコネクター結合検知回路１１０の検知能力の確実性を増すことができる。そして、かかる短絡配線部１４０を接続したコード側端子１２１は、枠体２１の背面の左右にわたって形成されたコード側コネクター１２０の両端に位置している。このため、枠体２１が、本体キャビネット１に対して、僅かに回転して、斜めに傾斜した状態で、本体キャビネット１内部に押し込まれると、その両端に位置するコード側端子１２１は、それに対応する部品側端子１３１と正常に接続することができない。その結果、コネクター結合検知回路１１０に電気が流れず、正常な接続状態でないことが、接続報知手段１９０により、外部に報知される。これにより、枠体２１が、所定の固定位置に、予め定めた的確な状態で収まっている状態であるか否かをより確実に判断することが可能となる。
【０３０５】
なお、本実施の形態では、第六の実施の形態で説明した内容のうち、リールユニット２２からの接続コード１００だけのコード側コネクター１２０を、図１９のように、枠体２１の背面に設けているが、特にこれに限定されるものではない。例えば、残りの３本の主制御装置２５及び副制御装置２６からの接続コード１００のコード側コネクター１２０も、同様に枠体２１の背面に図１９に示すような左右方向にわたるようにして形成し、全部で４つのコード側コネクター１２０を枠体２１の背面に設け、それに対応する部品側コネクター１３０を本体キャビネット１内面側に設けても良いものである。
【０３０６】
（第一二の実施の形態）
図２１及び図２２は、第一二の実施の形態であって、図２１は枠体の斜め後方からの外観斜視図、図２２はコネクター結合検知回路の概略構成図をそれぞれ示す。
本実施の形態は、第一一の実施の形態と同様に、接続コード１００のコード側コネクター１２０を、枠体２１の背面側の下部に、枠体２１の背面方向に臨むように固定しているものである。但し、本実施の形態は、主制御装置２５から２本、副制御装置２６から１本、リールユニット２２から１本の合計４本の接続コード１００の４個のコード側コネクター１２０が、枠体２１の背面の左右横方向にわたって列状に固定されている。そして、それに対応する４個の部品側コネクター１３０は、本体キャビネット１の内面の奥側に左右横方向にわたって、コード側コネクター１２０と整合するような位置に、列状に固定されている。そして、本実施の形態でも、第一一の実施の形態と同様に、交換ユニット２の枠体２１を、本体キャビネット１の内部の予め定めた固定位置に収めた状態のときに、コード側コネクター１２０及び部品側コネクター１３０の両者が、接続するように配置されているものである。
【０３０７】
本実施の形態は、第一一の実施の形態と同様に、交換ユニット２の枠体２１を、本体キャビネット１の内部の所定の位置に収める作業と、交換ユニット２の内部の部品のコード側コネクター１２０と、部品側コネクター１３０との接続作業とを、同時に行うことができる。しかも、本実施の形態では、４個のコード側コネクター１２０を枠体２１の背面側に設けて、それに対応する部品側コネクター１３０を本体キャビネット１内面側に設けているため、枠体２１の１回の固定作業により、４本の接続コード１００の接続作業を完了することができるものである。
【０３０８】
本実施の形態は、４個のコード側コネクター１２０が、枠体２１の背面下部の左右横方向にわたって、列状に配置されている。そして、４個の部品側コネクター１３０が、かかる４個のコード側コネクター１２０と整合するような位置に、本体キャビネット１内面の奥側に横方向にわたって、配置されている。このため、４個のコード側コネクター１２０及び部品側コネクター１３０を有するコネクター結合検知回路１１０により、両者の接続状態に加えて、枠体２１が所定の固定位置に収まったか否かの確認を、より確実に行うことができる。
【０３０９】
すなわち、本実施の形態は、枠体２１を、本体キャビネット１の固定位置に収めた状態のときに、４組の部品側コネクター１３０及びコード側コネクター１２０の両者が、全て完全に接続されるように配置されている。このため、コネクター結合検知回路１１０により、接続状態が正常であることが検知された場合、接続コード１００の接続状態が全て正常に接続されていることに加えて、枠体２１が、本体キャビネット１の内部の所定の固定位置に収まった状態であることを確認することができるものである。
【０３１０】
更に、具体的に説明する。
本実施の形態では、図２２に示すように、短絡配線部１４０を、接続コード１００のコード側コネクター１２０に形成している。そして、プラス電源側配線部１５０は、４個の接続コード１００の右側に位置する、リールユニット２２からの接続コード１００の短絡配線部１４０からプラス側電源２５０に接続されている。また、マイナス電源側配線部１６０は、４個の接続コード１００の左側に位置する、主制御装置２５の接続コード１００の短絡配線部１４０からマイナス側電源２６０に接続されている。
【０３１１】
そして、プラス電源側配線部１５０の途中に、抵抗１８０と、スイッチ２７０とが直列接続されている。また、マイナス電源側配線部１６０の途中に、発光ダイオード２００からなる接続報知手段１９０が直列に接続されている。そして、列状に並んだ４個の短絡配線部１４０の間は、直列配線部１７０により、直列に接続されるように配置されているものである。
【０３１２】
なお、図２２において、交換ユニット２側の部品の部品側コネクター１３０と、接続コード１００のコード側コネクター１２０とは、省略してあり、描かれていないものである。
また、枠体２１の背面に設けた４個のコード側コネクター１２０は、図２１に示すように、第一一の実施の形態で説明したものと同様に、８個の円筒形のピン孔状のコード側端子１２１を備えている。そして、それらの両端のコード側端子１２１同士は、コード側コネクター１２０内部で配線により短絡する短絡配線部１４０をそれぞれ設けてあるものである。そして、本体キャビネット１の内面側に設けた４個の部品側コネクター１３０は、図２１に示すように、第一一の実施の形態で説明したものと同様に、８個の円柱形のピン状の部品側端子１３１を備えている。そして、４個のコード側コネクター１２０及び部品側コネクター１３０のそれぞれにおいて、８個の部品側端子１３１と、８個のコード側端子１２１とは、枠体２１を所定の固定位置に収めた状態のときに、全て整合して、接続するように配置されているものである。
【０３１３】
本実施の形態に係るコネクター結合検知回路１１０は、４個の短絡配線部１４０を、直列配線部１７０を介して、直列に接続しているものである。このコネクター結合検知回路１１０は、第七の実施の形態で説明した図１７に示すコネクター結合検知回路１１０と略同様である。
前記直列配線部１７０は、上述した４つの短絡配線部１４０の間を、直列に接続している配線である。具体的には、図２２に示すように、主制御装置２５から延びる二本の接続コード１００のコード側コネクター１２０内部の短絡配線部１４０間を接続している。そして、直列配線部１７０は、主制御装置２５から延びる二本の接続コード１００のうち、向かって右側（図２２）の接続コード１００のコード側コネクター１２０内部の短絡配線部１４０と、副制御装置２６から延びる接続コード１００のコード側コネクター１２０内部の短絡配線部１４０との間を接続している。そして、直列配線部１７０は、副制御装置２６から延びる接続コード１００のコード側コネクター１２０内部の短絡配線部１４０と、リールユニット２２から延びる接続コード１００のコード側コネクター１２０内部の短絡配線部１４０との間を接続している。上述したように４個の短絡配線部１４０の間の３カ所を直列配線部１７０で接続することにより、４個の短絡配線部１４０が、直列に接続されるものである。
【０３１４】
前記プラス電源側配線部１５０は、かかる４個の短絡配線部１４０を直列に接続した短絡配線部１４０のうち、一端側の短絡配線部１４０の直列配線部１７０を接続していない端部側のコード側端子１２１と係合する部品側端子１３１を、電源ユニット４のプラス側電源２５０に接続するものである。具体的には、プラス側電源２５０は、リールユニット２２から延びる接続コード１００のコード側コネクター１２０内部にある短絡配線部１４０の両端部のうち、直列配線部１７０が接続されていない方の端部と、電源ユニット４のプラス側電源２５０とを結ぶものである。そして、このプラス電源側配線部１５０の途中には、抵抗１８０と、手動により、コネクター結合検知回路１１０の作動のオンオフを切り替えることが可能なスイッチ２７０とが直列に接続されている。
【０３１５】
前記マイナス電源側配線部１６０は、上述した４個の短絡配線部１４０を直列に接続した短絡配線部１４０のうち、他端側、すなわち、前記プラス電源側配線部１５０が接続されていない方の端部側の短絡配線部１４０の端部に接続されるものである。さらに、具体的には、マイナス電源側配線部１６０は、かかる短絡配線部１４０の両端のうち、直列配線部１７０を接続していない方の端部のコード側端子１２１と係合する部品側端子１３１を、電源ユニット４のマイナス側電源２６０に接続しているものである。そして、マイナス電源側配線部１６０の途中には、発光ダイオード２００からなる接続報知手段１９０を直列に接続している。
【０３１６】
本実施の形態は、コネクター結合検知回路１１０の４個のコード側コネクター１２０と、それに対応する４個の部品側コネクター１３０とが、全て正常に接続されている場合、コネクター結合検知回路１１０に電流が流れる。その際、接続報知手段１９０の発光ダイオード２００に電気信号が流れて、外部に向かって発光する。これにより、作業者は、４組のコード側コネクター１２０と、部品側コネクター１３０とが正常に接続されていることと、枠体２１が所定の固定位置に収まっている状態であることとの両方を知ることができる。また、作業者が、かかる４本の接続コード１００の接続作業と、枠体２１の本体キャビネット１への組み込み作業とを、同時に一つの動作で行うことができ、作業効率を上げることができる。
【０３１７】
一方、コネクター結合検知回路１１０の４本の接続コード１００のうち、少なくとも一つのコード側コネクター１２０と、それに対応する部品側コネクター１３０とが、全く接続されていない場合や、何らかの理由により、正常に接続されていない場合、プラス電源側配線部１５０の電流が、４個の短絡配線部１４０と、それらの間の直列配線部１７０とを介して、マイナス電源側配線部１６０へ流れず、接続報知手段１９０にも電気信号が流れず、接続報知手段１９０からの外部への出力も行われない。これにより、周囲の者は、複数の接続コード１００のうちの、少なくとも一つのコード側コネクター１２０と、部品側コネクター１３０とが正常に接続されていないことを知ることができる。また、同時に、枠体２１が、本体キャビネット１の内部の所定の固定位置に正常に収まっていないことを知ることができる。
【０３１８】
このように、作業者は、複数の接続コード１００の全てのコード側コネクター１２０と、それに対応する部品側コネクター１３０とが全て正常に接続されていれば、接続報知手段１９０からの出力により、全て正常な接続状態であることを知ることができ、同時に、枠体２１を本体キャビネット１内部の所定の固定位置に収めることができたことの確認をすることができる。そして、複数の接続コード１００のうちの少なくとも一つのコード側コネクター１２０及び部品側コネクター１３０の組み合わせが、正常に接続されていなければ、接続報知手段１９０からの出力が行われないことで、正常な接続状態でないことと、枠体２１が予め定めた所定の固定位置に設定されていないこととの両方を知ることができる。
【０３１９】
このため、交換ユニット２側の部品と、本体キャビネット１内部の部品との間の複数の接続コード１００における接続状態と、枠体２１の固定位置の状態とを、一つの接続報知手段１９０を介して、同時に確認することができる。これにより、交換ユニット２側の部品と、本体キャビネット１内部の部品との間の複数の接続コード１００における接続ミスや、接続忘れの発生を回避することができ、また、枠体２１の組み込み不備、取り付け不良を回避することができる。
【０３２０】
なお、本実施の形態は、４本の接続コード１００のコード側コネクター１２０と、部品側コネクター１３０とを、図２１に示すように、枠体２１の背面側に固定したことを特徴とするもので、コネクター結合検知回路１１０の回路内容は、第七の実施の形態の図７に示される内容と、同様のものである。そして、コネクター結合検知回路１１０の内容は、上述したものに限定されるものではなく、コード側コネクター１２０と、部品側コネクター１３０とは、図２１に示すような位置に固定したままで、コネクター結合検知回路１１０の回路だけを、今まで、説明してきた他の回路に変更しても良いものである。
【０３２１】
具体的には、例えば、コード側コネクター１２０と、部品側コネクター１３０とは、図２１に示すような位置に固定した状態で形成し、コネクター結合検知回路１１０を、第六の実施の形態の図１４で説明したようなものに変更することができる。これにより、４本の各接続コード１００の接続状態を、それぞれ個別に検知することができ、接続不良に対して、迅速に対応することができる。また、個別に接続状態を検知することができることにより、枠体２１の背面に列状に固定した４組のコード側コネクター１２０と、部品側コネクター１３０とのどれが正常に接続されているか、正常でないかの情報を得ることができ、かかる情報により、いずれの箇所が、枠体２１の予め定めた所定の固定位置にあるか否かの判断を行うことができる。例えば、右側２つコード側コネクター１２０及び部品側コネクター１３０が正常に接続されて、左側２つのコード側コネクター１２０及び部品側コネクター１３０が正常に接続されていないような場合、枠体２１の左側が、所定の固定位置に達していないことが推定される。これにより、枠体２１の左側を本体キャビネット１の奥側に押し込むことにより、対応することが可能となる。
【０３２２】
また、例えば、コード側コネクター１２０及び部品側コネクター１３０は、図２１に示すような位置に固定した状態で形成し、コネクター結合検知回路１１０を、第八の実施の形態の図１６で説明したようなものに変更することができる。これにより、第八の実施の形態で説明した作用及び効果に加えて、枠体２１が、所定の固定位置に収まっているかの情報を得ることができる。
【０３２３】
また、例えば、コード側コネクター１２０及び部品側コネクター１３０は、図２１に示すような位置に固定した状態で形成し、コネクター結合検知回路１１０を、第九の実施の形態の図１７で説明したようなものに変更することができる。これにより、第九の実施の形態で説明した作用及び効果に加えて、枠体２１が、所定の固定位置に収まっているかの情報を得ることができる。
【０３２４】
また、例えば、コード側コネクター１２０及び部品側コネクター１３０は、図２１に示すような位置に固定した状態で形成し、コネクター結合検知回路１１０を、その回路配線の途中に、第四の実施の形態の図９及び図１０で説明したような扉連動スイッチ２２０を挿入したものに変更することができる。これにより、第四の実施の形態で説明した作用及び効果に加えて、枠体２１が、所定の固定位置に収まっているかの情報を得ることができる。
【０３２５】
（第一三の実施の形態）
図２３及び図２４は、第一三の実施の形態であって、図２３は枠体の斜め後方からの外観斜視図、図２４はコネクター結合検知回路及び定位置確認回路の概略構成図をそれぞれ示す。
本実施の形態は、第七の実施の形態の図１５で説明したコネクター結合検知回路１１０に定位置確認回路４００を加えたものである。
【０３２６】
上記定位置確認回路４００は、枠体２１が本体キャビネット１の内部の固定位置にあるか否かの確認をするためのものである。
定位置確認回路４００は、枠体２１の背面下部の左右に位置するとともに枠体２１の背面方向に臨む２つの枠体側接続確認端子４１０と、枠体２１を本体キャビネット１内部の予め定めた所定の固定位置に収めた状態のときに、枠体側接続確認端子４１０とそれぞれ接続するように、本体キャビネット１の内面の奥側の左右に位置するとともに本体キャビネット１の正面方向に臨む２つの本体側接続確認端子４２０と、枠体側接続確認端子４１０の２つを枠体２１内部で短絡させた枠体短絡配線部４３０と、本体側接続確認端子４２０の一方を、電源ユニット４のプラス側電源２５０に接続するプラス側定位置確認配線部４４０と、本体接続確認端子の他方を、電源ユニット４のマイナス側電源２６０に接続するマイナス側定位置確認配線部４５０と、定位置確認回路４００の途中に直列接続した抵抗４６０と、定位置確認回路４００の著中に直列接続して定位置確認回路４００に電気信号が流れたことを外部に報知するための定位置報知手段４７０とを備えているものである。
【０３２７】
前記枠体側接続確認端子４１０は、枠体２１の背面下部の横枠の左右に円筒形のピン孔状に２個、形成されている。かかる枠体側接続確認端子４１０のピン孔状の孔は、枠体２１の背面方向に向かって開口している。そして、前記枠体短絡配線部４３０は、かかる枠体側接続確認端子４１０の内部で、配線により短絡しているものである。
【０３２８】
前記本体側接続確認端子４２０は、枠体２１を所定の固定位置に押し込んだ際、前記枠体側接続確認端子４１０の内部に差し込み可能となるような整合する位置に合計２カ所、形成されているものである。本体側接続確認端子４２０は、全体形状が略円柱形のピン状であって、その長さは、枠体側接続確認端子４１０のピン孔の深さと略同一に形成されている。そして、かかる本体側接続確認端子４２０は、枠体２１を本体キャビネット１内部の予め定めた所定の固定位置に収めた状態のときに、枠体側接続確認端子４１０の内部の所定位置に入り込んで、両者が接続状態となるように設定されているものである。
【０３２９】
前記プラス側定位置確認配線部４４０は、右側の本体側接続確認端子４２０からの配線を、プラス電源側配線部１５０の抵抗１８０とスイッチ２７０との間につなげることにより、右側の本体側接続確認端子４２０を、電源ユニット４のプラス側電源２５０に接続するものである。
前記マイナス電源側配線部１６０は、左側の本体側接続確認端子４２０からの配線を、マイナス電源側配線部１６０の途中につなげることにより、電源ユニット４のマイナス側電源２６０に接続するものである。
【０３３０】
前記定位置報知手段４７０は、定位置確認回路４００に電気信号が流れたときに、発光する発光ダイオードから形成されているものである。この定位置報知手段４７０の発光ダイオードは、コネクターブラケット２８０の前面側に設けてある。これは、作業者が、定位置報知手段４７０の発光ダイオードの発光を前面側から確認することができるような位置に形成されている。
【０３３１】
本実施の形態は、通常、交換ユニット２の取り付け作業をする場合、作業者は、交換ユニット２の枠体２１を、本体キャビネット１の所定の固定位置に収めるために、本体キャビネット１の正面側から枠体２１を奥側に向かって押し込む。その際、枠体２１が、本体キャビネット１内部の所定の固定位置に収まることにより、枠体側接続確認端子４１０と、本体側接続確認端子４２０とが、正常に接続されるものである。このように、枠体２１の背面に固定した２つの枠体側接続確認端子４１０と、本体キャビネット１の内面側に固定した２つの本体側接続確認端子４２０とが正常に接続されている場合、プラス側定位置確認配線部４４０の電流が、枠体短絡配線部４３０を通って、抵抗４６０及び定位置報知手段４７０を介して、マイナス側定位置確認配線部４５０へ通じ、マイナス側の電源に通じる。その際、発光ダイオードからなる定位置報知手段４７０に電気信号が流れて、定位置確認回路４００に電気信号が流れていることが外部に出力される。これにより、作業者は、２つの枠体側接続確認端子４１０と、２つの本体側接続確認端子４２０との両方が正常に接続されていることを知ることができて、交換ユニット２の枠体２１が、本体キャビネット１の適正な固定位置に収まっている状態であることを知ることができる。
【０３３２】
一方、枠体側接続確認端子４１０と、本体側接続確認端子４２０とが、接続されていない場合や、何らかの理由により、正常に接続されていない場合、プラス側定位置確認配線部４４０の電流が、枠体短絡配線部４３０を介して、マイナス側定位置確認配線部４５０へ流れず、発光ダイオードからなる定位置報知手段４７０にも電気信号が流れず、定位置報知手段４７０からの外部への出力も行われない。これにより、周囲の者は、枠体側接続確認端子４１０と、本体側接続確認端子４２０とが正常に接続されていないことを知ることができて、交換ユニット２の枠体２１が、本体キャビネット１の固定位置に収まっていない状態であることを知ることができる。
【０３３３】
このように、作業者は、枠体側接続確認端子４１０と、本体側接続確認端子４２０とが正常に接続されていれば、定位置報知手段４７０からの外部への出力により、枠体２１が、本体キャビネット１の固定位置に収まっている状態であることを知ることができ、正常に接続されていなければ、定位置報知手段４７０からの出力が行われないことで、枠体２１が、固定位置に収まっていないことを知ることができる。枠体２１が本体キャビネット１内部の適正な固定位置に収まっているか否かの確認を、定位置報知手段４７０を介してすることができる。これにより、交換ユニット２の枠体２１と、本体キャビネット１内部との取付ミスや、取付不良の発生を回避することができて、遊技機を正常に作動させることができる。
【０３３４】
本実施の形態に係るコネクター結合検知回路１１０は、第７の実施の形態の図１５で説明したものと同様であるため、それらの説明は省略する。
本実施の形態に係る遊技機は、上述した定位置確認回路４００と、コネクター結合検知回路１１０との両方を備えていることにより、交換ユニット２の取り付け作業者は、交換ユニット２の枠体２１が所定の固定位置に納まっていることの確認と、交換ユニット２の各部品の接続コード１００の接続状態が正常状態であることの確認とを、交換ユニット２の正面側の２つの発光ダイオードの発光により、瞬間的に実行することができる。これにより、交換ユニット２の取り付け作業を、短時間且つ確実に行うことができ、取り付け作業を容易なものにすることができる。
【０３３５】
なお、本実施の形態は、第７の実施の形態で説明した図１５に示すコネクター結合検知回路１１０に定位置確認回路４００を加えたものであり、コネクター結合検知回路１１０は、第七の実施の形態の図７に示される内容と、同様のものである。そして、コネクター結合検知回路１１０の内容は、第七の実施の形態で説明したものに特に限定されるものではなく、上述した他の回路に変更しても良いものである。
【０３３６】
具体的には、例えば、図２４に示す定位置確認回路４００は、そのままで、図２４に示すコネクター結合検知回路１１０を、第六の実施の形態の図１４で説明したようなものに変更することができる。これにより、第六の実施の形態の作用及び効果に加えて、上述した枠体２１の固定位置の確認を行うことができ、交換ユニット２の取り付け作業を容易なものにすることができる。
【０３３７】
また、例えば、図２４に示す定位置確認回路４００は、そのままで、図２４に示すコネクター結合検知回路１１０を、第八の実施の形態の図１６で説明したようなものに変更することができる。これにより、第八の実施の形態の作用及び効果に加えて、上述した枠体２１の固定位置の確認を行うことができ、交換ユニット２の取り付け作業を容易なものにすることができる。
【０３３８】
また、例えば、図２４に示す定位置確認回路４００は、そのままで、図２４に示すコネクター結合検知回路１１０を、第九の実施の形態の図２１で説明したようなものに変更することができる。これにより、第九の実施の形態の作用及び効果に加えて、上述した枠体２１の固定位置の確認を行うことができ、交換ユニット２の取り付け作業を容易なものにすることができる。
【０３３９】
また、例えば、定位置確認回路４００の配線の途中に、第四の実施の形態の図９及び図１０で説明したような扉連動スイッチ２２０を挿入したものに変更することができる。これにより、第四の実施の形態で説明した作用及び効果に加えて、枠体２１が、所定の固定位置に収まっているかの情報を得ることができる。
【０３４０】
【発明の効果】
本発明は、以上のように構成されているので、以下に記載されるような効果を奏する。
（請求項１）
請求項１記載の発明によれば、次のような効果を奏する。
【０３４１】
すなわち、請求項１記載の発明によれば、遊技部と、制御装置との間の接続コードによる接続ミスや、接続忘れの発生を回避することができ、また、それらの接続チェックを容易にすることができるようにした遊技機を提供することができる。
（請求項２及び３）
請求項２及び３記載の発明によれば、次のような効果を奏する。
【０３４２】
すなわち、請求項２及び３記載の発明によれば、交換ユニット側の部品と、本体キャビネット内部の部品との間の接続コードによる接続ミスや、接続忘れの発生を回避することができ、また、それらの接続チェックも容易にすることができるようにした遊技機を提供することができる。
（請求項４及び５）
請求項４及び５記載の発明によれば、次のような効果を奏する。
【０３４３】
すなわち、請求項４及び５記載の発明によれば、交換ユニット側の部品と、本体キャビネット内部の部品との間の複数の接続コードにおける接続状態を、一つの接続報知手段を介して、確認することができて、複数の接続コードにおける接続ミスや、接続忘れの発生を回避することができるようにした遊技機を提供することができる。
【０３４４】
（請求項６及び７）
請求項６及び７記載の発明によれば、次のような効果を奏する。
すなわち、請求項６及び７記載の発明によれば、交換ユニット側の部品と、本体キャビネット内部の部品との間の複数の接続コードによる接続状態を、信号出力手段及び接続報知手段を介して、確認することができ、複数の接続コードによる接続ミスや、接続忘れの発生を回避することができるようにした遊技機を提供することができる。
【０３４５】
（請求項８）
請求項８記載の発明によれば、上記した請求項６又は請求項７に記載の発明の効果に加え、次のような効果を奏する。
すなわち、請求項８記載の発明によれば、信号出力手段と、接続報知手段とに流れる適正電流値のレベルが異なるような場合でも、対応することができるようにした遊技機を提供することができる。
【０３４６】
（請求項９）
請求項９記載の発明によれば、上記した請求項４又は請求項５に記載の発明の効果に加え、次のような効果を奏する。
すなわち、請求項９記載の発明によれば、接続コードが正常に接続されてない場合、主電源から主電源利用回路に電源出力が行われることを防止し、部品が破損するようなことを回避することができるようにした遊技機を提供することができる。
【０３４７】
（請求項１０）
請求項１０記載の発明によれば、上記した請求項９に記載の発明の効果に加え、次のような効果を奏する。
すなわち、請求項１０記載の発明によれば、トランジスタスイッチを用いることにより、接続コードが正常に接続されてない場合、主電源から主電源利用回路に電源出力が行われることを防止し、部品が破損するようなことを回避することができるようにした遊技機を提供することができる。
【０３４８】
（請求項１１）
請求項１１記載の発明によれば、上記した請求項１乃至８のいずれか１項に記載の発明の効果に加え、次のような効果を奏する。
すなわち、請求項１１記載の発明によれば、前扉を閉じる動作に連動して、かかるコネクター結合検知回路が作動しないようにすることができ、容易に電力の無駄を回避することができるようにした遊技機を提供することができる。
【０３４９】
（請求項１２）
請求項１２記載の発明によれば、上記した請求項６乃至８のいずれか１項に記載の発明の効果に加え、次のような効果を奏する。
すなわち、請求項１２記載の発明によれば、信号出力手段が、全ての短絡配線部からの電気信号が入力することにより、電気信号を出力し、短絡配線部からの電気信号のうちの一つでも入力されなければ、最終的に、電気信号を出力しないことに基づいて、接続コードの接続状態を検知可能な遊技機を提供することができる。
【０３５０】
（請求項１３）
請求項１３記載の発明によれば、上記した請求項３、５、７、８、９、１０、１１、１２のいずれか１項に記載の発明の効果に加え、次のような効果を奏する。
すなわち、請求項１３記載の発明によれば、交換ユニットの枠体が所定の固定位置に設置されているか否かの確認が可能な遊技機を提供することができる。
【０３５１】
（請求項１４）
請求項１４記載の発明によれば、上記した請求項１３に記載の発明の効果に加え、次のような効果を奏する。
すなわち、請求項１４記載の発明によれば、枠体が所定の固定位置に収まったか否かの確認を、より確実に行うことができるようにした遊技機を提供することができる。
【０３５２】
（請求項１５）
請求項１５記載の発明によれば、上記した請求項１３又は請求項１４に記載の発明の効果に加え、次のような効果を奏する。
すなわち、請求項１５記載の発明によれば、コネクター結合検知回路の検知能力の確実性を増すことができ、枠体が所定の固定位置に収まっている状態であることの確実性を増すことができるようにした遊技機を提供することができる。
【０３５３】
（請求項１６）
請求項１６記載の発明によれば、上記した請求項２乃至１２のいずれか１項に記載の発明の効果に加え、次のような効果を奏する。
すなわち、請求項１６記載の発明によれば、交換ユニットの枠体と、本体キャビネット内部との取付ミスや、取付不良の発生を回避することができるようにした遊技機を提供することができる。
【図面の簡単な説明】
【図１】本発明の第一の実施の形態であって、コネクター結合検知回路を示す概略構成図である。
【図２】本発明の第一の実施の形態であって、コード側コネクター及び部品側コネクターを示す概略斜視図である。
【図３】本発明の第一の実施の形態であって、コード側コネクター及び部品側コネクターの接続不良状態を示す概略構成図である。
【図４】本発明の第一の実施の形態であって、複数のコネクター結合検知回路を示す概略構成図である。
【図５】本発明の第一の実施の形態であって、遊技機を示す分解斜視図である。
【図６】本発明の第一の実施の形態であって、遊技機を示す分解斜視図である。
【図７】本発明の第二の実施の形態であって、コネクター結合検知回路１１０を示す概略構成図である。
【図８】本発明の第三の実施の形態であって、コネクター結合検知回路１１０を示す概略構成図である。
【図９】本発明の第四の実施の形態であって、コネクター結合検知回路を示す概略横断面図である。
【図１０】本発明の第四の実施の形態であって、扉連動スイッチを示す概略横断面図である。
【図１１】本発明の第五の実施の形態であって、コネクター結合検知回路を示す概略構成図である。
【図１２】本発明の第六の実施の実施の形態であって、コネクター結合検知回路を示す概略構成図である。
【図１３】本発明の第六の実施の形態であって、コード側コネクター及び部品側コネクターを示す概略斜視図である。
【図１４】本発明の第六の実施の形態であって、複数のコネクター結合検知回路を示す概略構成図である。
【図１５】本発明の第七の実施の形態であって、コネクター結合検知回路１１０を示す概略構成図である。
【図１６】本発明の第八の実施の形態であって、コネクター結合検知回路を示す概略構成図である。
【図１７】本発明の第九の実施の形態であって、コネクター結合検知回路を示す概略構成図である。
【図１８】本発明の第一〇の実施の形態であって、コネクター結合検知回路を示す概略構成図である。
【図１９】本発明の第一一の実施の形態であって、枠体の斜め後方からの外観斜視図である。
【図２０】本発明の第一一の実施の形態であって、コネクター結合検知回路を示す概略構成図である。
【図２１】本発明の第一二の実施の形態であって、枠体の斜め後方からの外観斜視図である。
【図２２】本発明の第一二の実施の形態であって、コネクター結合検知回路を示す概略構成図である。
【図２３】本発明の第一三の実施の形態であって、枠体の斜め後方からの外観斜視図である。
【図２４】本発明の第一三の実施の形態であって、コネクター結合検知回路及び定位置確認回路を示す概略構成図である。
【符号の説明】
Ｓ    スロットマシン                      １    本体キャビネット
２    交換ユニット                        ３    前扉
４    電源ユニット                        ５    払い出し装置
６    係合部                              ７    ロック機構
８    基体                                ９    遊技部
１０  固定装置                        １１  開口部
１２  中板                            １３  開口上部
１４  開口下部                        １５  底板
１６  側板                            ２１  枠体
２２  リールユニット                  ２３  回転リール
２５  主制御装置                      ２６  副制御装置
３０  上扉                            ３１  表示窓
３２  表示装置                        ３３  飾り部
４０  下扉                            ４１  操作部
４２  メダル投入口                    ４３  メダル受け
４４  鍵穴                            ４８  メダルセレクター
４９  スピーカ                        ５０  前パネル
６０  枠体係合部                      ６１  上扉係合部
６２  本体係合部                      ６３  下扉係合部
９０  突出片                                １００  接続コード
１０１    コード部                      １１０    コネクター結合検知回路
１２０    コード側コネクター            １２１    コード側端子
１３０    部品側コネクター              １３１    部品側端子
１４０    短絡配線部                    １５０    プラス電源側配線部
１６０    マイナス電源側配線部          １７０    直列配線部
１７５    中間配線部                    １８０    抵抗
１８１    抵抗                          １８２    抵抗
１９０    接続報知手段                  ２００    発光ダイオード
２１０    主電源接続制御手段            ２１１    主電源
２１２    主電源利用回路                ２２０    扉連動スイッチ
２２１    プラス側端子                  ２２２    マイナス側端子
２２３    移動部                        ２２４    ばね
２２５    突出棒                        ２２６    突出板
２２７    突出板貫通孔                  ２２８    移動部支持板
２２９    支持板貫通孔                  ２３０    信号出力手段
２３１    アンド回路                    ２３２    アンド回路
２３３    アンド回路                    ２４０    接続報知制御手段
２５０    プラス側電源                  ２６０    マイナス側電源
２７０    スイッチ                      ２８０    コネクターブラケット
３００    出力報知手段                  ３１０    報知配線部
３２０    抵抗                          ３３０    出力配線部
３４０    電源供給ライン                ３５０    制御装置
４００    定位置確認回路                ４１０    枠体側接続確認端子
４２０    本体側接続確認端子            ４３０    枠体短絡配線部
４４０    プラス側定位置確認配線部      ４５０    マイナス側定位置確認配線部
４６０    抵抗                          ４７０    定位置報知手段
【図１】
2004181203.tif 000003
【図２】
2004181203.tif 000004
【図３】
2004181203.tif 000005
【図４】
2004181203.tif 000006
【図５】
2004181203.tif 000007
【図６】
2004181203.tif 000008
【図７】
2004181203.tif 000009
【図８】
2004181203.tif 000010
【図９】
2004181203.tif 000011
【図１０】
2004181203.tif 000012
【図１１】
2004181203.tif 000013
【図１２】
2004181203.tif 000014
【図１３】
2004181203.tif 000015
【図１４】
2004181203.tif 000016
【図１５】
2004181203.tif 000017
【図１６】
2004181203.tif 000018
【図１７】
2004181203.tif 000019
【図１８】
2004181203.tif 000020
【図１９】
2004181203.tif 000021
【図２０】
2004181203.tif 000022
【図２１】
2004181203.tif 000023
【図２２】
2004181203.tif 000024
【図２３】
2004181203.tif 000025
【図２４】
2004181203.tif 000026